(57)【要約】【課題】移動演出手段を第１位置から第２位置へ移動させた後に第１位置へ戻すときの興趣を高めることができる。【解決手段】遊技者にとって有利な有利状態に制御可能な遊技機であって、移動可能な移動演出手段を備え、移動演出手段が第１位置から第２位置へ向けて移動した後に第１位置へ向けて戻るときの態様が第１の態様である場合と、第１の態様とは異なる第２の態様である場合とで、有利状態に制御される割合が異なる。【選択図】図３
2018082840.tif 000002
【特許請求の範囲】
【請求項１】
可変表示を行い、遊技者にとって有利な有利状態に制御可能な遊技機であって、
移動可能な移動演出手段と、
実行中の可変表示に対応する特定表示を表示可能な特定表示手段と、
特定表示の表示態様を第１態様と該第１態様よりも前記有利状態に制御される期待度が低い第２態様とを含む複数の表示態様のうちのいずれかに変化させる変化演出を実行可能な変化演出実行手段と、
可変表示中の第１タイミングと該第１タイミングよりも後の第２タイミングとにおいて、特定表示の表示態様が変化することを示唆する示唆演出を実行可能な示唆演出実行手段と、
前記第２タイミングにおいて、特定表示の表示態様が前記第２態様に変化することを示唆する示唆演出を実行することを制限する示唆演出制限手段と、
を備え、
前記移動演出手段が第１位置から第２位置へ向けて移動した後に前記第１位置へ向けて戻るときの態様が第１の態様である場合と、前記第１の態様とは異なる第２の態様である場合とで、前記有利状態に制御される割合が異なる
ことを特徴とする遊技機。
【発明の詳細な説明】
【技術分野】
【０００１】
本発明は、パチンコ遊技機等の遊技機に係り、詳しくは、遊技者にとって有利な有利状態に制御可能な遊技機に関する。
【背景技術】
【０００２】
遊技機として、遊技球等の遊技媒体を発射装置によって遊技領域に発射し、遊技領域に設けられている入賞口等の入賞領域に遊技媒体が入賞すると、所定個の賞球が遊技者に払い出されるものがある。更に、入賞領域に遊技媒体が入賞すると識別情報を変動可能に表示する可変表示手段が設けられ、可変表示手段において識別情報の可変表示結果が特定表示結果となった場合に「大当り」となり、遊技者にとって有利な有利状態に制御可能となるように構成されたものがある。
【０００３】
このような遊技機において、移動演出手段を第１位置から第２位置へ向けて移動させることにより有利状態に制御される割合を示唆した後に、移動演出手段を第１位置へ戻すものが提案されている（例えば特許文献１）。
【先行技術文献】
【特許文献】
【０００４】
【特許文献１】特開２０１３−０４２７６２号公報
【発明の概要】
【発明が解決しようとする課題】
【０００５】
特許文献１に記載の技術では、移動演出手段を第１位置から第２位置へ移動させた後に第１位置へ戻すときの遊技者の遊技の興趣を高めることができない。
【０００６】
この発明は、上記実情に鑑みて成されたものであり、移動演出手段を第１位置から第２位置へ移動させた後に第１位置へ戻すときの遊技者の遊技の興趣を高める遊技機の提供を目的とする。
【課題を解決するための手段】
【０００７】
（１）  上記目的を達成するため、本願に係る遊技機は、可変表示（例えば、第１特別図柄や第２特別図柄、演出図柄の可変表示）を行い、遊技者にとって有利な有利状態（例えば、大当り遊技状態）に制御可能な遊技機（例えばパチンコ遊技機１等）であって、移動可能な移動演出手段（例えば可動演出部材６０等）と、実行中の可変表示に対応する特定表示（例えば、アクティブ表示）を表示可能な特定表示手段（例えば、アクティブ表示部１８ｄ）と、特定表示の表示態様を第１態様（例えば、第２表示態様（緑）や第３表示態様（赤））と該第１態様よりも前記有利状態に制御される期待度が低い第２態様（例えば、第１表示態様（青））とを含む複数の表示態様のうちのいずれかに変化させる変化演出（例えば、アクティブ表示変化演出）を実行可能な変化演出実行手段（例えば、演出制御用マイクロコンピュータ１１５がステップＳ８００６やＳ８１０５を実行する部分）と、可変表示中の第１タイミング（例えば、図４７に示す変動開始後、スーパーリーチ開始前の第１タイミング）と該第１タイミングよりも後の第２タイミング（例えば、図４７に示すスーパーリーチ開始後、変動停止前の第２タイミング）とにおいて、特定表示の表示態様が変化することを示唆する示唆演出を実行可能な示唆演出実行手段（例えば、演出制御用マイクロコンピュータ１１５がステップＳ８００６やＳ８１０５を実行する部分）と、前記第２タイミングにおいて、特定表示の表示態様が前記第２態様に変化することを示唆する示唆演出を実行することを制限する示唆演出制限手段（例えば、図４９（Ｂ）に示すように、第２タイミングにおいて第１表示態様（青）に変化することを示唆する真示唆演出が実行される変化パターン２−３に決定しないようにするとともに、図４９（Ａ）に示すように、変化パターン２−１では、第２タイミングにおいて第１表示態様（青）に変化することを示唆する偽示唆演出の実行を禁止している）と、を備え、前記移動演出手段が第１位置から第２位置へ向けて移動した後に前記第１位置へ向けて戻るときの態様が第１の態様である場合と、前記第１の態様とは異なる第２の態様である場合とで、前記有利状態に制御される割合が異なる（例えば可動演出部材６０が退避位置から進出位置へ向けて移動した後に退避位置へ向けて戻るときの態様が、可動物予告演出ＹＰＡ４〜ＹＰＡ７のように回転しながら戻る場合と、可動物予告演出ＹＰＡ１〜ＹＰＡ３のように回転せずに戻る場合とで、大当り期待度が異なること等）ことを特徴とする。
【０００８】
このような構成によれば、移動演出手段が移動した後に戻るときの遊技者の遊技の興趣を高めることができる。
【０００９】
（２）上記（１）の遊技機において、前記移動演出手段が第１位置から第２位置へ向けて移動するときの態様と、前記第１位置へ向けて戻るときの態様との組み合わせが第１の組み合わせである場合と、前記第１の組み合わせとは異なる第２の組み合わせである場合とで、前記有利状態に制御される割合が異なる（例えば、可動演出部材６０の後退時における演出態様にのみ注目すれば、可動演出部材６０が回転する場合には回転しない場合に比べて大当り期待度が高く、発光体がフラッシュ点灯する場合にはフラッシュ点灯しない場合に比べて大当り期待度が高いが、可動演出部材６０の進出時からの演出態様にも注目すると、可動演出部材６０の進出時から画像表示装置５にエフェクトが表示されるか否かにより、可動演出部材６０の後退時に可動演出部材６０が回転しない場合でも回転する場合に比べて大当り期待度が高いことがあり、可動演出部材６０の後退時に発光体がフラッシュ点灯しない場合でもフラッシュ点灯する場合に比べて大当り期待度が高い場合があること等）ようにしてもよい。
【００１０】
このような構成においては、移動演出手段が移動するときの態様と戻るときの態様との組み合わせに注目させることにより、移動演出手段が移動した後に戻るときの遊技者の遊技の興趣を高めることができる。
【００１１】
（３）上記（１）又は（２）の遊技機において、前記移動演出手段は表示装置（例えばサブ画像表示装置６５等）であり、前記表示装置が第１位置から第２位置へ向けて移動した後に前記第１位置へ向けて戻るときの動作態様は同じであるが、戻るときの前記表示装置の表示態様が第１の表示態様である場合と、前記第１の表示態様とは異なる第２の表示態様である場合とで、前記有利状態に制御される割合が異なる（例えば変形例２のように、パン食い競争演出でキャラクタＣＡ１がサブ画像表示装置６５から画像表示装置５へと飛び出し、画像表示装置５に表示されたパンＰＡ１を口でくわえるといった、成功態様の演出画像が表示されたときには、大当り図柄となる確定特別図柄と大当り組み合わせを構成する確定飾り図柄とが導出されて、可変表示結果が「大当り」となったことを遊技者が認識可能に報知する一方、パン食い競争演出でキャラクタＣＡ１がサブ画像表示装置６５から画像表示装置５へと飛び出すことができずに、画像表示装置５に表示されたパンＰＡ１を口でくわえることができないといった、失敗態様の演出画像が表示されたときには、ハズレ図柄となる確定特別図柄とリーチハズレ組み合わせを構成する確定飾り図柄とが導出されて、可変表示結果が「ハズレ」となったことを遊技者が認識可能に報知することがあること等。）ようにしてもよい。
【００１２】
このような構成においては、表示装置の表示態様に注目させることにより、移動演出手段が移動した後に戻るときの遊技者の遊技の興趣を高めることができる。
【００１３】
（４）上記（１）から（３）のうちいずれかの遊技機において、前記移動演出手段とは異なる演出手段（例えば可動演出部材６０に内蔵された装飾用ＬＥＤといった発光体等）を更に備え、前記移動演出手段が第１位置から第２位置へ向けて移動した後に前記第１位置へ向けて戻るときの前記演出手段の演出態様が第１の演出態様である場合と、前記第１の演出態様とは異なる第２の演出態様である場合とで、前記有利状態に制御される割合が異なる（例えば可動物予告演出ＹＰＡ６のように可動演出部材６０の後退時に発光体がフラッシュ点灯した場合には、可動物予告演出ＹＰＡ４のようにフラッシュ点灯しなかった場合に比べて、大当り期待度が高くなること等）ようにしてもよい。
【００１４】
このような構成においては、移動演出手段とは異なる演出手段の演出態様に注目させることにより、移動演出手段が移動した後に戻るときの遊技者の遊技の興趣を高めることができる。
【００１５】
（５）上記（１）から（４）のうちいずれかの遊技機において、前記移動演出手段が第１位置から第２位置へ向けて移動した後、前記第１位置へ向けて戻るときに電源が遮断された場合、電源が遮断される前における前記移動演出手段が戻るときの態様にかかわらず、電源が再投入された後には前記移動演出手段を共通の態様で前記第１位置へ向けて戻す（例えば変形例３のように、可動演出部材６０が退避位置から進出位置へ向けて移動した後、退避位置へ向けて戻るときに電源が遮断された場合、電源が遮断される前における可動演出部材６０が戻るときの態様にかかわらず、電源が再投入された後には可動演出部材６０を共通の態様で退避位置へ向けて戻すこと等）ようにしてもよい。
【００１６】
このような構成においては、電源が再投入されたときの処理負荷を軽減させることができる。
【００１７】
（６）上記（１）から（５）のうちいずれかの遊技機において、第１制御手段と、前記第１制御手段から送信されるコマンドに基づいて、前記移動演出手段を動作させる第２制御手段とを更に備え、前記第２制御手段は、前記第１制御手段からコマンドを受信したときに前記移動演出手段を動作させることができない場合には、受信したコマンドを無効化する（例えば変形例４のように、モータ駆動回路１６は、演出制御用ＣＰＵ１２０から所定の駆動指令コマンドを示す情報信号としての駆動指令信号を受信したときに、可動演出部材６０を動作させることができない状況にある場合には、受信した駆動指令信号によって示される駆動指令コマンドを無効化すること等）ようにしてもよい。
【００１８】
このような構成においては、移動演出手段に不具合が発生することを防ぐと共に、処理負荷を分散させることができる。
【００１９】
また、後述する発明を実施するための形態には、以下に示す（７）〜（１２）に係る発明が含まれる。遊技機として、遊技媒体である遊技球を発射装置によって遊技領域に発射し、遊技領域に設けられている入賞口などの入賞領域に遊技球が入賞すると、所定個の賞球が遊技者に払い出されるものがある。さらに、識別情報を可変表示（「変動」ともいう。）可能な可変表示装置が設けられ、可変表示装置において識別情報の可変表示の表示結果が特定表示結果となった場合に、遊技状態（遊技機の状態。よって、具体的には、遊技機が制御されている状態。）を変更して、所定の遊技価値を遊技者に与えるように構成されたものがある（いわゆるパチンコ機）。また、所定の遊技媒体を１ゲームに対して所定数の賭数を設定した後、遊技者がスタートレバーを操作することにより可変表示装置による識別情報の可変表示を開始し、遊技者が各可変表示装置に対応して設けられた停止ボタンを操作することにより、その操作タイミングから予め定められた最大遅延時間の範囲内で識別情報の可変表示を停止し、全ての可変表示装置の可変表示を停止したときに導出された表示結果に従って入賞が発生し、入賞に応じて予め定められた所定の遊技媒体が払い出され、特定入賞が発生した場合に、遊技状態を所定の遊技価値を遊技者に与える状態にするように構成されたものがある（いわゆるスロット機）。なお、遊技価値とは、遊技機の遊技領域に設けられた可変入賞球装置の状態が打球が入賞しやすい遊技者にとって有利な状態になることや、遊技者にとって有利な状態になるための権利を発生させたりすることや、賞球払出の条件が成立しやすくなる状態になることである。
【００２０】
パチンコ遊技機では、始動入賞口に遊技球が入賞したことにもとづいて可変表示装置において開始される特別図柄（識別情報）の可変表示の表示結果として、あらかじめ定められた特定の表示態様が導出表示された場合に、「大当り」が発生する。なお、導出表示とは、図柄（最終停止図柄）を最終的に停止表示させることである。大当りが発生すると、例えば、大入賞口が所定回数開放して打球が入賞しやすい大当り遊技状態に移行する。そして、各開放期間において、所定個（例えば、１０個）の大入賞口への入賞があると大入賞口は閉成する。そして、大入賞口の開放回数は、所定回数（例えば、１５ラウンド）に固定されている。なお、各開放について開放時間（例えば、２９秒）が決められ、入賞数が所定個に達しなくても開放時間が経過すると大入賞口は閉成する。以下、各々の大入賞口の開放期間をラウンドということがある。また、ラウンドにおける遊技をラウンド遊技ということがある。また、可変表示装置において、最終停止図柄（例えば、左中右図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、可変表示装置に変動表示される図柄の表示結果が特定の表示結果でない場合には「はずれ」となり、変動表示状態は終了する。遊技者は、大当りをいかにして発生させるかを楽しみつつ遊技を行う。
【００２１】
そのような遊技機において、例えば、特開２０１４−２０８０８２号公報には、可変表示に対応する特定表示（例えば、当該保留アイコン）を表示し、特定表示の表示態様が変化することを示唆する示唆演出を行った後、特定表示の表示態様を変化させることが記載されている。特開２０１４−２０８０８２号公報に記載された遊技機では、示唆演出の態様により変化後の特定表示の表示態様（すなわち大当りに対する信頼度）が示唆されるが、示唆演出の態様や実行されるタイミングによっては、大当りとなる可能性が低いことが示唆されることになり、遊技の興趣を低下させてしまうおそれがある。そこで、（７）〜（１２）に係る発明は、遊技の興趣が低下してしまうことを防止することができる遊技機を提供することを目的とする。
【００２２】
（７）上記（１）から（６）のうちいずれかの遊技機において、可変表示が開始された後に、有利状態に制御されるか否かを報知する特定演出（本例では、スーパーリーチ）を実行可能な特定演出実行手段（例えば、演出制御用マイクロコンピュータ１１５がステップＳ８００６やＳ８１０５を実行する部分）を備え、第２タイミングは、特定演出が実行されている期間（本例では、図４７に示すスーパーリーチ開始後、変動停止前の第２タイミング）に到来するようにしてもよい。
このような構成においては、特定演出に対する期待感を維持することができる。
【００２３】
（８）上記（１）から（７）のうちいずれかの遊技機において、示唆演出実行手段は、第２タイミングにおいて、特定表示の表示態様が第２態様よりも有利状態に制御される期待度が高い表示態様（例えば、第２表示態様（緑）や第３表示態様（赤））に変化することを示唆する示唆演出を実行可能であるようにしてもよい。
【００２４】
このような構成においては、第２タイミングにおいて実行される示唆演出に対する期待感を維持することができる。
【００２５】
（９）上記（１）から（８）のうちいずれかの遊技機において、示唆演出実行手段は、期待度が異なる複数の演出態様（例えば、演出後のアクティブ表示の表示態様が変化する（すなわち真示唆演出である）期待度や、大当りとなる期待度などが異なる第１態様と第２態様）の示唆演出を実行可能である（図４９（Ｄ）参照）ようにしてもよい。
このような構成においては、遊技の興趣を向上させることができる。
【００２６】
（１０）上記（１）から（９）のうちいずれかの遊技機において、示唆演出実行手段は、演出後に特定表示の表示態様が変化する第１示唆演出（例えば、真示唆演出）と、演出後に特定表示の表示態様が変化しない第２示唆演出（例えば、偽示唆演出）とを実行可能であり、第１タイミングよりも第２タイミングの方が、第１示唆演出を実行する割合が高い（例えば、図４９（Ｃ）に示めされるように、第２タイミングよりも第１タイミングの方が偽示唆演出を実行する割合が高い。すなわち、第１タイミングよりも第２タイミングの方が真示唆演出を実行する割合が高い）ようにしてもよい。
【００２７】
このような構成においては、第２タイミングにおいて実行される示唆演出に注目させることができる。
【００２８】
（１１）上記（１）から（１０）のうちいずれかの遊技機において、示唆演出実行手段は、複数の表示態様のうちのいずれの表示態様に変化することを示唆するかに関わらず、少なくとも一部が共通する態様により示唆演出を実行する（例えば、アクティブ表示がいずれの表示態様に変化するかを示唆するときにも、キャラクタＡが登場する第１態様またはキャラクタＢが登場する第２態様により実行される。図５３参照）ようにしてもよい。
【００２９】
このような構成においては、示唆演出を認識しやすくすることができる。
【００３０】
（１２）上記（１）から（１１）のうちいずれかの遊技機において、可変表示を実行可能な可変表示手段（例えば、画像表示装置５）を備え、可変表示手段は、可変表示が開始されてから可変表示の表示結果が導出表示されるまでに可変表示を所定回数実行する所定可変表示（例えば、擬似連演出）を実行可能であり、特定表示は、所定可変表示の種類に応じて、表示態様が変化するタイミングが異なる（例えば、アクティブ表示の表示態様を変化させるアクティブ表示変化演出の実行タイミングが、大当り判定の有無に応じて決定された擬似連演出パターンに応じた決定割合で決定される。図５４参照）ようにしてもよい。
【００３１】
このような構成においては、演出を多様化させ、遊技の興趣を向上させることができる。
【図面の簡単な説明】
【００３２】
【図１】この実施の形態におけるパチンコ遊技機の正面図である。
【図２】パチンコ遊技機に搭載された各種の制御基板等を示す構成図である。
【図３】可動物予告演出決定テーブルによる可動物予告演出の決定割合等を示す図である。
【図４】可動物予告演出が実行される場合の演出動作例を示す図である。
【図５】可動物予告演出が実行される場合の演出動作例を示す図である。
【図６】可動物予告演出が実行される場合の演出動作例を示す図である。
【図７】可動物予告演出が実行される場合の演出動作例を示す図である。
【図８】変形例１の可動物予告演出と大当り確定演出とが実行される場合の演出動作例を示す図である。
【図９】変形例２の可動物予告演出が実行される演出動作例を示す図である。
【図１０】パチンコ遊技機を正面からみた正面図である。
【図１１】遊技制御基板（主基板）の回路構成例を示すブロック図である。
【図１２】演出制御基板、ランプドライバ基板および音声出力基板の回路構成例を示すブロック図である。
【図１３】主基板におけるＣＰＵが実行するメイン処理を示すフローチャートである。
【図１４】４ｍｓタイマ割込処理を示すフローチャートである。
【図１５】あらかじめ用意された演出図柄の変動パターンを示す説明図である。
【図１６】各乱数を示す説明図である。
【図１７】大当り判定テーブル、小当り判定テーブルおよび大当り種別判定テーブルを示す説明図である。
【図１８】大当り用変動パターン種別判定テーブルを示す説明図である。
【図１９】はずれ用変動パターン種別判定テーブルを示す説明図である。
【図２０】当り変動パターン判定テーブルを示す説明図である。
【図２１】はずれ変動パターン判定テーブルを示す説明図である。
【図２２】演出制御コマンドの内容の一例を示す説明図である。
【図２３】演出制御コマンドの内容の一例を示す説明図である。
【図２４】図柄指定コマンドの内容の一例を示す説明図である。
【図２５】変動カテゴリコマンドの内容の一例を示す説明図である。
【図２６】変動カテゴリコマンドの内容の一例を示す説明図である。
【図２７】特別図柄プロセス処理のプログラムの一例を示すフローチャートである。
【図２８】始動口スイッチ通過処理を示すフローチャートである。
【図２９】保留特定領域および保留バッファの構成例を示す説明図である。
【図３０】入賞時演出処理を示すフローチャートである。
【図３１】特別図柄通常処理を示すフローチャートである。
【図３２】特別図柄通常処理を示すフローチャートである。
【図３３】変動パターン設定処理を示すフローチャートである。
【図３４】表示結果指定コマンド送信処理を示すフローチャートである。
【図３５】特別図柄変動中処理を示すフローチャートである。
【図３６】特別図柄停止処理を示すフローチャートである。
【図３７】大当り終了処理を示すフローチャートである。
【図３８】演出制御用ＣＰＵが実行する演出制御メイン処理を示すフローチャートである。
【図３９】コマンド受信バッファの構成例を示す説明図である。
【図４０】コマンド解析処理を示すフローチャートである。
【図４１】コマンド解析処理を示すフローチャートである。
【図４２】始動入賞時コマンド格納領域の具体例を示す説明図である。
【図４３】演出制御プロセス処理を示すフローチャートである。
【図４４】変動パターンコマンド受信待ち処理を示すフローチャートである。
【図４５】演出制御プロセス処理における演出図柄変動開始処理を示すフローチャートである。
【図４６】演出図柄の停止図柄の一例を示す説明図である。
【図４７】アクティブ表示変化演出および示唆演出の実行タイミングの一例を示す説明図である。
【図４８】最終表示態様決定テーブルを示す説明図である。
【図４９】変化パターン決定テーブル、偽示唆演出実行決定テーブルおよび示唆演出態様決定テーブルを示す説明図である。
【図５０】プロセスデータの構成例を示す説明図である。
【図５１】演出制御プロセス処理における演出図柄変動中処理を示すフローチャートである。
【図５２】演出制御プロセス処理における演出図柄変動停止処理を示すフローチャートである。
【図５３】アクティブ表示変化演出および示唆演出の具体例を示す説明図である。
【図５４】擬似連演出パターン決定テーブル、アクティブ表示変化演出実行決定テーブルおよびアクティブ表示変化演出実行タイミング決定テーブルを示す説明図である。
【発明を実施するための形態】
【００３３】
［第１実施形態］
以下、本発明の実施形態（実施の形態）を、図面を参照して説明する。図１は、本実施の形態におけるパチンコ遊技機の正面図であり、主要部材の配置レイアウトを示す。パチンコ遊技機１は、大別して、遊技盤面を構成する遊技盤２と、遊技盤２を支持固定する遊技機用枠３とから構成されている。遊技盤２には、ガイドレールによって囲まれた、略円形状の遊技領域が形成されている。この遊技領域には、遊技媒体としての遊技球が、所定の打球発射装置から発射されて打ち込まれる。
【００３４】
遊技盤２の所定位置には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ等から構成され、可変表示ゲームの一例となる特図ゲームにおいて、各々を識別可能な複数種類の識別情報である特別図柄が、変動可能に表示される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。
【００３５】
なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組み合わせを異ならせた複数種類の点灯パターンが、複数種類の特別図柄として予め設定されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００３６】
遊技盤２に形成された遊技領域の中央付近には、画像表示装置５が設けられている。画像表示装置５は、例えばＬＣＤ等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報である飾り図柄が可変表示される。この飾り図柄の可変表示も、可変表示ゲームに含まれる。
【００３７】
一例として、画像表示装置５の表示領域には、「左」、「中」、「右」の飾り図柄表示エリア５Ｌ、５Ｃ、５Ｒが配置されている。そして、第１特別図柄表示装置４Ａによる第１特図の変動と第２特別図柄表示装置４Ｂによる第２特図の変動のうち、いずれかの特図ゲームが開始されることに対応して、「左」、「中」、「右」の各飾り図柄表示エリア５Ｌ、５Ｃ、５Ｒでは飾り図柄の変動が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄が停止表示される。このように、画像表示装置５の表示領域では、第１特別図柄表示装置４Ａにおける第１特図を用いた特図ゲーム、又は第２特別図柄表示装置４Ｂにおける第２特図を用いた特図ゲームと同期して、各々が識別可能な複数種類の飾り図柄の可変表示を行い、可変表示結果となる確定飾り図柄を導出表示する。
【００３８】
図１に示すパチンコ遊技機１の構成例では、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。
【００３９】
第１特図保留記憶数は、例えば第１始動入賞口を遊技球が通過する第１始動入賞の発生により、第１特別図柄表示装置４Ａによる第１特図を用いた特図ゲームの始動条件が成立したときに、当該第１始動条件の成立に基づく第１特図を用いた特図ゲームを開始するための第１開始条件が成立しなければ１加算される。これにより、第１特図を用いた特図ゲームの実行が保留される。
【００４０】
第２特図保留記憶数は、例えば第２始動入賞口を遊技球が通過する第２始動入賞の発生により、第２特別図柄表示装置４Ｂによる第２特図を用いた特図ゲームの始動条件が成立したときに、当該第２始動条件の成立に基づく第２特図を用いた特図ゲームを開始するための第２開始条件が成立しなければ１加算される。これにより、第２特図を用いた特図ゲームの実行が保留される。
【００４１】
第１特図を用いた特図ゲームの実行が開始されるときには、第１特図保留記憶数が１減算される。第２特図を用いた特図ゲームの実行が開始されるときには、第２特図保留記憶数が１減算される。このように、普通入賞球装置６Ａが形成する第１始動入賞口や普通可変入賞球装置６Ｂが形成する第２始動入賞口に遊技球が進入したことに基づき、特図ゲームや飾り図柄の可変表示といった可変表示ゲームを実行するための始動条件は成立したが、先に成立した開始条件に基づく可変表示ゲームが実行中であることやパチンコ遊技機１が大当り遊技状態又は小当り状態に制御されていること等により、可変表示ゲームを開始するための開始条件は成立していないときには、可変表示の保留が発生する。
【００４２】
第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部を指すこともあるものとする。第１保留表示器２５Ａと第２保留表示器２５Ｂはそれぞれ、例えば第１特図保留記憶数と第２特図保留記憶数のそれぞれにおける上限値に対応した個数のＬＥＤを含んで構成されている。
【００４３】
第１保留表示器２５Ａや第２保留表示器２５Ｂと共に、あるいは、これらの保留表示器に代えて、画像表示装置５の表示領域に始動入賞記憶表示エリアを設けてもよい。即ち、始動入賞記憶表示エリアでは、可変表示の保留数を特定可能に表示する保留記憶表示が行われる。
【００４４】
画像表示装置５の表示領域における所定縁部の近傍には、可動演出部材６０が設けられている。一例として、表示領域が横長の方形状である場合には、長辺における外周縁部の近傍にて表示領域の周囲を装飾する装飾部材の内部又は外部に、可動演出部材６０が収容されていればよい。このように、可動演出部材６０は、画像表示装置５における表示領域の所定端部に近接して設けられたものであればよい。図１では、可動演出部材６０が装飾部材の内部に収容されることを、破線により示している。
【００４５】
可動演出部材６０は、図２に示す可動演出部材用モータ６１の回転駆動により、画像表示装置５における表示領域の前面に進出する演出用模型を構成するものであればよい。即ち、可動演出部材６０は、表示領域の周囲を装飾する装飾部材の内部又は外部に収容された退避位置と、表示領域の前面に進出した進出位置との間で、移動可能なものであってもよい。このとき、退避位置から進出位置へと向かう方向は、画像表示装置５における表示領域の所定縁部から他の縁部へと向かう方向であればよい。なお、退避位置である所定縁部から進出位置である他の縁部に達するまで進出してもよいし、進出位置である他の縁部に達するより前の一部進出位置となるようにしてもよい。また、可動演出部材６０は、表示領域の前面に進出可能なものに限定されず、例えば所定端部が軸支されて構成され、表示領域の近傍にて揺動する演出動作や回動する演出動作を行うものであってもよい。即ち、可動演出部材６０の移動とは、第１位置から第２位置へ向かう方向に所定動作を行うものであればよく、第１位置から第２位置へ向かう方向に進出する態様に限定されず、例えば、第１位置から第２位置へ向かう方向に揺動する態様や、第１位置から第２位置へ向かう方向に回転する態様等を含む。
【００４６】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域としての第１始動入賞口を形成する。普通可変入賞球装置６Ｂは、図２に示す普通電動役物用のソレノイド８１によって垂直位置となる通常開放状態と傾動位置となる開放状態とに変化する一対の可動翼片を有する電動チューリップ型役物を備え、第２始動入賞口を形成する。
【００４７】
一例として、普通可変入賞球装置６Ｂでは、普通電動役物用のソレノイド８１がオフ状態であるときに可動翼片が垂直位置となることにより、第２始動入賞口を遊技球が通過しない閉鎖状態にする。その一方で、普通可変入賞球装置６Ｂでは、普通電動役物用のソレノイド８１がオン状態であるときに可動翼片が傾動位置となることにより、第２始動入賞口を遊技球が通過できる開放状態にする。なお、普通可変入賞球装置６Ｂは、ソレノイド８１がオフ状態であるときに通常開放状態となり、第２始動入賞口を遊技球が進入できる一方、ソレノイド８１がオン状態であるときの拡大開放状態よりも遊技球が進入し難いように構成してもよい。このように、普通可変入賞球装置６Ｂは、第２始動入賞口を遊技球が通過可能な開放状態又は拡大開放状態といった第１可変状態と、遊技球が通過不可能な閉鎖状態、又は通過困難な通常開放状態といった第２可変状態とに、変化できるように構成されている。
【００４８】
普通入賞球装置６Ａに形成された第１始動入賞口に進入した遊技球は、例えば図２に示す第１始動口スイッチ２２Ａによって検出される。普通可変入賞球装置６Ｂに形成された第２始動入賞口に進入した遊技球は、例えば図２に示す第２始動口スイッチ２２Ｂによって検出される。第１始動口スイッチ２２Ａによって遊技球が検出されたことに基づき、所定個数の遊技球が賞球として払い出され、第１保留記憶数が所定の上限値以下であれば、第１始動条件が成立する。第２始動口スイッチ２２Ｂによって遊技球が検出されたことに基づき、所定個数の遊技球が賞球として払い出され、第２保留記憶数が所定の上限値以下であれば、第２始動条件が成立する。
【００４９】
なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。パチンコ遊技機１は、賞球となる遊技球を直接に払い出すものであってもよいし、賞球となる遊技球の個数に対応した得点を付与するものであってもよい。
【００５０】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００５１】
一例として、特別可変入賞球装置７では、大入賞口扉用のソレノイド８２がオフ状態であるときに大入賞口扉が大入賞口を閉鎖状態として、遊技球が大入賞口を通過できなくする。その一方で、特別可変入賞球装置７では、大入賞口扉用のソレノイド８２がオン状態であるときに大入賞口扉が大入賞口を開放状態として、遊技球が大入賞口を通過し易くする。このように、特定領域としての大入賞口は、遊技球が通過し易く遊技者にとって有利な開放状態と、遊技球が通過できず遊技者にとって不利な閉鎖状態とに変化する。なお、遊技球が大入賞口を通過できない閉鎖状態に代えて、あるいは閉鎖状態の他に、遊技球が大入賞口を通過し難い一部開放状態を設けてもよい。
【００５２】
大入賞口を通過した遊技球は、例えば図２に示すカウントスイッチ２３によって検出される。カウントスイッチ２３によって遊技球が検出されたことに基づき、所定個数の遊技球が賞球として払い出される。こうして、特別可変入賞球装置７において開放状態となった大入賞口を遊技球が通過したときには、例えば第１始動入賞口や第２始動入賞口といった、他の入賞口を遊技球が通過したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過させて賞球を得ることが不可能又は困難になり、遊技者にとって不利な第２状態となる。
【００５３】
遊技盤２の所定位置には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄を変動可能に表示する。このような普通図柄の可変表示は、普図ゲームと称される。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００５４】
遊技盤２の表面には、上記の構成以外にも、遊技球の流下方向や速度を変化させる風車、及び多数の障害釘が設けられている。また、第１始動入賞口、第２始動入賞口及び大入賞口とは異なる入賞口として、例えば所定の玉受部材によって常に一定の開放状態に保たれる単一又は複数の一般入賞口が設けられてもよい。この場合には、一般入賞口のいずれかに進入した遊技球が所定の一般入賞球スイッチによって検出されたことに基づき、所定個数の遊技球が賞球として払い出されればよい。遊技領域の最下方には、いずれの入賞口にも進入しなかった遊技球が取り込まれるアウト口が設けられている。
【００５５】
遊技機用枠３の左右上部位置には、効果音等を再生出力するためのスピーカ８Ｌ、８Ｒが設けられており、更に遊技領域周辺部には、遊技効果ランプ９が設けられている。パチンコ遊技機１の遊技領域における各構造物の周囲には、装飾用ＬＥＤが配置されていてもよい。遊技機用枠３の右下部位置には、遊技媒体としての遊技球を遊技領域に向けて発射するために遊技者等によって操作される打球操作ハンドルが設けられている。例えば、打球操作ハンドルは、遊技者等による操作量に応じて遊技球の弾発力を調整する。打球操作ハンドルには、打球発射装置が備える発射モータの駆動を停止させるための単発発射スイッチや、タッチリングが設けられていればよい。
【００５６】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５等も搭載されている。その他にも、パチンコ遊技機１における遊技盤２等の背面には、例えば払出制御基板、情報端子基板、発射制御基板、インタフェース基板、タッチセンサ基板等といった、各種の基板が配置されている。
【００５７】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２等から成るサブ側の制御基板に宛てて、指令情報の一例となる制御コマンドを制御信号として出力して送信する機能、ホールの管理コンピュータに対して各種情報を出力する機能等を備えている。また、主基板１１は、第１特別図柄表示装置４Ａと第２特別図柄表示装置４Ｂを構成する各ＬＥＤ等の点灯／消灯制御を行って第１特図や第２特図の可変表示を制御することや、普通図柄表示器２０の点灯／消灯／発色制御等を行って普通図柄表示器２０による普通図柄の可変表示を制御することといった、所定の表示図柄の可変表示を制御する機能も備えている。
【００５８】
主基板１１には、例えば遊技制御用マイクロコンピュータ１００やスイッチ回路１１０、ソレノイド回路１１１等が搭載されている。スイッチ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１や大入賞口扉用のソレノイド８２に伝送する。
【００５９】
演出制御基板１２は、主基板１１とは独立したサブ側の制御基板であり、中継基板１５を介して主基板１１から伝送された制御信号を受信して、画像表示装置５、スピーカ８Ｌ、８Ｒ、及び遊技効果ランプ９や装飾用ＬＥＤといった演出用の電気部品による演出動作を制御するための各種回路が搭載されている。即ち、演出制御基板１２は、画像表示装置５における表示動作や、スピーカ８Ｌ、８Ｒからの音声出力動作の全部又は一部、遊技効果ランプ９や装飾用ＬＥＤ等における点灯／消灯動作の全部又は一部といった、演出用の電気部品に所定の演出動作を実行させるための制御内容を決定する機能を備えている。
【００６０】
音声制御基板１３は、演出制御基板１２とは別個に設けられた音声出力制御用の制御基板であり、演出制御基板１２からの指令や制御データ等に基づき、スピーカ８Ｌ、８Ｒから音声を出力させるための音声信号処理を実行する処理回路等が搭載されている。ランプ制御基板１４は、演出制御基板１２とは別個に設けられたランプ出力制御用の制御基板であり、演出制御基板１２からの指令や制御データ等に基づき、遊技効果ランプ９や装飾用ＬＥＤ等における点灯／消灯駆動を行うランプドライバ回路等が搭載されている。
【００６１】
図２に示すように、主基板１１には、ゲートスイッチ２１、始動口スイッチ、カウントスイッチ２３といった、各種スイッチからの検出信号を伝送する配線が接続されている。
なお、各種スイッチは、例えばセンサと称されるもの等のように、遊技媒体としての遊技球を検出できる任意の構成を有するものであればよい。また、主基板１１には、第１特別図柄表示装置４Ａ、第２特別図柄表示装置４Ｂ、普通図柄表示器２０等の表示制御を行うための指令信号を伝送する配線が接続されている。
【００６２】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作等を制御するために用いられるランプ制御コマンドが含まれている。
【００６３】
主基板１１に搭載された遊技制御用マイクロコンピュータ１００は、例えば１チップのマイクロコンピュータであり、遊技制御用のプログラムや固定データ等を記憶するＲＯＭ１０１と、遊技制御用のワークエリアを提供するＲＡＭ１０２と、遊技制御用のプログラムを実行して制御動作を行うＣＰＵ１０３と、ＣＰＵ１０３とは独立して乱数値を示す数値データの更新を行う乱数回路１０４と、Ｉ／Ｏ１０５とを備えて構成される。
【００６４】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作等も行われる。
【００６５】
なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５等は外付けされてもよい。
【００６６】
遊技制御用マイクロコンピュータ１００では、例えば乱数回路１０４等により、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４等のハードウェアによって更新されるものであってもよいし、遊技制御用マイクロコンピュータ１００のＣＰＵ１０３が所定のコンピュータプログラムを実行することでソフトウェアによって更新されるものであってもよい。例えば、遊技制御用マイクロコンピュータ１００におけるＲＡＭ１０２の所定領域に設けられたランダムカウンタや、ＲＡＭ１０２とは別個の内部レジスタに設けられたランダムカウンタに、所定の乱数値を示す数値データを格納し、ＣＰＵ１０３が定期的又は不定期的に格納値を更新することで、乱数値の更新が行われるようにしてもよい。
【００６７】
遊技制御用マイクロコンピュータ１００が備えるＲＯＭ１０１には、ゲーム制御用のプログラムの他にも、遊技の進行を制御するために用いられる各種の選択用データ、テーブルデータ等が格納されている。例えば、ＲＯＭ１０１には、ＣＰＵ１０３が各種の判定や決定、設定を行うために用意された複数の判定テーブルや決定テーブル、設定テーブル等を構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、変動パターンを複数種類格納する変動パターンテーブルを構成するテーブルデータ等が、記憶されている。
【００６８】
遊技制御用マイクロコンピュータ１００が備えるＲＡＭ１０２は、その一部又は全部が所定の電源基板において作成されるバックアップ電源によってバックアップされているバックアップＲＡＭであればよい。即ち、パチンコ遊技機１に対する電力供給が停止しても、所定期間は、ＲＡＭ１０２の一部又は全部の内容は保存される。特に、少なくとも、遊技状態、即ち、遊技制御手段の制御状態に応じたデータと未払出賞球数を示すデータは、バックアップＲＡＭに保存されるようにすればよい。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。こうしたＲＡＭ１０２には、パチンコ遊技機１における遊技の進行等を制御するために用いられる各種のデータが記憶される。
【００６９】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理等を実行する表示制御部１２３と、演出制御用ＣＰＵ１２０とは独立して乱数値を示す数値データの更新を行う乱数回路１２４と、Ｉ／Ｏ１２５とが搭載されている。
【００７０】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作等も行われる。
【００７１】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線等が接続されている。更に、演出制御基板１２には、可動演出部材６０を動作させる可動演出部材用モータ６１を駆動するためのモータ駆動回路１６に対して所定の駆動指令コマンドを示す情報信号としての駆動指令信号を伝送するための配線も接続されている。
【００７２】
演出制御基板１２では、例えば乱数回路１２４等により、演出動作を制御するために用いられる各種の乱数値を示す数値データが更新可能にカウントされる。こうした演出動作を制御するために用いられる乱数は、演出用乱数ともいう。
【００７３】
図２に示す演出制御基板１２に搭載されたＲＯＭ１２１には、演出制御用のプログラムの他にも、演出動作を制御するために用いられる各種のデータテーブル等が格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータ等が記憶されている。演出制御基板１２に搭載されたＲＡＭ１２２には、演出動作を制御するために用いられる各種データが記憶される。
【００７４】
演出制御基板１２に搭載された表示制御部１２３は、演出制御用ＰＣＵ１２０からの表示制御指令等に基づき、画像表示装置５における表示動作の制御内容を決定する。例えば、表示制御部１２３は、画像表示装置５の表示領域内に表示させる演出画像の切り換えタイミングを決定すること等により、飾り図柄の可変表示や各種の演出表示を実行させるための制御を行う。一例として、表示制御部１２３には、ＶＤＰ、ＣＧＲＯＭ、ＶＲＡＭ、ＬＣＤ駆動回路等が搭載されていればよい。なお、ＶＤＰは、ＧＰＵ、ＧＣＬ、あるいは、より一般的にＤＳＰと称される画像処理用のマイクロプロセッサであってもよい。ＣＧＲＯＭは、例えば書き換え不能な半導体メモリであってもよいし、フラッシュメモリ等の書き換え可能な半導体メモリであってもよく、あるいは、磁気メモリ、光学メモリといった、不揮発性記録媒体のいずれかを用いて構成されたものであればよい。
【００７５】
演出制御基板１２に搭載されたＩ／Ｏ１２５は、例えば主基板１１等から伝送された演出制御コマンドを取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令、ランプ制御基板１４へと伝送される指令、モータ駆動回路１６へと伝送される指令等が出力される。
【００７６】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作されたことに基づいて、所定の打球発射装置が備える発射モータ等により、遊技媒体としての遊技球が遊技領域に向けて発射される。遊技領域を流下した遊技球が、普通入賞球装置６Ａに形成された第１始動入賞口を通過する始動入賞が発生したときに、図２に示す第１始動口スイッチ２２Ａによって遊技球が検出されたこと等により、第１始動条件が成立する。その後、例えば前回の特図ゲームや大当り遊技状態又は小当り遊技状態が終了したこと等により第１開始条件が成立したことに基づいて、第１特別図柄表示装置４Ａによる第１特図を用いた特図ゲームが開始される。
【００７７】
また、遊技球が普通可変入賞球装置６Ｂに形成された第２始動入賞口を通過する始動入賞が発生したときに、図２に示す第２始動口スイッチ２２Ｂによって遊技球が検出されたこと等により第２始動条件が成立する。その後、例えば前回の特図ゲームや大当り遊技状態又は小当り遊技状態が終了したこと等により第２開始条件が成立したことに基づいて、第２特別図柄表示装置４Ｂによる第２特図を用いた特図ゲームが開始される。但し、普通可変入賞球装置６Ｂが第２可変状態としての通常開放状態や閉鎖状態であるときには、第２始動入賞口を遊技球が通過困難又は通過不可能である。
【００７８】
通過ゲート４１を通過した遊技球が図２に示すゲートスイッチ２１によって検出されたことに基づいて、普通図柄表示器２０にて普通図柄の可変表示を実行するための普図始動条件が成立する。その後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、所定時間が経過すると、普通図柄の可変表示結果となる確定普通図柄を停止表示する。このとき、確定普通図柄として特定の普通図柄が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御や拡大開放制御が行われ、所定時間が経過すると垂直位置に戻る閉鎖制御や通常開放制御が行われる。
【００７９】
第１特別図柄表示装置４Ａによる第１特図を用いた特図ゲームが開始されるときや、第２特別図柄表示装置４Ｂによる第２特図を用いた特図ゲームが開始されるときには、特別図柄の可変表示結果を予め定められた特定表示結果としての「大当り」にするか否かが、その可変表示結果を導出表示する以前に決定される。そして、可変表示結果の決定に基づく所定割合で、変動パターンの決定等が行われ、可変表示結果や変動パターンを指定する演出制御コマンドが、図２に示す主基板１１の遊技制御用マイクロコンピュータ１００から演出制御基板１２に向けて伝送される。
【００８０】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、画像表示装置５の表示領域に配置された「左」、「中」、「右」の飾り図柄表示エリア５Ｌ、５Ｃ、５Ｒでは、特別図柄とは異なる飾り図柄の可変表示が行われる。第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、画像表示装置５において飾り図柄の可変表示結果となる確定飾り図柄が導出表示される。
【００８１】
特別図柄の可変表示結果として予め定められた大当り図柄が導出表示されたときには、可変表示結果が「大当り」となり、遊技者にとって有利な特定遊技状態としての大当り遊技状態に制御される。即ち、大当り遊技状態に制御されるか否かは、可変表示結果が「大当り」となるか否かに対応しており、その可変表示結果を導出表示する以前に決定される。特別図柄の可変表示結果として、大当り図柄とは異なる小当り図柄が導出表示されたときには、可変表示結果が「小当り」となり、特定遊技状態とは異なる特殊遊技状態としての小当り遊技状態に制御される。特別図柄の可変表示結果として、大当り図柄と小当り図柄のいずれも導出表示されず、ハズレ図柄が導出表示されたときには、可変表示結果が「ハズレ」となる。
【００８２】
一例として、「３」、「５」、「７」の数字を示す特別図柄を大当り図柄とし、「１」の数字を示す特別図柄を小当り図柄とし、「−」の記号を示す特別図柄をハズレ図柄とする。なお、第１特別図柄表示装置４Ａによる特図ゲームにおける大当り図柄や小当り図柄やハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄や小当り図柄やハズレ図柄となるようにしてもよい。
【００８３】
大当り遊技状態では、大入賞口が開放状態となって特別可変入賞球装置７が遊技者にとって有利な第１状態となる。そして、所定期間、あるいは所定個数の遊技球が大入賞口に進入して入賞球が発生するまでの期間にて、大入賞口を継続して開放状態とするラウンド遊技が実行される。こうしたラウンド遊技の実行期間以外の期間では、大入賞口が閉鎖状態となり、入賞球が発生困難又は発生不可能となる。大入賞口に遊技球が進入したときには、カウントスイッチ２３により入賞球が検出され、その検出毎に所定個数の遊技球が賞球として払い出される。大当り遊技状態におけるラウンド遊技は、所定の上限回数に達するまで繰り返し実行される。
【００８４】
特図表示結果が「大当り」となる場合には、大当り種別が「非確変」、「確変」、「突確」のいずれかとなる場合が含まれている。例えば、特別図柄の可変表示結果として、「３」の数字を示す大当り図柄が導出表示されたときには大当り種別が「非確変」となり、「７」の数字を示す大当り図柄が導出表示されたときには大当り種別が「確変」となり、「５」の数字を示す大当り図柄が導出表示されたときには大当り種別が「突確」となる。
大当り種別が「非確変」又は「確変」となった場合には、大当り遊技状態におけるラウンド遊技として、特別可変入賞球装置７を遊技者にとって有利な第１状態とする上限時間が比較的に長い時間となる通常開放ラウンドが実行される。一方、大当り種別が「突確」となった場合には、大当り遊技状態におけるラウンド遊技として、特別可変入賞球装置７を第１状態とする上限時間が比較的に短い時間となる短期開放ラウンドが実行される。通常開放ラウンドが実行される大当り遊技状態は、第１特定遊技状態ともいう。短期開放ラウンドが実行される大当り遊技状態は、第２特定遊技状態ともいう。
【００８５】
大当り種別が「突確」である場合の大当り遊技状態では、短期開放ラウンドにて特別可変入賞球装置７を遊技者にとって有利な第１状態に変化させる上限時間が、通常開放ラウンドにおける第１期間よりも短い第２期間となる。なお、短期開放ラウンドにて大入賞口の開放期間が第２期間となるように制御される以外は、通常開放ラウンドが実行される場合と同様の制御が行われるようにしてもよい。あるいは、短期開放ラウンドが実行される場合には、ラウンド遊技の実行回数が、通常開放ラウンドの実行回数である第１ラウンド数よりも少ない第２ラウンド数となるようにしてもよい。即ち、短期開放ラウンドが実行される大当り遊技状態は、通常開放ラウンドが実行される大当り遊技状態に比べて、各ラウンド遊技にて大入賞口を遊技球が通過し易い第１状態に変化させる第１期間よりも短い第２期間となることと、ラウンド遊技の実行回数が第１ラウンド数よりも少ない第２ラウンド数となることのうち、少なくともいずれか一方となるものであればよい。
【００８６】
このような短期開放ラウンドが実行される場合には、大入賞口に遊技球が入賞すれば所定個数の出玉が得られる。しかし、大入賞口の開放期間が第２期間であること等により、実質的には出玉が得られない大当り遊技状態となる。
【００８７】
特別図柄の可変表示結果として予め定められた小当り図柄が導出表示されたときには、可変表示結果が「小当り」となり、特殊遊技状態としての小当り遊技状態に制御される。
この小当り遊技状態では、短期開放ラウンドと同様に特別可変入賞球装置７において大入賞口を開放状態として遊技者にとって有利な第１状態に変化させる可変入賞動作が行われる。即ち、小当り遊技状態では、例えば特別可変入賞球装置７を第２期間にわたり第１状態とする動作が繰り返し実行される。小当り遊技状態が終了した後には、可変表示結果が「小当り」となる以前の遊技状態が維持されればよい。
【００８８】
大当り遊技状態が終了した後には、所定の確変制御条件が成立したことに基づいて、可変表示結果が「大当り」となる確率が通常状態よりも高くなる確変状態に制御されることがある。確変状態は、所定回数の可変表示が実行されること、あるいは次回の大当り遊技状態が開始されることといった、所定の確変終了条件が成立するまで、継続するように制御される。また、大当り遊技状態が終了した後には、平均的な可変表示時間が通常状態よりも短くなる時短状態に制御されることがある。時短状態は、所定回数の可変表示が実行されたことと、次回の大当り遊技状態が開始されたことのうち、いずれか一方の時短終了条件が先に成立するまで、継続するように制御される。
【００８９】
一例として、大当り種別が「非確変」である場合に大当り遊技状態が終了した後には、遊技状態が時短状態となる。一方、大当り種別が「確変」又は「突確」である場合に大当り遊技状態が終了した後には、遊技状態が確変状態となる。小当り遊技状態が終了した後には、小当り遊技状態となる以前の遊技状態が継続する。但し、可変表示結果が「小当り」となる特図ゲームが実行されたときに、確変状態や時短状態における特図ゲームの実行回数が所定回数に達していれば、小当り遊技状態の終了後には、確変状態や時短状態が終了して通常状態になることがある。
【００９０】
確変状態や時短状態では、通常状態よりも第２始動入賞口を遊技球が通過し易い有利変化態様で、普通可変入賞球装置６Ｂを第１可変状態と第２可変状態とに変化させる。例えば、普通図柄表示器２０による普図ゲームにおける普通図柄の変動時間を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１可変状態と第２可変状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１可変状態と第２可変状態とに変化させる制御は、高開放制御と称される。こうした確変状態や時短状態に制御されることにより、次に可変表示結果が「大当り」となるまでの所要時間が短縮され、通常状態よりも遊技者にとって有利な特別遊技状態となる。
【００９１】
確変状態にて確変制御が行われるときでも、高開放制御が行われない場合があってもよい。例えば高開放制御が行われていないときに可変表示結果が「大当り」で大当り種別が「突確」となった場合には、大当り遊技状態の終了後に確変状態となり確変制御が行われるものの、高開放制御が行われないようにしてもよい。なお、可変表示結果が「大当り」で大当り種別が「突確」となる以前の遊技状態が確変状態や時短状態であって高開放制御を伴う時短制御が行われていたときには、大当り遊技状態の終了後も高開放制御を伴う時短制御が行われるようにしてもよい。
【００９２】
パチンコ遊技機１において遊技媒体として用いられる遊技球や、その個数に対応して付与される得点の記録情報は、例えば数量に応じて特殊景品や一般景品に交換可能な有価価値を有するものであればよい。あるいは、これらの遊技球や得点の記録情報は、特殊景品や一般景品には交換できないものの、パチンコ遊技機１で再度の遊技に使用可能な有価価値を有するものであってもよい。
【００９３】
また、パチンコ遊技機１において付与可能となる遊技価値は、賞球となる遊技球の払い出しや得点の付与に限定されず、例えば大当り遊技状態に制御することや、確変状態等の特別遊技状態に制御すること、大当り遊技状態にて実行可能なラウンド遊技の上限回数が第２ラウンド数よりも多い第１ラウンド数となること、時短状態にて実行可能な可変表示の上限回数が第２回数よりも多い第１回数となること、確変状態における大当り確率が第２確率よりも高い第１確率となること、通常状態に制御されることなく大当り遊技状態に繰り返し制御される回数である連チャン回数が第２連チャン数よりも多い第１連チャン数となることの一部又は全部といった、遊技者にとって有利な遊技状況となることが含まれていてもよい。
【００９４】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示態様が所定のリーチ態様となることがある。
【００９５】
ここで、リーチ態様とは、画像表示装置５の表示領域にて停止表示された飾り図柄が大当り組み合わせの一部を構成しているときに未だ停止表示されていない飾り図柄については変動が継続している表示態様、あるいは、全部又は一部の飾り図柄が大当り組み合わせの全部又は一部を構成しながら同期して変動している表示態様のことである。具体的には、「左」、「中」、「右」の飾り図柄表示エリア５Ｌ、５Ｃ、５Ｒにおける一部では予め定められた大当り組み合わせを構成する飾り図柄が停止表示されているときに未だ停止表示していない残りの飾り図柄表示エリアでは飾り図柄が変動している表示態様、あるいは、「左」、「中」、「右」の飾り図柄表示エリア５Ｌ、５Ｃ、５Ｒにおける全部又は一部で飾り図柄が大当り組み合わせの全部又は一部を構成しながら同期して変動している表示態様である。
【００９６】
また、リーチ態様となったことに対応して、飾り図柄の変動速度を低下させたり、画像表示装置５の表示領域に飾り図柄とは異なるキャラクタ画像を表示させたり、背景画像の表示態様を変化させたり、飾り図柄とは異なる動画像を再生表示させたり、飾り図柄の変動態様を変化させたりすることで、リーチ態様となる以前とは異なる演出動作が実行される場合がある。このようなキャラクタ画像の表示や背景画像の表示態様の変化、動画像の再生表示、飾り図柄の変動態様の変化といった演出動作を、リーチ演出表示という。なお、リーチ演出には、画像表示装置５における表示動作のみならず、スピーカ８Ｌ、８Ｒによる音声出力動作や、遊技効果ランプ９等の発光体における点灯動作等を、リーチ態様となる以前の動作態様とは異なる動作態様とすることが、含まれていてもよい。
【００９７】
リーチ演出における演出動作としては、互いに動作態様が異なる複数種類の演出パターンが、予め用意されていればよい。そして、それぞれのリーチ演出における演出態様に応じて、「大当り」となる可能性が異なる。即ち、複数種類のリーチ演出のいずれが実行されるかに応じて、可変表示結果が「大当り」となる可能性を異ならせることができる。この実施の形態では、一例として、ノーマル、スーパーＡ、スーパーＢといったリーチ演出が予め設定されている。そして、スーパーＡやスーパーＢといったスーパーリーチのリーチ演出が実行された場合には、ノーマルのリーチ演出が実行された場合に比べて、可変表示結果が「大当り」となる可能性が高くなる。また、スーパーリーチのリーチ演出のうちでも、スーパーＢといった特定のリーチ演出が実行された場合には、スーパーＡのリーチ演出が実行された場合に比べて、大当り期待度が高くなる。
【００９８】
飾り図柄の可変表示中には、リーチ演出等の可変表示演出とは異なり、例えば所定のキャラクタ画像やメッセージ画像といった演出画像を表示すること等のように、飾り図柄の可変表示動作とは異なる演出動作により、飾り図柄の可変表示態様がリーチ態様となる可能性があることや、可変表示結果が「大当り」となる可能性があることを、遊技者に報知するための予告演出が実行されることがある。予告演出となる演出動作は、「左」、「中」、「右」の飾り図柄表示エリア５Ｌ、５Ｃ、５Ｒの全部にて飾り図柄の可変表示が開始されてから、飾り図柄の可変表示態様がリーチ態様となるより前に実行されるものであればよい。また、可変表示結果が「大当り」となる可能性があることを報知する予告演出には、飾り図柄の可変表示態様がリーチ態様となった後に実行されるものが含まれていてもよい。予告演出となる演出動作は、それが実行されるか否かによっては特別図柄の可変表示時間に変化が生じないものであればよい。
【００９９】
こうした飾り図柄の可変表示動作とは異なる演出動作による予告演出としては、例えば可動演出部材６０を動作させる可動物予告演出が実行される。可動物予告演出は、飾り図柄の可変表示中に、可動演出部材６０を所定の演出態様で動作させる予告演出である。
【０１００】
図３は、ＲＯＭ１２１に記憶される可動物予告演出決定テーブルによる可動物予告演出の決定割合等を示している。可動物予告演出決定テーブルは、可変表示結果が「大当り」となる可能性等を予告する可動物予告演出を実行するか否かを決定したり、実行する場合における可動物予告演出の種類を決定したりするために参照されるテーブルである。図３（Ａ）に示す決定割合となるように、可動物予告演出決定テーブルでは、変動パターンの種類に応じて、可動物予告演出決定用の乱数値と比較される数値が、可動物予告演出を実行しない予告なし、あるいは、可動物予告演出の演出パターンである可動物予告演出ＹＰＡ１〜ＹＰＡ７のいずれかに対して、割り当てられている。なお、変動パターンの種類に応じて決定値が割り当てられているものに限定されず、個別の変動パターンに応じて決定値が割り当てられるものであってもよいし、可変表示結果や可変表示態様に応じて決定値が割り当てられるものであってもよい。可変表示結果に応じて決定値を割り当てる場合には、例えば、可変表示結果が「大当り」、「小当り」、「ハズレ」のいずれであるかに応じて決定値を割り当てればよく、可変表示結果が「大当り」となる場合に大当り種別が「非確変」、「確変」、「突確」のいずれであるかに応じて決定値を割り当てるようにしてもよい。また、可変表示態様に応じて決定値を割り当てる場合には、例えば、スーパーリーチが実行されるか否かや、スーパーリーチとなる場合に「スーパーＡ」、「スーパーＢ」のいずれであるかに応じて決定値を割り当てるようにしてもよい。このように、可動物予告演出では、複数態様の可動物予告演出のうちのいずれが実行されるかにより、可変表示結果が「大当り」となることの他、確変状態に制御されること、スーパーリーチが実行されること等の遊技者にとって有利な有利状態に制御される割合が示唆されればよい。ここで、遊技者にとって有利な有利状態には、例えば大当り遊技状態に制御することや、確変状態等の特別遊技状態に制御すること、大当り遊技状態にて実行可能なラウンド遊技の上限回数が第２ラウンド数よりも多い第１ラウンド数となること、時短状態にて実行可能な可変表示の上限回数が第２回数よりも多い第１回数となること、確変状態における大当り確率が第２確率よりも高い第１確率となること、通常状態に制御されることなく大当り遊技状態に繰り返し制御される回数である連チャン回数が第２連チャン数よりも多い第１連チャン数となることの一部又は全部といった、遊技者にとって有利な遊技状況となることが含まれていればよい。
【０１０１】
図３（Ｂ）は、可動物予告演出決定テーブルを用いて決定される可動物予告演出における演出態様を示している。この実施の形態では、可動演出部材６０が退避位置から進出位置へ向けて移動した後に退避位置へ向けて戻る後退時に、可動演出部材６０を回転させる態様の可動物予告演出ＹＰＡ４〜ＹＰＡ７と、回転させない態様の可動物予告演出ＹＰＡ１〜ＹＰＡ３とが設定されている。
【０１０２】
また、この実施の形態では、可動演出部材６０が退避位置から進出位置へ向けて移動した後に退避位置へ向けて戻る後退時に、可動演出部材６０に内蔵された装飾用ＬＥＤといった発光体をフラッシュ点灯させる態様の可動物予告演出ＹＰＡ６、ＹＰＡ７と、フラッシュ点灯させない態様のＹＰＡ１〜ＹＰＡ５とが設定されている。ここで、フラッシュ点灯とは、例えば、装飾用ＬＥＤといった発光体をカメラのストロボのように発光させる点灯態様である。
【０１０３】
また、この実施の形態では、可動演出部材６０が動作しているとき、即ち、可動演出部材６０が退避位置から進出位置へ向けて移動する進出時とその後に退避位置へ向けて戻る後退時に、画像表示装置５にエフェクトを表示させる態様の可動物予告演出ＹＰＡ３、ＹＰＡ５、ＹＰＡ７と、エフェクトを表示させない態様の可動物予告演出ＹＰＡ１、ＹＰＡ２、ＹＰＡ４、ＹＰＡ６とが設定されている。ここで、エフェクトとは、例えば、可動演出部材６０の動きに合わせて、画像表示装置５の表示領域における可動演出部材６０の周囲の表示領域に、点滅する所定画像や光る所定画像を表示することである。
【０１０４】
また、この実施の形態では、可動演出部材６０が進出位置まで移動する態様の可動物予告演出ＹＰＡ２〜ＹＰＡ７と、可動演出部材６０が進出位置まで移動せずに、その途中の一部進出位置までしか移動しない態様の可動物予告演出ＹＰＡ１とが設定されている。例えば、可動物予告演出ＹＰＡ１では、可動演出部材６０を一部進出位置にて上下に揺動させることにより、可動演出部材６０が進出位置まで移動する可能性があることを示唆するようにしてもよい。
【０１０５】
即ち、可動物予告演出ＹＰＡ１〜ＹＰＡ７は、可動演出部材６０が進出位置まで移動するか否か、可動演出部材６０の進出時から画像表示装置５にエフェクトが表示されるか否か、可動演出部材６０の後退時に可動演出部材６０が回転するか否か、可動演出部材６０の後退時に発光体がフラッシュ点灯するか否かといった演出態様の組み合わせが異なる演出を実行するものであればよい。
【０１０６】
図３（Ａ）に示す設定例では、変動パターンの種類がスーパーリーチ（ハズレ）の変動パターンであるかスーパーリーチ（大当り）の変動パターンである場合にのみ可動物予告演出が実行されるように設定されており、スーパーリーチ（ハズレ）の変動パターンである場合には２１％の割合で可動物予告演出が実行され、スーパーリーチ（大当り）の変動パターンである場合には９９％の割合で可動物予告演出が実行されるように設定されている。こうした設定等により、可動物予告演出が実行された場合には、可動物予告演出が実行されなかった場合に比べて、大当り期待度が高くなる。
【０１０７】
また、図３（Ａ）に示す設定例では、可動物予告演出における演出態様のうち、可動演出部材６０の後退時に可動演出部材６０が回転するか否かの演出態様のみが異なり、その他の演出態様が共通の態様である、可動物予告演出ＹＰＡ２と可動物予告演出ＹＰＡ４とを比較すると、スーパーリーチ（ハズレ）の変動パターンである場合には、可動演出部材６０が回転する可動物予告演出ＹＰＡ４よりも、可動演出部材６０が回転しない可動物予告演出ＹＰＡ２に決定され易く、スーパーリーチ（大当り）の変動パターンである場合には、可動物予告演出ＹＰＡ２よりも可動物予告演出ＹＰＡ４に決定され易い。こうした設定等により、可動物予告演出ＹＰＡ４が実行された場合には、可動物予告演出ＹＰＡ２が実行された場合に比べて、大当り期待度が高くなる。換言すれば、可動演出部材６０の後退時に可動演出部材６０が回転した場合には、回転しなかった場合に比べて、大当り期待度が高くなる。なお、可動物予告演出ＹＰＡ３と可動物予告演出ＹＰＡ５との関係についても同様のことが言える。
【０１０８】
このような構成においては、可動演出部材６０の後退時に可動演出部材６０が回転するか否かに注目させることができ、興趣を高めることができる。
【０１０９】
また、図３（Ａ）に示す設定例では、可動物予告演出における演出態様のうち、可動演出部材６０の後退時に発光体がフラッシュ点灯するか否かの演出態様のみが異なり、その他の演出態様が共通の態様である、可動物予告演出ＹＰＡ４と可動物予告演出ＹＰＡ６とを比較すると、スーパーリーチ（ハズレ）の変動パターンである場合には、発光体がフラッシュ点灯する可動物予告演出ＹＰＡ６よりも、発光体がフラッシュ点灯しない可動物予告演出ＹＰＡ４に決定され易く、スーパーリーチ（大当り）の変動パターンである場合には、可動物予告演出ＹＰＡ４よりも可動物予告演出ＹＰＡ６に決定され易い。こうした設定等により、可動物予告演出ＹＰＡ６が実行された場合には、可動物予告演出ＹＰＡ４が実行された場合に比べて、大当り期待度が高くなる。換言すれば、可動演出部材６０の後退時に発光体がフラッシュ点灯した場合には、フラッシュ点灯しなかった場合に比べて、大当り期待度が高くなる。なお、可動物予告演出ＹＰＡ５と可動物予告演出ＹＰＡ７との関係についても同様のことが言える。
【０１１０】
このような構成においては、可動演出部材６０の後退時に発光体がフラッシュ点灯するか否かに注目させることができ、興趣を高めることができる。
【０１１１】
このように、この実施の形態では、可動演出部材６０の後退時の演出態様には、可動演出部材６０が回転するか否かといった可動演出部材６０そのものの演出態様の他、発光体がフラッシュ点灯するか否かといった可動演出部材６０以外の演出手段の演出態様が含まれる。
【０１１２】
また、図３（Ａ）に示す設定例では、可動物予告演出における演出態様のうち、可動演出部材６０の進出時から画像表示装置５にエフェクトが表示されるか否かの演出態様と、可動演出部材６０の後退時における可動演出部材６０や発光体の演出態様との組み合わせが異なる、可動物予告演出ＹＰＡ２〜ＹＰＡ７を比較すると、スーパーリーチ（ハズレ）の変動パターンである場合には、可動演出部材６０の後退時における可動演出部材６０や発光体の演出態様が同じ可動物予告演出のうち、可動演出部材６０の進出時から画像表示装置５にエフェクトが表示される可動物予告演出ＹＰＡ３よりも、エフェクトが表示されない動物予告演出ＹＰＡ２に決定され易く、スーパーリーチ（大当り）の変動パターンである場合には、可動物予告演出ＹＰＡ２よりも可動物予告演出ＹＰＡ３に決定され易い。
こうした設定等により、可動物予告演出ＹＰＡ３が実行された場合には、可動物予告演出ＹＰＡ２が実行された場合に比べて、大当り期待度が高くなる。換言すれば、可動演出部材６０の後退時における可動演出部材６０や発光体の演出態様が同じであれば、可動演出部材６０の進出時から画像表示装置５にエフェクトが表示された場合には、表示されなかった場合に比べて、大当り期待度が高くなる。なお、可動物予告演出ＹＰＡ４と可動物予告演出ＹＰＡ５との関係や、可動物予告演出ＹＰＡ６と可動物予告演出ＹＰＡ７との関係についても同様のことが言える。
【０１１３】
また、スーパーリーチ（ハズレ）の変動パターンである場合には、可動演出部材６０の後退時における発光体の演出態様が同じ可動物予告演出のうち、可動演出部材６０の進出時から画像表示装置５にエフェクトが表示されるが可動演出部材６０の後退時に可動演出部材６０が回転しない可動物予告演出ＹＰＡ３よりも、可動演出部材６０の進出時から画像表示装置５にエフェクトが表示されないが可動演出部材６０の後退時に可動演出部材６０が回転する動物予告演出ＹＰＡ４に決定され易く、スーパーリーチ（大当り）の変動パターンである場合には、可動物予告演出ＹＰＡ４よりも可動物予告演出ＹＰＡ３に決定され易い。こうした設定等により、可動物予告演出ＹＰＡ３が実行された場合には、可動物予告演出ＹＰＡ４が実行された場合に比べて、大当り期待度が高くなる。換言すれば、可動演出部材６０の後退時における発光体の演出態様が同じであれば、可動演出部材６０の後退時に可動演出部材６０が回転しなくても可動演出部材６０の進出時から画像表示装置５にエフェクトが表示された場合には、可動演出部材６０の後退時に可動演出部材６０が回転するが可動演出部材６０の進出時から画像表示装置５にエフェクトが表示されなかった場合に比べて、大当り期待度が高くなる。
【０１１４】
また、スーパーリーチ（ハズレ）の変動パターンである場合には、可動演出部材６０の後退時における可動演出部材６０の演出態様が同じ可動物予告演出のうち、可動演出部材６０の進出時から画像表示装置５にエフェクトが表示されるが可動演出部材６０の後退時に発光体がフラッシュ点灯しない可動物予告演出ＹＰＡ５よりも、可動演出部材６０の進出時から画像表示装置５にエフェクトが表示されないが可動演出部材６０の後退時に発光体がフラッシュ点灯する動物予告演出ＹＰＡ６に決定され易く、スーパーリーチ（大当り）の変動パターンである場合には、可動物予告演出ＹＰＡ６よりも可動物予告演出ＹＰＡ５に決定され易い。こうした設定等により、可動物予告演出ＹＰＡ５が実行された場合には、可動物予告演出ＹＰＡ６が実行された場合に比べて、大当り期待度が高くなる。換言すれば、可動演出部材６０の後退時における可動演出部材６０の演出態様が同じであれば、可動演出部材６０の後退時に発光体がフラッシュ点灯しなくても可動演出部材６０の進出時から画像表示装置５にエフェクトが表示された場合には、可動演出部材６０の後退時に発光体がフラッシュ点灯するが可動演出部材６０の進出時から画像表示装置５にエフェクトが表示されなかった場合に比べて、大当り期待度が高くなる。
【０１１５】
このように、この実施の形態では、可動演出部材６０の後退時における演出態様にのみ注目すれば、可動演出部材６０が回転する場合には回転しない場合に比べて大当り期待度が高く、発光体がフラッシュ点灯する場合にはフラッシュ点灯しない場合に比べて大当り期待度が高い。しかしながら、可動演出部材６０の進出時からの演出態様にも注目すると、可動演出部材６０の進出時から画像表示装置５にエフェクトが表示されるか否かにより、可動演出部材６０の後退時に可動演出部材６０が回転しない場合でも回転する場合に比べて大当り期待度が高いことがあり、可動演出部材６０の後退時に発光体がフラッシュ点灯しない場合でもフラッシュ点灯する場合に比べて大当り期待度が高い場合がある。即ち、この実施の形態では、可動演出部材６０の進出時における演出態様と、可動演出部材６０の後退時における演出態様との組み合わせにより、可動演出部材６０の後退時における演出態様にのみ注目したときとは大当り期待度が逆転することもある。
【０１１６】
このような構成においては、可動演出部材６０の進出時における画像表示装置５の演出態様と、可動演出部材６０の後退時における可動演出部材６０や発光体の演出態様との組み合わせに注目させることができ、可動演出部材６０の後退時における興趣を高めることができる。
【０１１７】
また、図３（Ａ）に示す設定例では、スーパーリーチ（大当り）の変動パターンである場合にのみ可動物予告演出ＹＰＡ７が実行されるように設定されている。こうした設定等により、可動物予告演出ＹＰＡ７が実行された場合には、可変表示結果が「大当り」となることが確定的に報知される。
【０１１８】
図４は、スーパーリーチ演出を実行した後に可変表示結果が導出される変動パターンにおいて、可動物予告演出ＹＰＡ３が実行される演出動作例を示している。この演出動作例では、飾り図柄の可変表示態様がリーチ態様となったことに基づいて、ノーマルリーチ演出が実行されてから、図４（Ａ）に示すように可動演出部材６０が画像表示装置５における表示領域の前面に進出する可動物予告演出ＹＰＡ３の進出動作が実行される。このとき、可動演出部材６０は、初期位置となる表示領域の上縁部の近傍における退避位置から、表示領域の前面にて「中」の飾り図柄表示エリア５Ｃを覆うような進出位置へと向かう可動演出方向に、移動して進出するように動作すればよい。可動演出部材６０の進出に伴い、画像表示装置５の表示領域には可動物予告演出ＹＰＡ３の実行に伴うエフェクト画像が表示される。
【０１１９】
その後、図４（Ｂ）に示すように可動演出部材６０が画像表示装置５における表示領域の前面から後退する可動物予告演出ＹＰＡ３の後退動作が実行される。このとき、可動演出部材６０は、進出位置から退避位置へと向かう可動演出方向に、移動して後退するように動作すればよい。可動演出部材６０の後退に伴い、可動演出部材６０は回転することなく移動し、画像表示装置５の表示領域には可動物予告演出ＹＰＡ３の実行に伴うエフェクト画像が表示され、可動演出部材６０に内蔵された装飾用ＬＥＤといった発光体は通常点灯される。
【０１２０】
このように、可動物予告演出の実行に伴う可動演出部材６０の進出時から画像表示装置５にエフェクトが表示された場合には、その後の可動演出部材６０の後退時における可動演出部材６０や発光体の演出態様によっては、例えば、可動物予告演出ＹＰＡ７のように可変表示結果が「大当り」となることが確定的に報知されることもあり得ることから、可動演出部材６０の後退時における演出態様に注目させることができ、興趣を高めることができる。
【０１２１】
その後、図４（Ｃ）、（Ｄ）に示すように、スーパーリーチ演出が実行される。スーパーリーチ演出は、例えば味方のキャラクタＣＡ１が、敵方のキャラクタＣＢ１と対戦するような演出であればよい。そして、バトル演出で味方のキャラクタＣＡ１が敵方のキャラクタＣＢ１との対戦に勝ったときには、大当り図柄となる確定特別図柄と大当り組み合わせを構成する確定飾り図柄とが導出されて、可変表示結果が「大当り」となったことを遊技者が認識可能に報知する。一方、バトル演出で味方のキャラクタＣＡ１が敵方のキャラクタＣＢ１との対戦に負けたときには、ハズレ図柄となる確定特別図柄とリーチハズレ組み合わせを構成する確定飾り図柄とが導出されて、可変表示結果が「ハズレ」となったことを遊技者が認識可能に報知することがある。
【０１２２】
即ち、特図表示結果が「ハズレ」に決定されたことに基づいてスーパーリーチ（ハズレ）の変動パターンが指定された場合には、例えば図４（Ｅ１）に示すような対戦に負けたことを示す演出画像が表示されて、図４（Ｆ１）に示すようなリーチハズレ組み合わせの確定飾り図柄が導出される。一方、特図表示結果が「大当り」に決定されたことに基づいてスーパーリーチ（大当り）の変動パターンが指定された場合には、例えば図４（Ｅ２）に示すような対戦に勝ったことを示す演出画像が表示されて、図４（Ｆ２）に示すような大当り組み合わせの確定飾り図柄が導出される。
【０１２３】
図５は、スーパーリーチ演出を実行した後に可変表示結果が導出される変動パターンにおいて、可動物予告演出ＹＰＡ４が実行される演出動作例を示している。この演出動作例では、飾り図柄の可変表示態様がリーチ態様となったことに基づいて、ノーマルリーチ演出が実行されてから、図５（Ａ）に示すように可動演出部材６０が画像表示装置５における表示領域の前面に進出する可動物予告演出ＹＰＡ４の進出動作が実行される。このとき、可動演出部材６０は、初期位置となる表示領域の上縁部の近傍における退避位置から、表示領域の前面にて「中」の飾り図柄表示エリア５Ｃを覆うような進出位置へと向かう可動演出方向に、移動して進出するように動作すればよい。可動演出部材６０の進出に伴い、画像表示装置５の表示領域には可動物予告演出ＹＰＡ４の実行に伴う通常の演出画像が表示される。この演出動作例では、可動物予告演出ＹＰＡ４の実行に伴いエフェクト画像は表示されないことから、通常の演出画像として、例えば、ノーマルリーチ演出の演出画像が表示されることになる。
【０１２４】
その後、図５（Ｂ）に示すように可動演出部材６０が画像表示装置５における表示領域の前面から後退する可動物予告演出ＹＰＡ４の後退動作が実行される。このとき、可動演出部材６０は、進出位置から退避位置へと向かう可動演出方向に、移動して後退するように動作すればよい。可動演出部材６０の後退に伴い、可動演出部材６０は回転しながら移動し、画像表示装置５の表示領域には可動物予告演出ＹＰＡ３の実行に伴う通常の演出画像が表示され、可動演出部材６０に内蔵された装飾用ＬＥＤといった発光体は通常点灯される。
【０１２５】
このように、可動物予告演出の実行に伴う可動演出部材６０の進出時から画像表示装置５にエフェクトが表示されなかった場合でも、その後の可動演出部材６０の後退時における可動演出部材６０や発光体の演出態様によっては、例えば、可動物予告演出ＹＰＡ６のように大当り期待度が比較的に高いこともあり得ることから、可動演出部材６０の後退時における演出態様に注目させることができ、興趣を高めることができる。
【０１２６】
その後、図４に示す演出動作例と同様に、図５（Ｃ）、（Ｄ）に示すように、スーパーリーチ演出が実行される。そして、特図表示結果が「ハズレ」に決定されたことに基づいてスーパーリーチ（ハズレ）の変動パターンが指定された場合には、例えば図５（Ｅ１）に示すような対戦に負けたことを示す演出画像が表示されて、図５（Ｆ１）に示すようなリーチハズレ組み合わせの確定飾り図柄が導出される。一方、特図表示結果が「大当り」に決定されたことに基づいてスーパーリーチ（大当り）の変動パターンが指定された場合には、例えば図５（Ｅ２）に示すような対戦に勝ったことを示す演出画像が表示されて、図５（Ｆ２）に示すような大当り組み合わせの確定飾り図柄が導出される。
【０１２７】
図６は、スーパーリーチ演出を実行した後に「大当り」の可変表示結果が導出される変動パターンにおいて、可動物予告演出ＹＰＡ７が実行される演出動作例を示している。この演出動作例では、飾り図柄の可変表示態様がリーチ態様となったことに基づいて、ノーマルリーチ演出が実行されてから、図６（Ａ）に示すように可動演出部材６０が画像表示装置５における表示領域の前面に進出する可動物予告演出ＹＰＡ７の進出動作が実行される。このとき、可動演出部材６０は、初期位置となる表示領域の上縁部の近傍における退避位置から、表示領域の前面にて「中」の飾り図柄表示エリア５Ｃを覆うような進出位置へと向かう可動演出方向に、移動して進出するように動作すればよい。可動演出部材６０の進出に伴い、画像表示装置５の表示領域には可動物予告演出ＹＰＡ７の実行に伴うエフェクト画像が表示される。
【０１２８】
このように、可動物予告演出の実行に伴う可動演出部材６０の進出時から画像表示装置５にエフェクトが表示され、その後の可動演出部材６０の後退時において可動演出部材６０が回転すると共に発光体がフラッシュ点灯した場合には、可変表示結果が「大当り」となることが確定的に報知される。
【０１２９】
その後、図６（Ｂ）に示すように可動演出部材６０が画像表示装置５における表示領域の前面から後退する可動物予告演出ＹＰＡ７の後退動作が実行される。このとき、可動演出部材６０は、進出位置から退避位置へと向かう可動演出方向に、移動して後退するように動作すればよい。可動演出部材６０の後退に伴い、可動演出部材６０は回転しながら移動し、画像表示装置５の表示領域には可動物予告演出ＹＰＡ３の実行に伴うエフェクト画像が表示され、可動演出部材６０に内蔵された装飾用ＬＥＤといった発光体はフラッシュ点灯される。
【０１３０】
その後、図４、図５に示す演出動作例と同様に、図６（Ｃ）、（Ｄ）に示すように、スーパーリーチ演出が実行される。そして、特図表示結果が「大当り」に決定されたことに基づいてスーパーリーチ（大当り）の変動パターンが指定されたことから、例えば図６（Ｅ）に示すような対戦に勝ったことを示す演出画像が表示されて、図６（Ｆ）に示すような大当り組み合わせの確定飾り図柄が導出される。
【０１３１】
図７は、スーパーリーチ演出を実行した後に可変表示結果が導出される変動パターンにおいて、可動物予告演出ＹＰＡ１が実行される演出動作例を示している。この演出動作例では、飾り図柄の可変表示態様がリーチ態様となったことに基づいて、ノーマルリーチ演出が実行されてから、図７（Ａ）に示すように画像表示装置５の表示領域の所定縁部に対応する一部進出位置にて、可動演出部材６０が揺動することで、可動物予告演出ＹＰＡ１が実行される。このとき、可動演出部材６０は、例えば画像表示装置５における表示領域の上縁部となる上辺が形成する表示領域の内部と外部との境界部分の付近にて、揺動するように動作すればよい。表示領域の境界部分の付近としては、可動演出部材６０が境界部分の前面に掛かった状態であってもよいし、境界部分の前面には掛からないように表示領域の内部まで進出した状態であってもよい。
【０１３２】
その後、図７（Ｂ）に示すように可動演出部材６０が一部進出位置から後退する可動物予告演出ＹＰＡ１の後退動作が実行される。このとき、可動演出部材６０は、進出位置から退避位置へと向かう可動演出方向に、移動して後退するように動作すればよい。可動演出部材６０の後退に伴い、可動演出部材６０は回転することなく移動し、画像表示装置５の表示領域には可動物予告演出ＹＰＡ３の実行に伴う通常の演出画像が表示され、可動演出部材６０に内蔵された装飾用ＬＥＤといった発光体は通常点灯される。
【０１３３】
このように、可動物予告演出の実行に伴い可動演出部材６０が一部進出位置にて揺動した場合には、可動演出部材６０が進出位置まで移動することを期待させることができる。
また、可動物予告演出ＹＰＡ１のように、可動演出部材６０が一部進出位置までしか移動せずに揺動することがある場合には、可動演出部材６０が進出位置まで移動する態様の可動物予告演出ＹＰＡ２〜ＹＰＡ７においても、可動演出部材６０が一部進出位置まで移動したときに揺動した後に、進出位置まで移動することがあるようにすればよい。このような構成とすることにより、可動演出部材６０が一部進出位置にて揺動することにより、可動演出部材６０が進出位置まで移動することを期待させる効果を高めることができる。
【０１３４】
なお、可動演出部材６０が一部進出位置までしか移動しない場合には、可動演出部材６０が戻る距離や時間が短いため、可動演出部材６０が戻るときの演出態様を異ならせたとしても、遊技者が認識することが困難、又は認識することができないことから、この実施の形態では、可動演出部材６０が一部進出位置までしか移動しないことに対応する可動物予告演出の態様としては、可動物予告演出ＹＰＡ１の演出態様しか用意されておらず、可動演出部材６０が一部進出位置までしか移動せずに戻るときには、常に同じ態様となり、戻り方によって大当り期待度は示唆されない。
【０１３５】
その後、図４や図５に示す演出動作例と同様に、図７（Ｃ）、（Ｄ）に示すように、スーパーリーチ演出が実行される。そして、特図表示結果が「ハズレ」に決定されたことに基づいてスーパーリーチ（ハズレ）の変動パターンが指定された場合には、例えば図７（Ｅ１）に示すような対戦に負けたことを示す演出画像が表示されて、図７（Ｆ１）に示すようなリーチハズレ組み合わせの確定飾り図柄が導出される。一方、特図表示結果が「大当り」に決定されたことに基づいてスーパーリーチ（大当り）の変動パターンが指定された場合には、例えば図７（Ｅ２）に示すような対戦に勝ったことを示す演出画像が表示されて、図７（Ｆ２）に示すような大当り組み合わせの確定飾り図柄が導出される。
【０１３６】
（変形例１）上記実施の形態では、大当り期待度が異なる複数態様の可動物予告演出には、可変表示結果が「大当り」となることを確定的に報知する可動物予告演出ＹＰＡ７が含まれるものとして説明した。これに対して、可動物予告演出には可変表示結果が「大当り」となることを確定的に報知する態様のものを含めないようにし、可動物予告演出とは異なる演出として、可変表示結果が「大当り」となることを確定的に報知する大当り確定演出を実行するようにしてもよい。そして、大当り確定演出においても、可動物予告演出のように、可動演出部材６０が退避位置から進出位置へ向けて移動した後に退避位置へ向けて戻るような演出を実行するようにしてもよい。その場合、大当り確定演出にて可動演出部材６０が退避位置へ向けて戻るときの態様は、複数態様の可動物予告演出におけるいずれの態様とも異なるようにすればよい。
【０１３７】
図８は、スーパーリーチ演出を実行した後に「大当り」の可変表示結果が導出されるスーパーリーチ（大当り）の変動パターンにおいて、変形例１の可動物予告演出ＹＰＡ７と大当り確定演出とが実行される演出動作例を示している。変形例１では、可動物予告演出ＹＰＡ７について、可変表示結果が「大当り」となることを確定的に報知しないようにするために、例えば、図３に示す可動物予告演出決定テーブルによる可動物予告演出の決定割合にて、スーパーリーチ（ハズレ）の変動パターンである場合にも、可動物予告演出ＹＰＡ７に決定され得るように設定されていればよい。その際、スーパーリーチ（ハズレ）の変動パターンである場合には、他の態様の可動物予告演出よりも可動物予告演出ＹＰＡ７には決定され難いような決定割合とし、スーパーリーチ（大当り）の変動パターンである場合には、他の態様の可動物予告演出よりも可動物予告演出ＹＰＡ７に決定され易いような決定割合とすることにより、可動物予告演出ＹＰＡ７が実行された場合には、他の態様の可動物予告演出が実行された場合よりも、大当り期待度が高くなるようにすればよい。
【０１３８】
変形例１の演出動作例では、飾り図柄の可変表示態様がリーチ態様となったことに基づいて、ノーマルリーチ演出が実行されてから、図８（Ａ）に示すように可動演出部材６０が画像表示装置５における表示領域の前面に進出する可動物予告演出ＹＰＡ７の進出動作が実行される。このとき、可動演出部材６０は、初期位置となる表示領域の上縁部の近傍における退避位置から、表示領域の前面にて「中」の飾り図柄表示エリア５Ｃを覆うような進出位置へと向かう可動演出方向に、移動して進出するように動作すればよい。可動演出部材６０の進出に伴い、画像表示装置５の表示領域には可動物予告演出ＹＰＡ７の実行に伴うエフェクト画像が表示される。
【０１３９】
その後、図８（Ｂ）に示すように可動演出部材６０が画像表示装置５における表示領域の前面から後退する可動物予告演出ＹＰＡ７の後退動作が実行される。このとき、可動演出部材６０は、進出位置から退避位置へと向かう可動演出方向に、移動して後退するように動作すればよい。可動演出部材６０の後退に伴い、可動演出部材６０は回転しながら移動し、画像表示装置５の表示領域には可動物予告演出ＹＰＡ３の実行に伴うエフェクト画像が表示され、可動演出部材６０に内蔵された装飾用ＬＥＤといった発光体はフラッシュ点灯される。
【０１４０】
その後、図８（Ｃ）、（Ｄ）に示すように、スーパーリーチ演出が実行されてから、図８（Ｅ）に示すように可動演出部材６０が画像表示装置５における表示領域の前面に進出する大当り確定演出の進出動作が実行される。このとき、可動演出部材６０は、初期位置となる表示領域の上縁部の近傍における退避位置から、表示領域の前面にて「中」の飾り図柄表示エリア５Ｃを覆うような進出位置へと向かう可動演出方向に、移動して進出するように動作すればよい。可動演出部材６０の進出に伴い、画像表示装置５の表示領域には大当り確定演出の実行に伴うエフェクト画像が表示される。
【０１４１】
その後、図８（Ｆ）に示すように可動演出部材６０が画像表示装置５における表示領域の前面から後退する大当り確定演出の後退動作が実行される。このとき、可動演出部材６０は、進出位置から退避位置へと向かう可動演出方向に、移動して後退するように動作すればよい。可動演出部材６０の後退に伴い、可動演出部材６０は回転しながら移動し、画像表示装置５の表示領域には大当り確定演出の実行に伴う特殊態様のエフェクト画像が表示され、可動演出部材６０に内蔵された装飾用ＬＥＤといった発光体はフラッシュ点灯される。ここで、大当り確定演出にて可動演出部材６０の後退に伴い画像表示装置５の表示領域に表示される特殊態様のエフェクト画像は、複数態様の可動物予告演出にて表示されるいずれのエフェクト画像とも異なる態様のエフェクト画像である。これにより、可動演出部材６０の後退に伴い画像表示装置５の表示領域に特殊態様のエフェクト画像が表示されることにより、可変表示結果が「大当り」となることが確定的に報知される。
【０１４２】
なお、大当り確定演出の進出に伴い画像表示装置５の表示領域に表示されるエフェクトは、可動物予告演出の進出に伴い画像表示装置５の表示領域に表示されるエフェクトと同じ態様とすればよい。また、変形例１のように可動物予告演出とは異なる大当り確定演出を実行する場合には、一の可変表示中に可動物予告演出が複数回実行されるようにしてもよい。このような構成とすることにより、実行中の演出が可動物予告演出であるのか大当り確定演出であるのかを、可動演出部材６０が後退するときの態様を確認するまでは遊技者が判別不可又は判別困難とすることができるので、可動演出部材６０が後退するときの態様に注目させることができ、興趣を高めることができる。
【０１４３】
そして、特図表示結果が「大当り」に決定されたことに基づいてスーパーリーチ（大当り）の変動パターンが指定されたことに基づいて、例えば図８（Ｇ）に示すような対戦に勝ったことを示す演出画像が表示されて、図８（Ｈ）に示すような大当り組み合わせの確定飾り図柄が導出される。
【０１４４】
（変形例２）上記実施の形態では、可動物予告演出として、可動演出部材が画像表示装置５における表示領域の前面に進出する演出用模型を構成するものとして説明した。これに対し、可動演出部材は、画像表示装置５における表示領域の前面に進出するサブ画像表示装置を構成するものとしてもよい。その場合、サブ画像表示装置が退避位置から進出位置へ向けて移動した後に退避位置へ向けて戻るときの動作態様は同じであるが、戻るときのサブ画像表示装置の表示態様が第１表示態様である場合と、第１表示態様とは異なる第２表示態様である場合とで、特図表示結果が「大当り」となる割合が異なるようにしてもよい。
【０１４５】
図９は、変形例２の可動物予告演出が実行される演出動作例を示している。変形例２の可動物予告演出が実行されると、図９（Ａ）に示すように、サブ画像表示装置６５が画像表示装置５における表示領域の前面に進出する可動物予告演出の進出動作が実行される。
このとき、サブ画像表示装置６５は、初期位置となる表示領域の下縁部の近傍における退避位置から、画像表示装置５の表示領域の前面を覆うような進出位置へと向かう可動演出方向に、移動して進出するように動作すればよい。この変形例では、サブ画像表示装置６５の進出に伴い、画像表示装置５の表示領域には可動物予告演出の実行に伴う演出画像として、紐に吊るされたパンＰＡ１の演出画像が表示され、サブ画像表示装置６５の表示領域には可動物予告演出の実行に伴う演出画像として、所定のキャラクタＣＡ１が表示される。
【０１４６】
その後、図９（Ｂ）に示すように、サブ画像表示装置６５が画像表示装置５における表示領域の前面から後退する可動物予告演出の後退動作が実行される。このとき、サブ画像表示装置６５は、進出位置から退避位置へと向かう可動演出方向に、移動して後退するように動作すればよい。この変形例の可動物予告演出は、サブ画像表示装置６５の後退に伴い、サブ画像表示装置６５に表示されていたキャラクタＣＡ１が画像表示装置５へと飛び出して、画像表示装置５に表示されたパンＰＡ１を口でくわえようとするパン食い競争演出である。そして、パン食い競争演出でキャラクタＣＡ１がサブ画像表示装置６５から画像表示装置５へと飛び出し、画像表示装置５に表示されたパンＰＡ１を口でくわえるといった、成功態様の演出画像が表示されたときには、大当り図柄となる確定特別図柄と大当り組み合わせを構成する確定飾り図柄とが導出されて、可変表示結果が「大当り」となったことを遊技者が認識可能に報知する。一方、パン食い競争演出でキャラクタＣＡ１がサブ画像表示装置６５から画像表示装置５へと飛び出すことができずに、画像表示装置５に表示されたパンＰＡ１を口でくわえることができないといった、失敗態様の演出画像が表示されたときには、ハズレ図柄となる確定特別図柄とリーチハズレ組み合わせを構成する確定飾り図柄とが導出されて、可変表示結果が「ハズレ」となったことを遊技者が認識可能に報知することがある。
【０１４７】
即ち、特図表示結果が「ハズレ」に決定されたことに基づいてスーパーリーチ（ハズレ）の変動パターンが指定された場合には、例えば図９（Ｃ１）に示すような失敗態様の演出画像が表示されて、図９（Ｄ１）に示すようなリーチハズレ組み合わせの確定飾り図柄が導出される。一方、特図表示結果が「大当り」に決定されたことに基づいてスーパーリーチ（大当り）の変動パターンが指定された場合には、例えば図９（Ｃ２）に示すような成功態様の演出画像が表示されて、図９（Ｄ２）に示すような大当り組み合わせの確定飾り図柄が導出される。
【０１４８】
変形例２のようなサブ画像表示装置６５による可動物予告演出が実行された場合には、サブ画像表示装置６５が退避位置から進出位置へ向けて移動した後に退避位置へ向けて戻るときの動作態様は同じであるが、戻るときのサブ画像表示装置６５の表示態様が異なり、その表示態様に応じて特図表示結果が「大当り」となる割合が異なるため、サブ画像表示装置６５の表示態様に注目させることができ、サブ画像表示装置６５が戻るときの遊技者の遊技の興趣を高めることができる。
【０１４９】
また、サブ画像表示装置６５による可動物予告演出にて予告される大当り期待度は、変形例２のように、その表示態様に応じて特図表示結果が「大当り」となるか否かを確定的に報知するものに限定されず、その表示態様に応じて特図表示結果が「大当り」となる割合を報知するものとしてもよい。
【０１５０】
また、このような構成は、例えば、サブ画像表示装置６５の動作態様に変化を持たせて大当り期待度を報知する場合には、そのための駆動機構を設けるためのスペースが必要となるが、そのようなスペースを確保することが難しい場合に、特に有効である。
【０１５１】
（変形例３）上記実施の形態において、可動演出部材６０が退避位置から進出位置へ向けて移動した後、退避位置へ向けて戻るときに電源が遮断された場合、電源が遮断される前における可動演出部材６０が戻るときの態様にかかわらず、電源が再投入された後には可動演出部材６０を共通の態様で退避位置へ向けて戻すようにしてもよい。その場合、予め設定された複数態様の可動物予告演出のうちのいずれかの態様で戻してもよいし、複数態様の可動物予告演出のいずれとも異なる態様で戻してもよい。また、予め設定された可動物予告演出の態様で戻す場合には、複数態様の可動物予告演出のうち、大当り期待度が最も低い態様で戻すようにすればよい。このような構成においては、電源が再投入されたときの処理負荷を軽減させることができる。
【０１５２】
（変形例４）上記実施の形態において、モータ駆動回路１６は、演出制御用ＣＰＵ１２０から所定の駆動指令コマンドを示す情報信号としての駆動指令信号を受信したときに、可動演出部材６０を動作させることができない状況にある場合には、受信した駆動指令信号によって示される駆動指令コマンドを無効化するようにしてもよい。可動演出部材６０を動作させることができない状況としては、例えば、可動演出部材６０が既に動作中であること、可動演出部材６０が退避位置にないこと、可動演出部材６０を動作させると他の演出装置に干渉する可能性があること、可動演出部材６０を動作させても他の演出装置に干渉しないことが確認できないこと等が考えられる。例えば、モータ駆動回路１６は、例えば駆動指令コマンドを所定の格納領域に格納することなく、破棄することで無効化すればよい。もしくは、駆動指令コマンドを所定の格納領域に格納しておき、可動演出部材６０を動作させるにあたり、駆動指令コマンドに基づいて可動演出部材用モータ６１を駆動する前に、上述したような理由により、可動演出部材６０を動作させることができない状況にある場合には、可動演出部材６０を動作させるための処理を実行しないようにすることで、駆動指令コマンドを無効化する構成としてもよい。このような構成によれば、可動演出部材６０に不具合が発生することを防ぐと共に、処理負荷を分散させることができる。
【０１５３】
（変形例５）上記実施の形態において、モータ駆動回路１６は、同一の駆動指令コマンドを示す情報信号としての駆動指令信号を連続して受信した場合には、後に受信した駆動指令信号によって示される駆動指令コマンドを無効化するようにしてもよい。このような構成によれば、不正である可能性が高い駆動指令コマンドを無効化することにより、無駄な処理が行われないようにすることができる。
【０１５４】
（変形例６）変形例２において、画像表示装置５では所定の表示態様で画像を表示することが可能であると共に、サブ画像表示装置６５では、所定の表示態様とは画質が異なるように視認できる特定の表示態様で画像を表示することが可能であり、例えば、サブ画像表示装置６５に特定の表示態様で背景画像等の画像を表示しているときに、上記実施の形態のように、サブ画像表示装置６５に所定画像としてキャラクタＣＡ１を表示した後に、画像表示装置５へキャラクタＣＡ１を移動表示させる移動表示演出を実行可能であって、移動表示演出では、サブ画像表示装置６５にキャラクタＣＡ１を表示するときに、所定の表示態様で表示するようにしてもよい。所定の表示態様と特定の表示態様との関係は、例えば、高解像度と低解像度、カラーとモノクロ、３Ｄと２Ｄ、実写とアニメーション等とすることが考えられる。このような構成によれば、サブ画像表示装置６５にて特定の表示態様で背景画像等の画像を表示していても、画像表示装置５へ移動する所定画像についてはサブ画像表示装置６５に表示されているときから所定の表示態様で表示されていることから、サブ画像表示装置６５から画像表示装置５へ所定画像が移動したときの違和感をなくすことができ、演出上の不都合が生じることを防止することができる。
【０１５５】
（変形例７）上記実施の形態では、可動物予告演出ＹＰＡ６のように可動演出部材６０の後退時に発光体がフラッシュ点灯した場合には、可動物予告演出ＹＰＡ４のようにフラッシュ点灯しなかった場合に比べて、大当り期待度が高くなるものとして説明した。これに対し、可動演出部材６０の後退時に発光体以外の演出手段の演出態様が第１の演出態様である場合と、第１の演出態様とは異なる第２の演出態様である場合とで、大当り期待度が異なるようにしてもよい。例えば、可動演出部材６０の後退時にスピーカ８Ｌ、８Ｒが特殊音を出力した場合には、特殊音を出力しなかった場合に比べて、大当り期待度が高くなるようにしてもよい。また、可動演出部材６０の進出時から画像表示装置５にエフェクトが表示されているか否かにかかわらず、可動演出部材６０の後退時に画像表示装置５に特殊エフェクトを表示した場合には、特殊エフェクトを表示しなかった場合に比べて、大当り期待度が高くなるようにしてもよい。また、可動演出部材６０の後退時に遊技効果ランプ９が特殊発光した場合には、特殊発光しなかった場合に比べて、大当り期待度が高くなるようにしてもよい。また、可動演出部材６０とは異なる第２可動演出部材を設け、可動演出部材６０の後退時に第２可動演出部材が動作した場合には、第２可動演出部材が動作しなかった場合に比べて、大当り期待度が高くなるようにしてもよい。また、一列に並んだＬＥＤを回転させて残像で文字や画像を表示させるバーサライタを設け、可動演出部材６０の後退時にバーサライタが回転して特定の文字や画像が表示された場合には、バーサライタが回転しなかった場合に比べて、大当り期待度が高くなるようにしてもよい。また、プロジェクタのような映写機器を用い、パチンコ遊技機１に設けられた所定の構造物や空間等に対して映像を映し出すプロジェクションマッピング装置を設け、可動演出部材６０の後退時にプロジェクションマッピング装置により映像が映し出された場合には、映像が映し出されなかった場合に比べて、大当り期待度が高くなるようにしてもよい。このような構成によれば、可動演出部材６０の後退時における興趣を更に向上させることができる。
【０１５６】
（変形例８）上記実施の形態では、可動演出部材６０の進出時における演出態様と、可動演出部材６０の後退時における演出態様との組み合わせが規定された複数の演出パターンが予め用意されており、いずれの演出パターンによる可動物予告演出を実行するかを決定するもので、決定された演出パターンにて規定された演出態様の組み合わせにより、大当り期待度が異なるものとして説明した。これに対し、可動演出部材６０の進出時における演出態様が規定された複数の進出時演出パターンと、可動演出部材６０の後退時における演出態様が規定された複数の後退時演出パターンとが予め用意されており、いずれの進出時演出パターンによる進出時の可動物予告演出を実行するかと、いずれの後退時演出パターンによる後退時の可動物予告演出を実行するかとを別々に決定するもので、決定された進出時演出パターンにて規定された演出態様と、それとは別に決定された後退時演出パターンにて規定された演出態様との組み合わせにより、大当り期待度が異なるようにしてもよい。
［第２実施形態］
次に、本発明の第２実施形態（第２の実施の形態）を、図面を参照して説明する。まず、遊技機の一例であるパチンコ遊技機１の全体の構成について説明する。図１０はパチンコ遊技機１を正面からみた正面図である。
【０１５７】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２Ａを有する。遊技枠は、外枠に対して開閉自在に設置される前面枠（図示せず）と、機構部品等が取り付けられる機構板（図示せず）と、それらに取り付けられる種々の部品（後述する遊技盤２を除く）とを含む構造体である。
【０１５８】
ガラス扉枠２Ａの下部表面には打球供給皿（上皿）９０がある。打球供給皿９０の下部には、打球供給皿９０に収容しきれない遊技球を貯留する余剰球受皿９１や、打球を発射する打球操作ハンドル（操作ノブ）９２が設けられている。また、ガラス扉枠２Ａの背面には、遊技盤２が着脱可能に取り付けられている。なお、遊技盤２は、それを構成する板状体と、その板状体に取り付けられた種々の部品とを含む構造体である。また、遊技盤２の前面には、打ち込まれた遊技球が流下可能な遊技領域１０が形成されている。
【０１５９】
余剰球受皿（下皿）９１を形成する部材には、例えば下皿本体の上面における手前側の所定位置（例えば下皿の中央部分）などに、スティック形状（棒形状）に構成され、遊技者が把持して複数方向（前後左右）に傾倒操作が可能なスティックコントローラ３１Ａが取り付けられている。なお、スティックコントローラ３１Ａには、遊技者がスティックコントローラ３１Ａの操作桿を操作手（例えば左手など）で把持した状態において、所定の操作指（例えば人差し指など）で押引操作することなどにより所定の指示操作が可能なトリガボタン３１Ｃ（図１２を参照）が設けられ、スティックコントローラ３１Ａの操作桿の内部には、トリガボタン３１Ｃに対する押引操作などによる所定の指示操作を検知するトリガセンサ３５Ｃ（図１２を参照）が内蔵されている。また、スティックコントローラ３１Ａの下部における下皿の本体内部などには、操作桿に対する傾倒操作を検知する傾倒方向センサユニット３５Ａ（図１２を参照）が設けられている。また、スティックコントローラ３１Ａには、スティックコントローラ３１Ａを振動動作させるためのバイブレータ用モータ１２６（図１２を参照）が内蔵されている。
【０１６０】
打球供給皿（上皿）９０を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサ３５Ｂ（図１２を参照）が設けられていればよい。図１０に示す構成例では、プッシュボタン３１Ｂとスティックコントローラ３１Ａの取付位置が、上皿及び下皿の中央部分において上下の位置関係にある。これに対して、上下の位置関係を保ったまま、プッシュボタン３１Ｂ及びスティックコントローラ３１Ａの取付位置を、上皿及び下皿において左右のいずれかに寄せた位置としてもよい。あるいは、プッシュボタン３１Ｂとスティックコントローラ３１Ａの取付位置が上下の位置関係にはなく、例えば左右の位置関係にあるものとしてもよい。
【０１６１】
遊技領域１０の中央付近には、液晶表示装置（ＬＣＤ）で構成された画像表示装置（演出表示装置）５が設けられている。画像表示装置５の表示画面には、第１特別図柄または第２特別図柄の可変表示に同期した演出図柄の可変表示を行う演出図柄表示領域がある。よって、画像表示装置５は、演出図柄の可変表示を行う可変表示装置に相当する。演出図柄表示領域には、例えば「左」、「中」、「右」の３つの装飾用（演出用）の演出図柄を可変表示する図柄表示エリアがある。図柄表示エリアには「左」、「中」、「右」の各図柄表示エリアがあるが、図柄表示エリアの位置は、画像表示装置５の表示画面において固定的でなくてもよいし、図柄表示エリアの３つ領域が離れてもよい。画像表示装置５は、演出制御基板に搭載されている演出制御用マイクロコンピュータによって制御される。演出制御用マイクロコンピュータが、第１特別図柄表示装置４Ａで第１特別図柄の可変表示が実行されているときに、その可変表示に伴って画像表示装置５で演出表示を実行させ、第２特別図柄表示装置４Ｂで第２特別図柄の可変表示が実行されているときに、その可変表示に伴って画像表示装置５で演出表示を実行させるので、遊技の進行状況を把握しやすくすることができる。
【０１６２】
また、画像表示装置５において、最終停止図柄（例えば左右中図柄のうち中図柄）となる図柄以外の図柄が、所定時間継続して、大当り図柄（例えば左中右の図柄が同じ図柄で揃った図柄の組み合わせ）と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、画像表示装置５に変動表示される図柄の表示結果が大当り図柄でない場合には「はずれ」となり、変動表示状態は終了する。遊技者は、大当りをいかにして発生させるかを楽しみつつ遊技を行う。
【０１６３】
なお、この実施の形態では、画像表示装置５における液晶表示の演出として演出図柄の変動表示を行う場合を示しているが、画像表示装置５で行われる演出は、この実施の形態で示したものにかぎらず、例えば、所定のストーリー性をもつ演出を実行して、大当り判定や変動パターンの決定結果にもとづいてストーリーの結果を表示するような演出を実行するようにしてもよい。例えば、プロレスやサッカーの試合や敵味方のキャラクタが戦うバトル演出を行うとともに、大当りであれば試合やバトルに勝利する演出を行い、はずれであれば試合やバトルに敗北する演出を行うようにしてもよい。また、例えば、勝敗などの結果を表示するのではなく、物語などの所定のストーリーを順に展開させていくような演出を実行するようにしてもよい。
【０１６４】
画像表示装置５の表示画面の右上方部には、演出図柄と後述する特別図柄および普通図柄とに次ぐ第４図柄を表示する第４図柄表示領域９ｃ，９ｄが設けられている。この実施の形態では、後述する第１特別図柄の変動表示に同期して第１特別図柄用の第４図柄の変動表示が行われる第１特別図柄用の第４図柄表示領域９ｃと、第２特別図柄の変動表示に同期して第２特別図柄用の第４図柄の変動表示が行われる第２特別図柄用の第４図柄表示領域９ｄとが設けられている。
【０１６５】
この実施の形態では、特別図柄の変動表示に同期して演出図柄の変動表示が実行されるのであるが（ただし、正確には、演出図柄の変動表示は、演出制御用マイクロコンピュータ１１５側で変動パターンコマンドにもとづいて認識した変動時間を計測することによって行われる。）、画像表示装置５を用いた演出を行う場合、例えば、演出図柄の変動表示を含む演出内容が画面上から一瞬消えるような演出が行われたり、可動物が画面上の全部または一部を遮蔽するような演出が行われるなど、演出態様が多様化してきている。そのため、画像表示装置５上の表示画面を見ていても、現在変動表示中の状態であるのか否か認識しにくい場合も生じている。そこで、この実施の形態では、画像表示装置５の表示画面の一部でさらに第４図柄の変動表示を行うことによって、第４図柄の状態を確認することにより現在変動表示中の状態であるのか否かを確実に認識可能としている。なお、第４図柄は、常に一定の動作で変動表示され、画面上から消えたり遮蔽物で遮蔽されることはないため、常に視認することができる。
【０１６６】
なお、第１特別図柄用の第４図柄と第２特別図柄用の第４図柄とを、第４図柄と総称することがあり、第１特別図柄用の第４図柄表示領域９ｃと第２特別図柄用の第４図柄表示領域９ｄを、第４図柄表示領域と総称することがある。
【０１６７】
第４図柄の変動（可変表示）は、第４図柄表示領域９ｃ，９ｄを所定の表示色（例えば、青色）で一定の時間間隔で点灯と消灯とを繰り返す状態を継続することによって実現される。第１特別図柄表示装置４Ａにおける第１特別図柄の可変表示と、第１特別図柄用の第４図柄表示領域９ｃにおける第１特別図柄用の第４図柄の可変表示とは同期している。第２特別図柄表示装置４Ｂにおける第２特別図柄の可変表示と、第２特別図柄用の第４図柄表示領域９ｄにおける第２特別図柄用の第４図柄の可変表示とは同期している。同期とは、可変表示の開始時点および終了時点が同じであって、可変表示の期間が同じであることをいう。また、第１特別図柄表示装置４Ａにおいて大当り図柄が停止表示されるときには、第１特別図柄用の第４図柄表示領域９ｃにおいて大当りを想起させる表示色（はずれとは異なる表示色。例えば、はずれのときには青色で表示されるのに対して、大当りのときには赤色で表示される。なお、大当りの種類（１５Ｒ確変大当りや、８Ｒ確変大当り、突然確変大当りのいずれであるかに応じて表示色を異ならせてもよい。）で点灯されたままになる。第２特別図柄表示装置４Ｂにおいて大当り図柄が停止表示されるときには、第２特別図柄用の第４図柄表示領域９ｄにおいて大当りを想起させる表示色（はずれとは異なる表示色。例えば、はずれのときには青色で表示されるのに対して、大当りのときには赤色で表示される。なお、大当りの種類（１５Ｒ確変大当りや、８Ｒ確変大当り、突然確変大当りのいずれであるかに応じて表示色を異ならせてもよい。）で点灯されたままになる。なお、第４図柄表示領域９ｃ，９ｄの消灯時の表示色は、消灯したときに背景画像と同化して見えなくなることを防止するために、背景画像とは異なる表示色（例えば、黒色）であることが望ましい。
【０１６８】
なお、この実施の形態では、第４図柄表示領域を画像表示装置５の表示画面の一部に設ける場合を示しているが、画像表示装置５とは別に、ランプやＬＥＤなどの発光体を用いて第４図柄表示領域を実現するようにしてもよい。この場合、例えば、第４図柄の変動（可変表示）を、２つのＬＥＤが交互に点灯する状態を継続することによって実現されるようにしてもよく、２つのＬＥＤのうちのいずれのＬＥＤが停止表示されたかによって大当り図柄が停止表示されたか否かを表すようにしてもよい。
【０１６９】
また、この実施の形態では、第１特別図柄と第２特別図柄とにそれぞれ対応させて別々の第４図柄表示領域９ｃ，９ｄを備える場合を示しているが、第１特別図柄と第２特別図柄とに対して共通の第４図柄表示領域を画像表示装置５の表示画面の一部に設けるようにしてもよい。また、第１特別図柄と第２特別図柄とに対して共通の第４図柄表示領域をランプやＬＥＤなどの発光体を用いて実現するようにしてもよい。この場合、第１特別図柄の変動表示に同期して第４図柄の変動表示を実行するときと、第２特別図柄の変動表示に同期して第４図柄の変動表示を実行するときとで、例えば、一定の時間間隔で異なる表示色の表示を点灯および消灯を繰り返すような表示を行うことによって、第４図柄の変動表示を区別して実行するようにしてもよい。また、第１特別図柄の変動表示に同期して第４図柄の変動表示を実行するときと、第２特別図柄の変動表示に同期して第４図柄の変動表示を実行するときとで、例えば、異なる時間間隔で点灯および消灯を繰り返すような表示を行うことによって、第４図柄の変動表示を区別して実行するようにしてもよい。また、例えば、第１特別図柄の変動表示に対応して停止図柄を導出表示するときと、第２特別図柄の変動表示に対応して停止図柄を導出表示するときとで、同じ大当り図柄であっても異なる態様の停止図柄を停止表示するようにしてもよい。
【０１７０】
遊技盤２における中央部の右側には、識別情報としての第１特別図柄を可変表示する第１特別図柄表示装置（第１可変表示部）４Ａが設けられている。この実施の形態では、第１特別図柄表示装置４Ａは、０〜９の数字を可変表示可能な簡易で小型の表示器（例えば７セグメントＬＥＤ）で実現されている。すなわち、第１特別図柄表示装置４Ａは、０〜９の数字（または、記号）を可変表示するように構成されている。第１特別図柄表示装置４Ａの右側には、識別情報としての第２特別図柄を可変表示する第２特別図柄表示装置（第２可変表示部）４Ｂが設けられている。第２特別図柄表示装置４Ｂは、０〜９の数字を可変表示可能な簡易で小型の表示器（例えば７セグメントＬＥＤ）で実現されている。すなわち、第２特別図柄表示装置４Ｂは、０〜９の数字（または、記号）を可変表示するように構成されている。
【０１７１】
小型の表示器は、例えば方形状に形成されている。また、この実施の形態では、第１特別図柄の種類と第２特別図柄の種類とは同じ（例えば、ともに０〜９の数字）であるが、種類が異なっていてもよい。また、第１特別図柄表示装置４Ａおよび第２特別図柄表示装置４Ｂは、それぞれ、例えば、００〜９９の数字（または、２桁の記号）を可変表示するように構成されていてもよい。
【０１７２】
以下、第１特別図柄と第２特別図柄とを特別図柄と総称することがあり、第１特別図柄表示装置４Ａと第２特別図柄表示装置４Ｂとを特別図柄表示装置（可変表示部）と総称することがある。
【０１７３】
なお、この実施の形態では、２つの特別図柄表示装置４Ａ，４Ｂを備える場合を示しているが、遊技機は、特別図柄表示装置を１つのみ備えるものであってもよい。
【０１７４】
第１特別図柄または第２特別図柄の可変表示は、可変表示の実行条件である第１始動条件または第２始動条件が成立（例えば、遊技球が普通入賞球装置６Ａまたは普通可変入賞球装置６Ｂを通過（入賞を含む）したこと）した後、可変表示の開始条件（例えば、保留記憶数が０でない場合であって、第１特別図柄および第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、遊技球が通過するとは、入賞口やゲートなどのあらかじめ入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【０１７５】
画像表示装置５の下方には、普通入賞球装置６Ａを有する入賞装置が設けられている。普通入賞球装置６Ａに入賞した遊技球は、遊技盤２の背面に導かれ、第１始動口スイッチ２２Ａによって検出される。
【０１７６】
また、普通入賞球装置（第１始動入賞口、第１始動口）６Ａを有する入賞装置の下方には、遊技球が入賞可能な普通可変入賞球装置６Ｂを有する可変入賞球装置６が設けられている。普通可変入賞球装置６Ｂ（第２始動入賞口、第２始動口）６Ｂに入賞した遊技球は、遊技盤２の背面に導かれ、第２始動口スイッチ２２Ｂによって検出される。可変入賞球装置６は、ソレノイド１７によって開状態とされる。可変入賞球装置６が開状態になることによって、遊技球が普通可変入賞球装置６Ｂに入賞可能になり（始動入賞し易くなり）、遊技者にとって有利な状態になる。可変入賞球装置６が開状態になっている状態では、普通入賞球装置６Ａよりも、普通可変入賞球装置６Ｂに遊技球が入賞しやすい。また、可変入賞球装置６が閉状態になっている状態では、遊技球は普通可変入賞球装置６Ｂに入賞しない。従って、可変入賞球装置６が閉状態になっている状態では、普通可変入賞球装置６Ｂよりも、普通入賞球装置６Ａに遊技球が入賞しやすい。なお、可変入賞球装置６が閉状態になっている状態において、入賞はしづらいものの、入賞することは可能である（すなわち、遊技球が入賞しにくい）ように構成されていてもよい。
【０１７７】
以下、普通入賞球装置６Ａと普通可変入賞球装置６Ｂとを総称して始動入賞口または始動口ということがある。
【０１７８】
可変入賞球装置６が開放状態に制御されているときには可変入賞球装置６に向かう遊技球は普通可変入賞球装置６Ｂに極めて入賞しやすい。そして、普通入賞球装置６Ａは画像表示装置５の直下に設けられているが、画像表示装置５の下端と普通入賞球装置６Ａとの間の間隔をさらに狭めたり、普通入賞球装置６Ａの周辺で釘を密に配置したり、普通入賞球装置６Ａの周辺での釘配列を、遊技球を普通入賞球装置６Ａに導きづらくして、普通可変入賞球装置６Ｂの入賞率の方を普通入賞球装置６Ａの入賞率よりもより高くするようにしてもよい。
【０１７９】
なお、この実施の形態では、図１０に示すように、普通可変入賞球装置６Ｂに対してのみ開閉動作を行う可変入賞球装置６が設けられているが、普通入賞球装置６Ａおよび普通可変入賞球装置６Ｂのいずれについても開閉動作を行う可変入賞球装置が設けられている構成であってもよい。
【０１８０】
第１特別図柄表示装置４Ａおよび第２特別図柄表示装置４Ｂの上方には、普通入賞球装置６Ａに入った有効入賞球数すなわち第１保留記憶数（保留記憶を、始動記憶または始動入賞記憶ともいう。）を表示する４つの表示器からなる第１保留表示器（第１特別図柄保留記憶表示器）２５Ａが設けられている。第１保留表示器２５Ａは、有効始動入賞がある毎に、点灯する表示器の数を１増やす。そして、第１特別図柄表示装置４Ａでの可変表示が開始される毎に、点灯する表示器の数を１減らす。
【０１８１】
また、第１特別図柄表示装置４Ａおよび第２特別図柄表示装置４Ｂの上方には、普通可変入賞球装置６Ｂに入った有効入賞球数すなわち第２保留記憶数を表示する４つの表示器からなる第２保留表示器２５Ｂが設けられている。第２保留表示器（第２特別図柄保留記憶表示器）２５Ｂは、有効始動入賞がある毎に、点灯する表示器の数を１増やす。そして、第２特別図柄表示装置４Ｂでの可変表示が開始される毎に、点灯する表示器の数を１減らす。
【０１８２】
また、画像表示装置５の表示画面の下部には、第１保留記憶数と第２保留記憶数との合計である合計数（合算保留記憶数）を表示する合算保留記憶表示部１８ｃが設けられている。この実施の形態では、合計数を表示する合算保留記憶表示部１８ｃが設けられていることによって、可変表示の開始条件が成立していない実行条件の成立数の合計を把握しやすくすることができる。なお、この実施の形態では、合算保留記憶表示部１８ｃにおいて、第１保留記憶と第２保留記憶とが、遊技球を模した画像として普通入賞球装置６Ａおよび普通可変入賞球装置６Ｂへの入賞順に並べて表示されるとともに、第１保留記憶であるか第２保留記憶であるかを認識可能な態様で表示される（例えば、第１保留記憶は赤枠で表示され、第２保留記憶は青枠で表示される）。
【０１８３】
本実施の形態において、合算保留記憶表示部１８ｃにおいて表示される保留表示の表示態様として、赤色である「赤」、緑色である「緑」、青色である「青」、白色である「白」が設けられている。保留表示の示す大当りの信頼度（以下、大当り期待度ともいう）は、「赤」＞「緑」＞「青」＞「白」の順に高い。例えば、始動入賞が発生した際に、保留予告演出を実行するか否かを判定し、保留予告演出を実行する場合には、いずれの表示態様を上限として保留表示を表示するかを大当りとなることに対する信頼度にもとづいて決定し、決定した表示態様を上限として保留表示を表示する。なお、保留予告演出を実行するか否かにかかわらず、始動入賞が発生したときに「白」の表示態様にて保留表示を開始するものである。
【０１８４】
また、本実施の形態では、合算保留記憶表示部１８ｃにおいて、未だ変動が行われていない保留記憶に対する保留表示が行われるとともに、該保留記憶に対する変動表示を開始してから終了するまでの間、該保留記憶に対する保留表示を、合算保留記憶表示部１８ｃとは異なるアクティブ表示部１８ｄにおいて継続して表示し続ける。すなわち、該アクティブ表示部１８ｄにおいて、実行中の変動表示に対応したアクティブ表示（変動表示対応画像）が表示されることとなる。アクティブ表示は、実行中の変動にもとづいて大当りが発生することに対する信頼度を示す画像である。アクティブ表示としては、上述した保留表示と同一の画像（遊技球を模した画像であり、表示態様としては赤色である「赤」、緑色である「緑」、青色である「青」、白色である「白」が設けられている。大当りの信頼度は、「赤」＞「緑」＞「青」＞「白」の順に高い。）が表示される。
【０１８５】
画像表示装置５は、第１特別図柄表示装置４Ａによる第１特別図柄の可変表示時間中、および第２特別図柄表示装置４Ｂによる第２特別図柄の可変表示時間中に、装飾用（演出用）の図柄としての演出図柄の可変表示を行う。第１特別図柄表示装置４Ａにおける第１特別図柄の可変表示と、画像表示装置５における演出図柄の可変表示とは同期している。また、第２特別図柄表示装置４Ｂにおける第２特別図柄の可変表示と、画像表示装置５における演出図柄の可変表示とは同期している。また、第１特別図柄表示装置４Ａにおいて大当り図柄が停止表示されるときと、第２特別図柄表示装置４Ｂにおいて大当り図柄が停止表示されるときには、画像表示装置５において大当りを想起させるような演出図柄の組み合わせが停止表示される。
【０１８６】
また、図１０に示すように、可変入賞球装置６の下方には、特別可変入賞球装置７が設けられている。特別可変入賞球装置７は開閉板を備え、第１特別図柄表示装置４Ａに特定表示結果（大当り図柄）が導出表示されたときと、第２特別図柄表示装置４Ｂに特定表示結果（大当り図柄）が導出表示されたときに生起する特定遊技状態（大当り遊技状態）においてソレノイド１９によって開閉板が開放状態に制御されることによって、入賞領域となる大入賞口が開放状態になる。大入賞口に入賞した遊技球はカウントスイッチ２３で検出される。
【０１８７】
遊技盤２の左側方には、普通図柄表示器２０が設けられている。普通図柄表示器２０は、普通図柄と呼ばれる複数種類の識別情報（例えば、「○」および「×」）を可変表示する。
【０１８８】
遊技球がゲート３２を通過しゲートスイッチ３２ａで検出されると、普通図柄表示器２０の表示の可変表示が開始される。この実施の形態では、上下のランプ（点灯時に図柄が視認可能になる）が交互に点灯することによって可変表示が行われ、例えば、可変表示の終了時に下側のランプが点灯すれば当りとなる。そして、普通図柄表示器２０における停止図柄が所定の図柄（当り図柄）である場合に、可変入賞球装置６が所定回数、所定時間だけ開状態になる。すなわち、可変入賞球装置６の状態は、普通図柄の停止図柄が当り図柄である場合に、遊技者にとって不利な状態から有利な状態（普通可変入賞球装置６Ｂに遊技球が入賞可能な状態）に変化する。普通図柄表示器２０の近傍には、ゲート３２を通過した入賞球数を表示する４つのＬＥＤによる表示部を有する普図保留表示器（普通図柄保留記憶表示器）２５Ｃが設けられている。ゲート３２への遊技球の通過がある毎に、すなわちゲートスイッチ３２ａによって遊技球が検出される毎に、普図保留表示器２５Ｃは点灯するＬＥＤを１増やす。そして、普通図柄表示器２０の可変表示が開始される毎に、点灯するＬＥＤを１減らす。さらに、通常状態に比べて大当りとすることに決定される確率が高い状態である高確率状態（通常状態と比較して、特別図柄の変動表示結果として大当りと判定される確率が高められた状態。ただし、後述する高確率／低ベース状態を除く。）では、普通図柄表示器２０における停止図柄が当り図柄になる確率が高められるとともに、可変入賞球装置６の開放時間と開放回数が高められる。
【０１８９】
遊技盤２の遊技領域１０の左右周辺には、遊技中に点滅表示される装飾ＬＥＤが設けられ、下部には、入賞しなかった打球が取り込まれるアウト口２６がある。また、遊技領域１０の外側の左右上部には、所定の音声出力として効果音や音声を発声する２つのスピーカ２７が設けられている。遊技領域１０の外周には、前面枠に設けられた枠ＬＥＤ２８が設けられている。
【０１９０】
遊技機には、遊技者が打球操作ハンドル９２を操作することに応じて駆動モータを駆動し、駆動モータの回転力を利用して遊技球を遊技領域１０に発射する打球発射装置（図示せず）が設けられている。打球発射装置から発射された遊技球は、遊技領域１０を囲むように円形状に形成された打球レールを通って遊技領域１０に入り、その後、遊技領域１０を下りてくる。遊技球が普通入賞球装置６Ａに入り第１始動口スイッチ２２Ａで検出されると、第１特別図柄の可変表示を開始できる状態であれば（例えば、特別図柄の可変表示が終了し、第１の開始条件が成立したこと）、第１特別図柄表示装置４Ａにおいて第１特別図柄の可変表示（変動）が開始されるとともに、画像表示装置５において演出図柄の可変表示が開始される。すなわち、第１特別図柄および演出図柄の可変表示は、普通入賞球装置６Ａへの入賞に対応する。第１特別図柄の可変表示を開始できる状態でなければ、第１保留記憶数が上限値に達していないことを条件として、第１保留記憶数を１増やす。
【０１９１】
遊技球が普通可変入賞球装置６Ｂに入り第２始動口スイッチ２２Ｂで検出されると、第２特別図柄の可変表示を開始できる状態であれば（例えば、特別図柄の可変表示が終了し、第２の開始条件が成立したこと）、第２特別図柄表示装置４Ｂにおいて第２特別図柄の可変表示（変動）が開始されるとともに、画像表示装置５において演出図柄の可変表示が開始される。すなわち、第２特別図柄および演出図柄の可変表示は、普通可変入賞球装置６Ｂへの入賞に対応する。第２特別図柄の可変表示を開始できる状態でなければ、第２保留記憶数が上限値に達していないことを条件として、第２保留記憶数を１増やす。
【０１９２】
この実施の形態では、所定の種別の大当りとなった場合には、大当り遊技終了後にいわゆる確変状態に移行され、遊技状態を高確率状態に移行するとともに、遊技球が始動入賞しやすくなる（すなわち、特別図柄表示装置４Ａ，４Ｂや画像表示装置５における可変表示の実行条件が成立しやすくなる）ように制御された遊技状態である高ベース状態に移行する。高ベース状態である場合には、例えば、高ベース状態でない場合と比較して、可変入賞球装置６が開状態となる頻度が高められたり、可変入賞球装置６が開状態となる時間が延長されたりして、始動入賞しやすくなる。なお、この実施の形態では、大当りとなった場合には必ず高確率状態に移行されるのであるが、大当りとなった場合に、高確率状態以外にいわゆる時短状態（例えば、低確率状態、且つ、高ベース状態）に移行される場合もあるように遊技機を構成してもよい。
【０１９３】
なお、可変入賞球装置６が開状態となる時間を延長する（開放延長状態ともいう）のでなく、普通図柄表示器２０における停止図柄が当り図柄になる確率が高められる普通図柄確変状態に移行することによって、高ベース状態に移行してもよい。普通図柄表示器２０における停止図柄が所定の図柄（当り図柄）となると、可変入賞球装置６が所定回数、所定時間だけ開状態になる。この場合、普通図柄確変状態に移行制御することによって、普通図柄表示器２０における停止図柄が当り図柄になる確率が高められ、可変入賞球装置６が開状態となる頻度が高まる。従って、普通図柄確変状態に移行すれば、可変入賞球装置６の開放時間と開放回数が高められ、始動入賞しやすい状態（高ベース状態）となる。すなわち、可変入賞球装置６の開放時間と開放回数は、普通図柄の停止図柄が当り図柄であったり、特別図柄の停止図柄が確変図柄である場合等に高められ、遊技者にとって不利な状態から有利な状態（始動入賞しやすい状態）に変化する。なお、開放回数が高められることは、閉状態から開状態になることも含む概念である。
【０１９４】
また、普通図柄表示器２０における普通図柄の変動時間（可変表示期間）が短縮される普通図柄時短状態に移行することによって、高ベース状態に移行してもよい。普通図柄時短状態では、普通図柄の変動時間が短縮されるので、普通図柄の変動が開始される頻度が高くなり、結果として普通図柄が当りとなる頻度が高くなる。従って、普通図柄が当たりとなる頻度が高くなることによって、可変入賞球装置６が開状態となる頻度が高くなり、始動入賞しやすい状態（高ベース状態）となる。
【０１９５】
また、特別図柄や演出図柄の変動時間（可変表示期間）が短縮される時短状態に移行することによって、特別図柄や演出図柄の変動時間が短縮されるので、特別図柄や演出図柄の変動が開始される頻度が高くなり（換言すれば、保留記憶の消化が速くなる。）、無効な始動入賞が生じてしまう事態を低減することができる。従って、有効な始動入賞が発生しやすくなり、結果として、大当り遊技が行われる可能性が高まる。
【０１９６】
さらに、上記に示した全ての状態（開放延長状態、普通図柄確変状態、普通図柄時短状態および特別図柄時短状態）に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか複数の状態に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか１つの状態にのみ移行させることによって、始動入賞しやすくなる（高ベース状態に移行する）ようにしてもよい。
【０１９７】
図１１は、主基板（遊技制御基板）１１における回路構成の一例を示すブロック図である。なお、図１１は、払出制御基板３７および演出制御基板１２等も示されている。主基板１１には、プログラムに従ってパチンコ遊技機１を制御する遊技制御用マイクロコンピュータ１００が搭載されている。遊技制御用マイクロコンピュータ１００は、ゲーム制御（遊技進行制御）用のプログラム等を記憶するＲＯＭ１０１、ワークメモリとして使用される記憶手段としてのＲＡＭ１０２、プログラムに従って制御動作を行うＣＰＵ１０３およびＩ／Ｏ１０５を含む。この実施の形態では、ＲＯＭ１０１およびＲＡＭ１０２は遊技制御用マイクロコンピュータ１００に内蔵されている。すなわち、遊技制御用マイクロコンピュータ１００は、１チップマイクロコンピュータである。１チップマイクロコンピュータには、少なくともＣＰＵ１０３のほかＲＡＭ１０２が内蔵されていればよく、ＲＯＭ１０１は外付けであっても内蔵されていてもよい。また、Ｉ／Ｏ１０５は、外付けであってもよい。遊技制御用マイクロコンピュータ１００には、さらに、ハードウェア乱数（ハードウェア回路が発生する乱数）を発生する乱数回路５３０が内蔵されている。
【０１９８】
また、ＲＡＭ１０２は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特別図柄プロセスフラグや、高確率フラグなど）と未払出賞球数を示すデータは、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ１０２の全部が、電源バックアップされているとする。
【０１９９】
なお、遊技制御用マイクロコンピュータ１００においてＣＰＵ１０３がＲＯＭ１０１に格納されているプログラムに従って制御を実行するので、以下、遊技制御用マイクロコンピュータ１００（またはＣＰＵ１０３）が実行する（または、処理を行う）ということは、具体的には、ＣＰＵ１０３がプログラムに従って制御を実行することである。このことは、主基板１１以外の他の基板に搭載されているマイクロコンピュータについても同様である。
【０２００】
乱数回路５３０は、特別図柄の可変表示の表示結果により大当りとするか否か判定するための判定用の乱数を発生するために用いられるハードウェア回路である。乱数回路５３０は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【０２０１】
乱数回路５３０は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【０２０２】
また、遊技制御用マイクロコンピュータ１００は、乱数回路５３０が更新する数値データの初期値を設定する機能を有している。例えば、ＲＯＭ１０１等の所定の記憶領域に記憶された遊技制御用マイクロコンピュータ１００のＩＤナンバ（遊技制御用マイクロコンピュータ１００の製品ごとに異なる数値で付与されたＩＤナンバ）を用いて所定の演算を行なって得られた数値データを、乱数回路５３０が更新する数値データの初期値として設定する。そのような処理を行うことによって、乱数回路５３０が発生する乱数のランダム性をより向上させることができる。
【０２０３】
また、ゲートスイッチ３２ａ、第１始動口スイッチ２２Ａ、第２始動口スイッチ２２Ｂ、カウントスイッチ２３からの検出信号を遊技制御用マイクロコンピュータ１００に与える入力ドライバ回路５８も主基板１１に搭載されている。また、可変入賞球装置６を開閉するソレノイド１７、および大入賞口を形成する特別可変入賞球装置７を開閉するソレノイド１９を遊技制御用マイクロコンピュータ１００からの指令に従って駆動する出力回路５９も主基板１１に搭載されている。
【０２０４】
また、遊技制御用マイクロコンピュータ１００は、特別図柄を可変表示する第１特別図柄表示装置４Ａ、第２特別図柄表示装置４Ｂ、普通図柄を可変表示する普通図柄表示器２０、第１保留表示器２５Ａ、第２保留表示器２５Ｂおよび普図保留表示器２５Ｃの表示制御を行う。
【０２０５】
なお、大当り遊技状態の発生を示す大当り情報等の情報出力信号を、ターミナル基板１６０を介して、ホールコンピュータ等の外部装置に対して出力する情報出力回路６４も主基板１１に搭載されている。
【０２０６】
この実施の形態では、演出制御基板１２に搭載されている演出制御手段（演出制御用マイクロコンピュータで構成される。）が、中継基板７７を介して遊技制御用マイクロコンピュータ１００から演出内容を指示する演出制御コマンドを受信し、演出図柄を可変表示する画像表示装置５の表示制御を行う。
【０２０７】
また、演出制御基板１２に搭載されている演出制御手段が、ランプドライバ基板３５を介して、枠側に設けられている枠ＬＥＤ２８の表示制御を行うとともに、音声出力基板７０を介してスピーカ２７からの音出力の制御を行う。
【０２０８】
図１２は、中継基板７７、演出制御基板１２、ランプドライバ基板３５および音声出力基板７０の回路構成例を示すブロック図である。なお、図１２に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板１２のみを設けてもよい。
【０２０９】
演出制御基板１２は、演出制御用ＣＰＵ１２０、および演出図柄プロセスフラグ等の演出に関する情報を記憶するＲＡＭを含む演出制御用マイクロコンピュータ１１５を搭載している。なお、ＲＡＭは外付けであってもよい。この実施の形態では、演出制御用マイクロコンピュータ１１５におけるＲＡＭは電源バックアップされていない。演出制御基板１２において、演出制御用ＣＰＵ１２０は、内蔵または外付けのＲＯＭ（図示せず）に格納されたプログラムに従って動作し、中継基板７７を介して入力される主基板１１からの取込信号（演出制御ＩＮＴ信号）に応じて、入力ドライバ１５２および入力ポート１５３を介して演出制御コマンドを受信する。また、演出制御用ＣＰＵ１２０は、演出制御コマンドにもとづいて、ＶＤＰ（ビデオディスプレイプロセッサ）１０９に画像表示装置５の表示制御を行わせる。
【０２１０】
この実施の形態では、演出制御用マイクロコンピュータ１１５と共動して画像表示装置５の表示制御を行うＶＤＰ１０９が演出制御基板１２に搭載されている。ＶＤＰ１０９は、演出制御用マイクロコンピュータ１１５とは独立したアドレス空間を有し、そこにＶＲＡＭをマッピングする。ＶＲＡＭは、画像データを展開するためのバッファメモリである。そして、ＶＤＰ１０９は、ＶＲＡＭ内の画像データを、フレームメモリを介して画像表示装置５に出力する。
【０２１１】
演出制御用ＣＰＵ１２０は、受信した演出制御コマンドに従ってＣＧＲＯＭ（図示せず）から必要なデータを読み出すための指令をＶＤＰ１０９に出力する。ＣＧＲＯＭは、画像表示装置５に表示されるキャラクタ画像データや動画像データ、具体的には、人物、文字、図形や記号等（演出図柄を含む）、および背景画像のデータをあらかじめ格納しておくためのＲＯＭである。ＶＤＰ１０９は、演出制御用ＣＰＵ１２０の指令に応じて、ＣＧＲＯＭから画像データを読み出す。そして、ＶＤＰ１０９は、読み出した画像データにもとづいて表示制御を実行する。
【０２１２】
演出制御コマンドおよび演出制御ＩＮＴ信号は、演出制御基板１２において、まず、入力ドライバ１５２に入力する。入力ドライバ１５２は、中継基板７７から入力された信号を演出制御基板１２の内部に向かう方向にしか通過させない（演出制御基板１２の内部から中継基板７７への方向には信号を通過させない）信号方向規制手段としての単方向性回路でもある。
【０２１３】
中継基板７７には、主基板１１から入力された信号を演出制御基板１２に向かう方向にしか通過させない（演出制御基板１２から中継基板７７への方向には信号を通過させない）信号方向規制手段としての単方向性回路７４が搭載されている。単方向性回路として、例えばダイオードやトランジスタが使用される。図１２には、ダイオードが例示されている。また、単方向性回路は、信号毎に設けられる。さらに、単方向性回路である出力ポート５７１を介して主基板１１から演出制御コマンドおよび演出制御ＩＮＴ信号が出力されるので、中継基板７７から主基板１１の内部に向かう信号が規制される。すなわち、中継基板７７からの信号は主基板１１の内部（遊技制御用マイクロコンピュータ１００側）に入り込まない。なお、出力ポート５７１は、図１１に示されたＩ／Ｏ１０５の一部である。また、出力ポート５７１の外側（中継基板７７側）に、さらに、単方向性回路である信号ドライバ回路が設けられていてもよい。
【０２１４】
また、演出制御用ＣＰＵ１２０は、スティックコントローラ３１Ａのトリガボタン３１Ｃに対する遊技者の操作行為を検出したことを示す情報信号としての操作検出信号を、トリガセンサ３５Ｃから、入力ポート１５６を介して入力する。また、演出制御用ＣＰＵ１２０は、プッシュボタン３１Ｂに対する遊技者の操作行為を検出したことを示す情報信号としての操作検出信号を、プッシュセンサ３５Ｂから、入力ポート１５６を介して入力する。また、演出制御用ＣＰＵ１２０は、スティックコントローラ３１Ａの操作桿に対する遊技者の操作行為を検出したことを示す情報信号としての操作検出信号を、傾倒方向センサユニット３５Ａから、入力ポート１５６を介して入力する。また、演出制御用ＣＰＵ１２０は、出力ポート１５５を介してバイブレータ用モータ１２６に駆動信号を出力することにより、スティックコントローラ３１Ａを振動動作させる。
【０２１５】
さらに、演出制御用ＣＰＵ１２０は、出力ポート１５５を介してランプドライバ基板３５に対してＬＥＤを駆動する信号を出力する。また、演出制御用ＣＰＵ１２０は、出力ポート１５４を介して音声出力基板７０に対して音番号データを出力する。
【０２１６】
ランプドライバ基板３５において、ＬＥＤを駆動する信号は、入力ドライバ３５１を介してＬＥＤドライバ３５２に入力される。ＬＥＤドライバ３５２は、ＬＥＤを駆動する信号にもとづいて枠ＬＥＤ２８などの発光体に電流を供給する。
【０２１７】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。音声データＲＯＭ７０４には、音番号データに応じた制御データが格納されている。音番号データに応じた制御データは、所定期間（例えば演出図柄の変動期間）における効果音または音声の出力態様を時系列的に示すデータの集まりである。
【０２１８】
次に、遊技機の動作について説明する。図１３は、主基板１１における遊技制御用マイクロコンピュータ１００が実行するメイン処理を示すフローチャートである。遊技機に対して電源が投入され電力供給が開始されると、リセット信号が入力されるリセット端子の入力レベルがハイレベルになり、遊技制御用マイクロコンピュータ１００（具体的には、ＣＰＵ１０３）は、プログラムの内容が正当か否か確認するための処理であるセキュリティチェック処理を実行した後、ステップＳ１以降のメイン処理を開始する。メイン処理において、ＣＰＵ１０３は、まず、必要な初期設定を行う。
【０２１９】
初期設定処理において、ＣＰＵ１０３は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスの初期化（内蔵デバイス（内蔵周辺回路）であるＣＴＣ（カウンタ／タイマ）およびＰＩＯ（パラレル入出力ポート）の初期化など）を行った後（ステップＳ４）、ＲＡＭをアクセス可能状態に設定する（ステップＳ５）。なお、割込モード２は、ＣＰＵ１０３が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【０２２０】
次いで、ＣＰＵ１０３は、入力ポートを介して入力されるクリアスイッチ（例えば、電源基板に搭載されている。）の出力信号（クリア信号）の状態を確認する（ステップＳ６）。その確認においてオンを検出した場合には、ＣＰＵ１０３は、通常の初期化処理（ステップＳ１０〜Ｓ１５）を実行する。
【０２２１】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する（ステップＳ７）。そのような保護処理が行われていないことを確認したら、ＣＰＵ１０３は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【０２２２】
電力供給停止時処理が行われたことを確認したら、ＣＰＵ１０３は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【０２２３】
チェック結果が正常であれば、ＣＰＵ１０３は、遊技制御手段の内部状態と演出制御手段等の電気部品制御手段の制御状態を電力供給停止時の状態に戻すための遊技状態復旧処理（ステップＳ４１〜Ｓ４３の処理）を行う。具体的には、ＲＯＭ１０１に格納されているバックアップ時設定テーブルの先頭アドレスをポインタに設定し（ステップＳ４１）、バックアップ時設定テーブルの内容を順次作業領域（ＲＡＭ１０２内の領域）に設定する（ステップＳ４２）。作業領域はバックアップ電源によって電源バックアップされている。バックアップ時設定テーブルには、作業領域のうち初期化してもよい領域についての初期化データが設定されている。ステップＳ４１およびＳ４２の処理によって、作業領域のうち初期化してはならない部分については、保存されていた内容がそのまま残る。初期化してはならない部分とは、例えば、電力供給停止前の遊技状態を示すデータ（特別図柄プロセスフラグ、高確率フラグ、高ベースフラグなど）、出力ポートの出力状態が保存されている領域（出力ポートバッファ）、未払出賞球数を示すデータが設定されている部分などである。
【０２２４】
また、ＣＰＵ１０３は、電力供給復旧時の初期化コマンドとしての停電復旧指定コマンドを送信する（ステップＳ４３）。また、ＣＰＵ１０３は、バックアップＲＡＭに保存されている表示結果（１５Ｒ確変大当り、８Ｒ確変大当り、突然確変大当り、小当り、またははずれ）を指定した表示結果指定コマンドを演出制御基板１２に対して送信する（ステップＳ４４）。そして、ステップＳ１４に移行する。なお、ステップＳ４４において、ＣＰＵ１０３は、例えば、後述する特別図柄ポインタの値もバックアップＲＡＭに保存している場合には、第１図柄変動指定コマンドや第２図柄変動指定コマンド（図２２参照）も送信するようにしてもよい。この場合、演出制御用マイクロコンピュータ１１５は、第１図柄変動指定コマンドや第２図柄変動指定コマンドを受信したことにもとづいて、第４図柄の変動表示を再開するようにしてもよい。
【０２２５】
なお、この実施の形態では、バックアップＲＡＭ領域には、後述する変動時間タイマの値も保存される。従って、停電復旧した場合には、ステップＳ４４で表示結果指定コマンドが送信された後、保存していた変動時間タイマの値の計測を再開して特別図柄の変動表示が再開されるとともに、保存していた変動時間タイマの値がタイムアウトしたときに、さらに後述する図柄確定指定コマンドが送信される。また、この実施の形態では、バックアップＲＡＭ領域には、後述する特別図柄プロセスフラグの値も保存される。従って、停電復旧した場合には、保存されている特別図柄プロセスフラグの値に応じたプロセスから特別図柄プロセス処理が再開される。
【０２２６】
なお、停電復旧時に必ず表示結果指定コマンドを送信するのではなく、ＣＰＵ１０３は、まず、バックアップＲＡＭ領域に保存している変動時間タイマの値が０であるか否かを確認するようにしてもよい。そして、変動時間タイマの値が０でなければ、変動中に停電した場合であると判断して、表示結果指定コマンドを送信するようにし、変動時間タイマが０であれば、停電時に変動中の状態ではなかったと判断して、表示結果指定コマンドを送信しないようにしてもよい。
【０２２７】
また、ＣＰＵ１０３は、まず、バックアップＲＡＭ領域に保存している特別図柄プロセスフラグの値が３であるか否かを確認するようにしてもよい。そして、特別図柄プロセスフラグの値が３であれば、変動中に停電した場合であると判断して、表示結果指定コマンドを送信するようにし、特別図柄プロセスフラグが３でなければ、停電時に変動中ではなかったと判断して、表示結果指定コマンドを送信しないようにしてもよい。
【０２２８】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【０２２９】
初期化処理では、ＣＰＵ１０３は、まず、ＲＡＭクリア処理を行う（ステップＳ１０）。なお、ＲＡＭクリア処理によって、所定のデータ（例えば、普通図柄当り判定用乱数を生成するためのカウンタのカウント値のデータ）は０に初期化されるが、任意の値またはあらかじめ決められている値に初期化するようにしてもよい。また、ＲＡＭ１０２の全領域を初期化せず、所定のデータ（例えば、普通図柄当り判定用乱数を生成するためのカウンタのカウント値のデータ）をそのままにしてもよい。また、ＲＯＭ１０１に格納されている初期化時設定テーブルの先頭アドレスをポインタに設定し（ステップＳ１１）、初期化時設定テーブルの内容を順次作業領域に設定する（ステップＳ１２）。
【０２３０】
ステップＳ１１およびＳ１２の処理によって、例えば、普通図柄当り判定用乱数カウンタ、特別図柄バッファ、総賞球数格納バッファ、特別図柄プロセスフラグなど制御状態に応じて選択的に処理を行うためのフラグに初期値が設定される。
【０２３１】
また、ＣＰＵ１０３は、サブ基板（主基板１１以外のマイクロコンピュータが搭載された基板。）を初期化するための初期化指定コマンド（遊技制御用マイクロコンピュータ１００が初期化処理を実行したことを示すコマンドでもある。）をサブ基板に送信する（ステップＳ１３）。例えば、演出制御用マイクロコンピュータ１１５は、初期化指定コマンドを受信すると、画像表示装置５において、遊技機の制御の初期化がなされたことを報知するための画面表示、すなわち初期化報知を行う。
【０２３２】
また、ＣＰＵ１０３は、乱数回路５３０を初期設定する乱数回路設定処理を実行する（ステップＳ１４）。ＣＰＵ１０３は、例えば、乱数回路設定プログラムに従って処理を実行することによって、乱数回路５３０にランダムＲの値を更新させるための設定を行う。
【０２３３】
そして、ステップＳ１５において、ＣＰＵ１０３は、所定時間（例えば４ｍｓ）毎に定期的にタイマ割込がかかるように遊技制御用マイクロコンピュータ１００に内蔵されているＣＴＣのレジスタの設定を行なう。すなわち、初期値として例えば４ｍｓに相当する値が所定のレジスタ（時間定数レジスタ）に設定される。この実施の形態では、４ｍｓ毎に定期的にタイマ割込がかかるとする。
【０２３４】
初期化処理の実行（ステップＳ１０〜Ｓ１５）が完了すると、ＣＰＵ１０３は、メイン処理で、表示用乱数更新処理（ステップＳ１７）および初期値用乱数更新処理（ステップＳ１８）を繰り返し実行する。表示用乱数更新処理および初期値用乱数更新処理を実行するときには割込禁止状態に設定し（ステップＳ１６）、表示用乱数更新処理および初期値用乱数更新処理の実行が終了すると割込許可状態に設定する（ステップＳ１９）。この実施の形態では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ１００が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【０２３５】
なお、この実施の形態では、リーチ演出は、画像表示装置５において可変表示される演出図柄を用いて実行される。また、特別図柄の表示結果を大当り図柄にする場合には、一部の場合を除いて、リーチ演出が実行される。本実施の形態では、詳細は後述するが、リーチ状態とならずに大当り図柄が停止表示する変動パターンとして「リーチなし大当り」（「突発大当り」ともいう）が設けられている。なお、突然確変大当りの場合には、リーチとはならずに突然確変大当り図柄（例えば「１３５」）が停止表示されることとしてもよい。特別図柄の表示結果を大当り図柄にしない場合には、遊技制御用マイクロコンピュータ１００は、乱数を用いた変動パターン種別や変動パターンを決定する抽選を行うことによって、リーチ演出を実行するか否か決定する。ただし、実際にリーチ演出の制御を実行するのは、演出制御用マイクロコンピュータ１１５である。
【０２３６】
タイマ割込が発生すると、ＣＰＵ１０３は、図１４に示すステップＳ２０〜Ｓ３４のタイマ割込処理を実行する。タイマ割込処理において、まず、電源断信号が出力されたか否か（オン状態になったか否か）を検出する電源断検出処理を実行する（ステップＳ２０）。電源断信号は、例えば電源基板に搭載されている電源監視回路が、遊技機に供給される電源の電圧の低下を検出した場合に出力する。そして、電源断検出処理において、ＣＰＵ１０３は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ２２Ａ、第２始動口スイッチ２２Ｂおよびカウントスイッチ２３の検出信号を入力し、それらの状態判定を行う（スイッチ処理：ステップＳ２１）。
【０２３７】
次に、ＣＰＵ１０３は、第１特別図柄表示装置４Ａ、第２特別図柄表示装置４Ｂ、普通図柄表示器２０、第１保留表示器２５Ａ、第２保留表示器２５Ｂ、普図保留表示器２５Ｃの表示制御を行う表示制御処理を実行する（ステップＳ２２）。第１特別図柄表示装置４Ａ、第２特別図柄表示装置４Ｂおよび普通図柄表示器２０については、ステップＳ３２，Ｓ３３で設定される出力バッファの内容に応じて各表示器に対して駆動信号を出力する制御を実行する。
【０２３８】
また、遊技制御に用いられる普通図柄当り判定用乱数等の各判定用乱数を生成するための各カウンタのカウント値を更新する処理を行う（判定用乱数更新処理：ステップＳ２３）。ＣＰＵ１０３は、さらに、初期値用乱数および表示用乱数を生成するためのカウンタのカウント値を更新する処理を行う（初期値用乱数更新処理，表示用乱数更新処理：ステップＳ２４，Ｓ２５）。
【０２３９】
さらに、ＣＰＵ１０３は、特別図柄プロセス処理を行う（ステップＳ２６）。特別図柄プロセス処理では、第１特別図柄表示装置４Ａ、第２特別図柄表示装置４Ｂおよび大入賞口を所定の順序で制御するための特別図柄プロセスフラグに従って該当する処理を実行する。ＣＰＵ１０３は、特別図柄プロセスフラグの値を、遊技状態に応じて更新する。
【０２４０】
次いで、普通図柄プロセス処理を行う（ステップＳ２７）。普通図柄プロセス処理では、ＣＰＵ１０３は、普通図柄表示器２０の表示状態を所定の順序で制御するための普通図柄プロセスフラグに従って該当する処理を実行する。ＣＰＵ１０３は、普通図柄プロセスフラグの値を、遊技状態に応じて更新する。
【０２４１】
また、ＣＰＵ１０３は、演出制御用マイクロコンピュータ１１５に演出制御コマンドを送出する処理を行う（演出制御コマンド制御処理：ステップＳ２８）。
【０２４２】
さらに、ＣＰＵ１０３は、例えばホール管理用コンピュータに供給される大当り情報、始動情報、確率変動情報などのデータを出力する情報出力処理を行う（ステップＳ２９）。
【０２４３】
また、ＣＰＵ１０３は、第１始動口スイッチ２２Ａ、第２始動口スイッチ２２Ｂおよびカウントスイッチ２３の検出信号にもとづく賞球個数の設定などを行う賞球処理を実行する（ステップＳ３０）。具体的には、第１始動口スイッチ２２Ａ、第２始動口スイッチ２２Ｂおよびカウントスイッチ２３のいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【０２４４】
この実施の形態では、出力ポートの出力状態に対応したＲＡＭ領域（出力ポートバッファ）が設けられているのであるが、ＣＰＵ１０３は、出力ポートの出力状態に対応したＲＡＭ領域におけるソレノイドのオン／オフに関する内容を出力ポートに出力する（ステップＳ３１：出力処理）。
【０２４５】
また、ＣＰＵ１０３は、特別図柄プロセスフラグの値に応じて特別図柄の演出表示を行うための特別図柄表示制御データを特別図柄表示制御データ設定用の出力バッファに設定する特別図柄表示制御処理を行う（ステップＳ３２）。
【０２４６】
さらに、ＣＰＵ１０３は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３３）。ＣＰＵ１０３は、例えば、普通図柄の変動に関する開始フラグがセットされると終了フラグがセットされるまで、普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ１０３は、出力バッファに設定された表示制御データに応じて、ステップＳ２２において駆動信号を出力することによって、普通図柄表示器２０における普通図柄の演出表示を実行する。
【０２４７】
その後、割込許可状態に設定し（ステップＳ３４）、処理を終了する。
【０２４８】
以上の制御によって、この実施の形態では、遊技制御処理は４ｍｓ毎に起動されることになる。なお、遊技制御処理は、タイマ割込処理におけるステップＳ２１〜Ｓ３３（ステップＳ２９を除く。）の処理に相当する。また、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【０２４９】
第１特別図柄表示装置４Ａまたは第２特別図柄表示装置４Ｂおよび画像表示装置５にはずれ図柄が停止表示される場合には、演出図柄の可変表示が開始されてから、演出図柄の可変表示状態がリーチ状態にならずに、リーチにならない所定の演出図柄の組み合わせが停止表示されることがある。このような演出図柄の可変表示態様を、可変表示結果がはずれ図柄になる場合における「非リーチ」（「通常はずれ」または「非リーチはずれ」ともいう）の可変表示態様という。
【０２５０】
第１特別図柄表示装置４Ａまたは第２特別図柄表示装置４Ｂおよび画像表示装置５にはずれ図柄が停止表示される場合には、演出図柄の可変表示が開始されてから、演出図柄の可変表示状態がリーチ状態となった後にリーチ演出が実行され、最終的に大当り図柄とはならない所定の演出図柄の組み合わせが停止表示されることがある。このような演出図柄の可変表示結果を、可変表示結果が「はずれ」となる場合における「リーチ」（「リーチはずれ」ともいう）の可変表示態様という。
【０２５１】
この実施の形態では、第１特別図柄表示装置４Ａまたは第２特別図柄表示装置４Ｂに大当り図柄が停止表示される場合には、演出図柄の可変表示状態がリーチ状態になった後にリーチ演出が実行され、最終的に画像表示装置５における「左」、「中」、「右」の各図柄表示エリア５Ｌ、５Ｃ、５Ｒに、演出図柄が揃って停止表示される（ただし、突然確変大当りの場合には、リーチとはならずに突然確変大当り図柄（例えば「１３５」）が停止表示される場合もある）。
【０２５２】
第１特別図柄表示装置４Ａまたは第２特別図柄表示装置４Ｂに小当りである「５」が停止表示される場合には、画像表示装置５において、演出図柄の可変表示態様が「突然確変大当り」である場合と同様に演出図柄の可変表示が行われた後、所定の小当り図柄（突然確変大当り図柄と同じ図柄。例えば「１３５」）が停止表示されることがある。第１特別図柄表示装置４Ａまたは第２特別図柄表示装置４Ｂに小当り図柄である「５」が停止表示されることに対応する画像表示装置５における表示演出を「小当り」の可変表示態様という。
【０２５３】
ここで、小当りとは、大当りと比較して大入賞口の開放回数が少ない回数（この実施の形態では０．１秒間の開放を２回）まで許容される当りである。なお、小当り遊技が終了した場合、遊技状態は変化しない。すなわち、確変状態から通常状態に移行したり通常状態から確変状態に移行したりすることはない。また、突然確変大当りとは、大当り遊技状態において大入賞口の開放回数が少ない回数（この実施の形態では０．１秒間の開放を２回）まで許容されるが大入賞口の開放時間が極めて短い大当りであり、かつ、大当り遊技後の遊技状態を確変状態に移行させるような大当りである（すなわち、そのようにすることにより、遊技者に対して突然に確変状態となったかのように見せるものである）。つまり、この実施の形態では、突然確変大当りと小当りとは、大入賞口の開放パターンが同じである。そのように制御することによって、大入賞口の０．１秒間の開放が２回行われると、突然確変大当りであるか小当りであるかまでは認識できないので、遊技者に対して高確率状態（確変状態）を期待させることができ、遊技の興趣を向上させることができる。
【０２５４】
なお、大当り種別が全て確変大当りであるように構成する場合、小当りを設けなくてもよい。また、大当り種別が全て確変大当りである場合に小当りを設けるように構成する場合には、本実施の形態に示すように、高確率状態に移行されるのみで高ベース状態を伴わない突然確変大当りを設けるようにすることが好ましい。
【０２５５】
図１５は、あらかじめ用意された演出図柄の変動パターンを示す説明図である。図１５に示すように、この実施の形態では、可変表示結果が「はずれ」であり演出図柄の可変表示態様が「非リーチ」である場合に対応した変動パターンとして、非リーチＰＡ１−１〜非リーチＰＡ１−４の変動パターンが用意されている。また、可変表示結果が「はずれ」であり演出図柄の可変表示態様が「リーチ」である場合に対応した変動パターンとして、ノーマルＰＡ２−１〜ノーマルＰＡ２−２、ノーマルＰＢ２−１〜ノーマルＰＢ２−２、スーパーＰＡ３−１〜スーパーＰＡ３−２、スーパーＰＢ３−１〜スーパーＰＢ３−２の変動パターンが用意されている。なお、図１５に示すように、リーチしない場合に使用される擬似連の演出を伴う非リーチＰＡ１−４の変動パターンについては、再変動が１回行われる。リーチする場合に使用され擬似連の演出を伴う変動パターンのうち、ノーマルＰＢ２−１を用いる場合には、再変動が１回行われる。また、リーチする場合に使用され擬似連の演出を伴う変動パターンのうち、ノーマルＰＢ２−２を用いる場合には、再変動が２回行われる。さらに、リーチする場合に使用され擬似連の演出を伴う変動パターンのうち、スーパーＰＡ３−１〜スーパーＰＡ３−２を用いる場合には、再変動が３回行われる。なお、再変動とは、演出図柄の可変表示が開始されてから表示結果が導出表示されるまでに一旦はずれとなる演出図柄を仮停止させた後に演出図柄の可変表示を再度実行することである。
【０２５６】
また、図１５に示すように、この実施の形態では、特別図柄の可変表示結果が大当り図柄または小当り図柄になる場合に対応した変動パターンとして、非リーチＰＡ１−５、ノーマルＰＡ２−３〜ノーマルＰＡ２−４、ノーマルＰＢ２−３〜ノーマルＰＢ２−４、スーパーＰＡ３−３〜スーパーＰＡ３−４、スーパーＰＢ３−３〜スーパーＰＢ３−４、特殊ＰＧ１−１〜特殊ＰＧ１−３、特殊ＰＧ２−１〜特殊ＰＧ２−２の変動パターンが用意されている。なお、図１５において、特殊ＰＧ１−１〜特殊ＰＧ１−３、特殊ＰＧ２−１〜特殊ＰＧ２−２の変動パターンは、突然確変大当りまたは小当りとなる場合に使用される変動パターンである。また、図１５に示すように、突然確変大当りまたは小当りでない場合に使用され擬似連の演出を伴う変動パターンのうち、ノーマルＰＢ２−３を用いる場合には、再変動が１回行われる。また、リーチする場合に使用され擬似連の演出を伴う変動パターンのうち、ノーマルＰＢ２−４を用いる場合には、再変動が２回行われる。さらに、リーチする場合に使用され擬似連の演出を伴う変動パターンのうち、スーパーＰＡ３−３〜スーパーＰＡ３−４を用いる場合には、再変動が３回行われる。また、突然確変大当りまたは小当りの場合に使用され擬似連の演出を伴う特殊ＰＧ１−３の変動パターンについては、再変動が１回行われる。また、非リーチＰＡ１−５を用いる場合には、リーチ演出を行わずに大当りとなる。以下、リーチ演出を行わない大当りを「突発大当り」ということがある。
【０２５７】
なお、この実施の形態では、図１５に示すように、リーチの種類に応じて変動時間が固定的に定められている場合（例えば、擬似連ありのスーパーリーチＡの場合には変動時間が３２．７５秒で固定であり、擬似連なしのスーパーリーチＡの場合には変動時間が２２．７５秒で固定である）を示しているが、例えば、同じ種類のスーパーリーチの場合であっても、合算保留記憶数に応じて、変動時間を異ならせるようにしてもよい。例えば、同じ種類のスーパーリーチを伴う場合であっても、合算保留記憶数が多くなるに従って、変動時間が短くなるようにしてもよい。また、例えば、同じ種類のスーパーリーチの場合であっても、第１特別図柄の変動表示を行う場合には、第１保留記憶数に応じて、変動時間を異ならせるようにしてもよく、第２特別図柄の変動表示を行う場合には、第２保留記憶数に応じて、変動時間を異ならせるようにしてもよい。この場合、第１保留記憶数や第２保留記憶数の値ごとに別々の判定テーブルを用意しておき（例えば、保留記憶数０〜２用の変動パターン種別判定テーブルと保留記憶数３，４用の変動パターン種別判定テーブルとを用意しておき）、第１保留記憶数または第２保留記憶数の値に応じて判定テーブルを選択して、変動時間を異ならせるようにしてもよい。
【０２５８】
図１６は、各乱数を示す説明図である。各乱数は、以下のように使用される。
（１）ランダム１（ＭＲ１）：大当りの種類（後述する１５Ｒ確変大当り、８Ｒ確変大当り、突然確変大当り）を決定する（大当り種別判定用）（２）ランダム２（ＭＲ２）：変動パターンの種類（種別）を決定する（変動パターン種別判定用）（３）ランダム３（ＭＲ３）：変動パターン（変動時間）を決定する（変動パターン判定用）（４）ランダム４（ＭＲ４）：普通図柄にもとづく当りを発生させるか否か決定する（普通図柄当り判定用）（５）ランダム５（ＭＲ５）：ランダム４の初期値を決定する（ランダム４初期値決定用）
【０２５９】
なお、この実施の形態では、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。
【０２６０】
なお、変動パターン種別とは、複数の変動パターンをその変動態様の特徴に従ってグループ化したものである。例えば、複数の変動パターンをリーチの種類でグループ化して、ノーマルリーチを伴う変動パターンを含む変動パターン種別と、スーパーリーチＡを伴う変動パターンを含む変動パターン種別と、スーパーリーチＢを伴う変動パターンを含む変動パターン種別とに分けてもよい。また、例えば、複数の変動パターンを擬似連の再変動の回数でグループ化して、擬似連を伴わない変動パターンを含む変動パターン種別と、再変動１回の変動パターンを含む変動パターン種別と、再変動２回の変動パターンを含む変動パターン種別と、再変動３回の変動パターンを含む変動パターン種別とに分けてもよい。また、例えば、複数の変動パターンを擬似連や滑り演出などの特定演出の有無でグループ化してもよい。
【０２６１】
なお、この実施の形態では、後述するように、１５Ｒ確変大当り、８Ｒ確変大当りである場合には、ノーマルリーチのみを伴う変動パターンを含む変動パターン種別であるノーマルＣＡ３−１と、ノーマルリーチおよび擬似連を伴う変動パターンを含む変動パターン種別であるノーマルＣＡ３−２と、スーパーリーチを伴う変動パターン種別であるスーパーＣＡ３−３と、突発大当りのみを伴う変動パターンを含む変動パターン種別である非リーチＣＡ３−４とに種別分けされている。また、突然確変大当りである場合には、非リーチの変動パターンを含む変動パターン種別である特殊ＣＡ４−１と、リーチを伴う変動パターンを含む変動パターン種別である特殊ＣＡ４−２とに種別分けされている。また、小当りである場合には、非リーチの変動パターンを含む変動パターン種別である特殊ＣＡ４−１に種別分けされている。また、はずれである場合には、リーチも特定演出も伴わない変動パターンを含む変動パターン種別である非リーチＣＡ２−１と、リーチを伴わないが特定演出を伴う変動パターンを含む変動パターン種別である非リーチＣＡ２−２と、リーチも特定演出も伴わない短縮変動の変動パターンを含む変動パターン種別である非リーチＣＡ２−３と、ノーマルリーチのみを伴う変動パターンを含む変動パターン種別であるノーマルＣＡ２−４と、ノーマルリーチおよび再変動２回の擬似連を伴う変動パターンを含む変動パターン種別であるノーマルＣＡ２−５と、ノーマルリーチおよび再変動１回の擬似連を伴う変動パターンを含む変動パターン種別であるノーマルＣＡ２−６と、スーパーリーチを伴う変動パターン種別であるスーパーＣＡ２−７とに種別分けされている。
【０２６２】
図１４に示された遊技制御処理におけるステップＳ２３では、遊技制御用マイクロコンピュータ１００は、（１）の大当り種別判定用乱数、および（４）の普通図柄当り判定用乱数を生成するためのカウンタのカウントアップ（１加算）を行う。すなわち、それらが判定用乱数であり、それら以外の乱数が表示用乱数（ランダム２、ランダム３）または初期値用乱数（ランダム５）である。なお、遊技効果を高めるために、上記の乱数以外の乱数も用いてもよい。また、この実施の形態では、大当り判定用乱数として、遊技制御用マイクロコンピュータ１００に内蔵されたハードウェア（遊技制御用マイクロコンピュータ１００の外部のハードウェアでもよい。）が生成する乱数を用いる。なお、大当り判定用乱数として、ハードウェア乱数ではなく、ソフトウェア乱数を用いてもよい。
【０２６３】
図１７（Ａ）は、大当り判定テーブルを示す説明図である。大当り判定テーブルとは、ＲＯＭ１０１に記憶されているデータの集まりであって、ランダムＲと比較される大当り判定値が設定されているテーブルである。大当り判定テーブルには、通常状態（確変状態でない遊技状態）において用いられる通常時大当り判定テーブルと、確変状態において用いられる確変時大当り判定テーブルとがある。通常時大当り判定テーブルには、図１７（Ａ）の左欄に記載されている各数値が設定され、確変時大当り判定テーブルには、図１７（Ａ）の右欄に記載されている各数値が設定されている。図１７（Ａ）に記載されている数値が大当り判定値である。
【０２６４】
なお、この実施の形態では、確変状態には、大当り抽選において大当りと決定される確率を高めた高確率状態に移行されるとともに、高ベース状態にも移行された状態である場合と、高確率状態にのみ移行され高ベース状態には移行されていない（低ベース状態である）状態である場合との２つのケースがあるが、いずれのケースの場合であっても、確変状態である場合には確変時大当り判定テーブルが用いられ、それ以外の場合に通常時大当り判定テーブルが用いられる。なお、後述するように、この実施の形態では、１５Ｒ確変大当りまたは８Ｒ確変大当りとなると、大当り遊技終了後に高確率状態に移行されるとともに高ベース状態に移行される。そして、大当り終了後、変動表示を７０回終了するまで確変状態および高ベース状態が継続する。また、突然確変大当りとなると、大当り遊技終了後に高ベース状態には移行されずに高確率状態に移行される。そして、大当り終了後、変動表示を７０回終了するまで確変状態が継続する。従って、この実施の形態では、突然確変大当りの大当り終了後、７０回目の変動表示を終了するまでの間、高確率状態のみに移行され、高ベース状態には移行されていない（低ベース状態である）確変状態となる場合がある。
【０２６５】
図１７（Ｂ），（Ｃ）は、小当り判定テーブルを示す説明図である。小当り判定テーブルとは、ＲＯＭ１０１に記憶されているデータの集まりであって、ランダムＲと比較される小当り判定値が設定されているテーブルである。小当り判定テーブルには、第１特別図柄の変動表示を行うときに用いられる小当り判定テーブル（第１特別図柄用）と、第２特別図柄の変動表示を行うときに用いられる小当り判定テーブル（第２特別図柄用）とがある。小当り判定テーブル（第１特別図柄用）には、図１７（Ｂ）に記載されている各数値が設定され、小当り判定テーブル（第２特別図柄用）には、図１７（Ｃ）に記載されている各数値が設定されている。また、図１７（Ｂ），（Ｃ）に記載されている数値が小当り判定値である。
【０２６６】
なお、第１特別図柄の変動表示を行う場合にのみ小当りと決定するようにし、第２特別図柄の変動表示を行う場合には小当りを設けないようにしてもよい。この場合、図１７（Ｃ）に示す第２特別図柄用の小当り判定テーブルは設けなくてもよい。この実施の形態では、遊技状態が確変状態に移行されているときには主として第２特別図柄の変動表示が実行される。遊技状態が確変状態に移行されているときにも小当りが発生するようにし、確変となるか否かを煽る演出を行うように構成すると、現在の遊技状態が確変状態であるにもかかわらず却って遊技者に煩わしさを感じさせてしまう。そこで、第２特別図柄の変動表示中は小当りが発生しないように構成すれば、遊技状態が確変状態である場合には小当りが発生しにくくし必要以上に確変に対する煽り演出を行わないようにすることができ、遊技者に煩わしさを感じさせる事態を防止することができる。
【０２６７】
ＣＰＵ１０３は、所定の時期に、乱数回路５３０のカウント値を抽出して抽出値を大当り判定用乱数（ランダムＲ）の値とするのであるが、大当り判定用乱数値が図１７（Ａ）に示すいずれかの大当り判定値に一致すると、特別図柄に関して大当り（後述する１５Ｒ確変大当り、８Ｒ確変大当り、突然確変大当り）にすることに決定する。また、大当り判定用乱数値が図１７（Ｂ），（Ｃ）に示すいずれかの小当り判定値に一致すると、特別図柄に関して小当りにすることに決定する。なお、図１７（Ａ）に示す「確率」は、大当りになる確率（割合）を示す。また、図１７（Ｂ），（Ｃ）に示す「確率」は、小当りになる確率（割合）を示す。また、大当りにするか否か決定するということは、大当り遊技状態に移行させるか否か決定するということであるが、第１特別図柄表示装置４Ａまたは第２特別図柄表示装置４Ｂにおける停止図柄を大当り図柄にするか否か決定するということでもある。また、小当りにするか否か決定するということは、小当り遊技状態に移行させるか否か決定するということであるが、第１特別図柄表示装置４Ａまたは第２特別図柄表示装置４Ｂにおける停止図柄を小当り図柄にするか否か決定するということでもある。
【０２６８】
なお、この実施の形態では、図１７（Ｂ），（Ｃ）に示すように、小当り判定テーブル（第１特別図柄用）を用いる場合には３００分の１の割合で小当りと決定されるのに対して、小当り判定テーブル（第２特別図柄）を用いる場合には３０００分の１の割合で小当りと決定される場合を説明する。従って、この実施の形態では、普通入賞球装置６Ａに始動入賞して第１特別図柄の変動表示が実行される場合には、普通可変入賞球装置６Ｂに始動入賞して第２特別図柄の変動表示が実行される場合と比較して、「小当り」と決定される割合が高い。
【０２６９】
図１７（Ｄ），（Ｅ）は、ＲＯＭ１０１に記憶されている大当り種別判定テーブル１３１ａ，１３１ｂを示す説明図である。このうち、図１７（Ｄ）は、遊技球が普通入賞球装置６Ａに入賞したことにもとづく保留記憶を用いて（すなわち、第１特別図柄の変動表示が行われるとき）大当り種別を決定する場合の大当り種別判定テーブル（第１特別図柄用）１３１ａである。また、図１７（Ｅ）は、遊技球が普通可変入賞球装置６Ｂに入賞したことにもとづく保留記憶を用いて（すなわち、第２特別図柄の変動表示が行われるとき）大当り種別を決定する場合の大当り種別判定テーブル（第２特別図柄用）１３１ｂである。
【０２７０】
大当り種別判定テーブル１３１ａ，１３１ｂは、可変表示結果を大当り図柄にする旨の判定がなされたときに、大当り種別判定用の乱数（ランダム１）にもとづいて、大当りの種別を「１５Ｒ確変大当り」、「８Ｒ確変大当り」、「突然確変大当り」のうちのいずれかに決定するために参照されるテーブルである。なお、この実施の形態では、図１７（Ｄ），（Ｅ）に示すように、大当り種別判定テーブル１３１ａには「突然確変大当り」に対して１０個の判定値が割り当てられている（４０分の１０の割合で突然確変大当りと決定される）のに対して、大当り種別判定テーブル１３１ｂには「突然確変大当り」に対して５個の判定値が割り当てられている（４０分の５の割合で突然確変大当りと決定される）場合を説明する。従って、この実施の形態では、普通入賞球装置６Ａに始動入賞して第１特別図柄の変動表示が実行される場合には、普通可変入賞球装置６Ｂに始動入賞して第２特別図柄の変動表示が実行される場合と比較して、「突然確変大当り」と決定される割合が高い。なお、第１特別図柄用の大当り種別判定テーブル１３１ａにのみ「突然確変大当り」を振り分けるようにし、第２特別図柄用の大当り種別判定テーブル１３１ｂには「突然確変大当り」の振り分けを行わない（すなわち、第１特別図柄の変動表示を行う場合にのみ、「突然確変大当り」と決定される場合がある）ようにしてもよい。
【０２７１】
なお、この実施の形態では、図１７（Ｄ），（Ｅ）に示すように、所定量の遊技価値を付与する第１特定遊技状態としての突然確変大当りと、該遊技価値よりも多い量の遊技価値を付与する第２特定遊技状態としての１５ラウンドの確変大当り「１５Ｒ確変大当り」および８ラウンドの確変大当り「８Ｒ確変大当り」とに決定する場合があるとともに、第１特別図柄の変動表示が実行される場合に高い割合で第１特定遊技状態とすることに決定する場合を示しているが、付与される遊技価値は、この実施の形態で示したようなラウンド数に限られない。例えば、第１特定遊技状態と比較して、遊技価値として１ラウンドあたりの大入賞口への遊技球の入賞数（カウント数）の許容量を多くした第２特定遊技状態を決定するようにしてもよい。また、例えば、第１特定遊技状態と比較して、遊技価値として大当り中の１回あたりの大入賞口の開放時間を長くした第２特定遊技状態を決定するようにしてもよい。また、例えば、同じ１５ラウンドの大当りであっても、１ラウンドあたり大入賞口を１回開放する第１特定遊技状態と、１ラウンドあたり大入賞口を複数回開放する第２特定遊技状態とを用意し、大入賞口の開放回数が実質的に多くなるようにして第２特定遊技状態の遊技価値を高めるようにしてもよい。この場合、例えば、第１特定遊技状態または第２特定遊技状態いずれの場合であっても、大入賞口を１５回開放したときに（この場合、第１特定遊技状態の場合には１５ラウンド全てを終了し、第２特定遊技状態の場合には未消化のラウンドが残っていることになる）、大当りがさらに継続するか否かを煽るような態様の演出を実行するようにしてもよい。そして、第１特定遊技状態の場合には内部的に１５ラウンド全てを終了していることから大当り遊技を終了し、第２特定遊技状態の場合には内部的に未消化のラウンドが残っていることから、大当り遊技が継続する（恰も１５回開放の大当りを終了した後にさらにボーナスで大入賞口の開放が追加で始まったような演出）ようにしてもよい。
【０２７２】
この実施の形態では、図１７（Ｄ），（Ｅ）に示すように、大当り種別として、「１５Ｒ確変大当り」、「８Ｒ確変大当り」および「突然確変大当り」がある。なお、この実施の形態では、大当り遊技において実行されるラウンド数が１５ラウンド、８ラウンドおよび２ラウンドの３種類である場合を示しているが、大当り遊技において実行されるラウンド数は、この実施の形態で示したものに限られない。例えば、７ラウンドの大当り遊技に制御する７Ｒ確変大当りや、５ラウンドの大当り遊技に制御する５Ｒ確変大当りが設けられていてもよい。また、この実施の形態では、大当り種別が「１５Ｒ確変大当り」、「８Ｒ確変大当り」および「突然確変大当り」の３種類である場合を示しているが、３種類にかぎらず、例えば、４種類以上の大当り種別を設けるようにしてもよい。また、逆に、大当り種別が３種類よりも少なくてもよく、例えば、大当り種別として２種類のみ設けられていてもよい。
【０２７３】
「１５Ｒ確変大当り」とは、１５ラウンドの大当り遊技状態に制御し、その大当り遊技状態の終了後に確変状態に移行させる大当りである（この実施の形態では、高確率状態に移行されるとともに高ベース状態にも移行される。後述するステップＳ１６６〜Ｓ１７０参照）。そして、確変状態に移行した後、変動表示を７０回終了すると高ベース状態および高確率状態が終了する（ステップＳ１６８，Ｓ１４４，ステップＳ１７０，Ｓ１４０参照）。
【０２７４】
「８Ｒ確変大当り」とは、８ラウンドの大当り遊技状態に制御し、その大当り遊技状態の終了後に確変状態に移行させる大当りである（この実施の形態では、高確率状態に移行されるとともに高ベース状態にも移行される。後述するステップＳ１６６〜Ｓ１７０参照）。そして、確変状態に移行した後、変動表示を７０回終了すると高ベース状態および高確率状態が終了する（ステップＳ１６８，Ｓ１４４，ステップＳ１７０，Ｓ１４０参照）。
【０２７５】
また、「突然確変大当り」とは、「１５Ｒ確変大当り」や「８Ｒ確変大当り」と比較して大入賞口の開放回数が少ない回数（この実施の形態では０．１秒間の開放を２回）まで許容される大当りである。すなわち、「突然確変大当り」となった場合には、２ラウンドの大当り遊技状態に制御される。また、「１５Ｒ確変大当り」や、「８Ｒ確変大当り」では、１ラウンドあたりの大入賞口の開放時間が２９秒と長いのに対して、「突然確変大当り」では１ラウンドあたりの大入賞口の開放時間が０．１秒と極めて短く、大当り遊技中に大入賞口に遊技球が入賞することは殆ど期待できない。そして、この実施の形態では、その突然確変大当り遊技状態の終了後に確変状態に移行される（この実施の形態では、高ベース状態には移行されずに高確率状態のみに移行される。）。そして、確変状態に移行した後、変動表示を７０回終了すると高確率状態が終了する。
【０２７６】
なお、前述したように、この実施の形態では、「小当り」となった場合にも、大入賞口の開放が０．１秒間ずつ２回行われ、「突然確変大当り」による大当り遊技状態と同様の制御が行われる。そして、「小当り」となった場合には、大入賞口の２回の開放が終了した後、遊技状態は変化せず、「小当り」となる前の遊技状態が維持される。そのようにすることによって、「突然確変大当り」であるか「小当り」であるかを認識できないようにし、遊技の興趣を向上させている。なお、この実施の形態で示すように大当り種別が全て確変大当り（この実施の形態では、１５Ｒ確変大当り、８Ｒ確変大当り、突然確変大当り）であるように構成する場合、小当りを設けなくてもよい。また、この実施の形態のように大当り種別が全て確変大当りである場合に小当りを設けるように構成する場合には、高確率状態に移行されるのみで高ベース状態を伴わない突然確変大当りを設けるようにすること（大入賞口の開放パターンも突然確変大当りと小当りの場合とで同じにすること）が好ましい。
【０２７７】
大当り種別判定テーブル１３１ａ，１３１ｂには、ランダム１の値と比較される数値であって、「１５Ｒ確変大当り」、「８Ｒ確変大当り」、「突然確変大当り」のそれぞれに対応した判定値（大当り種別判定値）が設定されている。ＣＰＵ１０３は、ランダム１の値が大当り種別判定値のいずれかに一致した場合に、大当りの種別を、一致した大当り種別判定値に対応する種別に決定する。
【０２７８】
なお、本実施の形態では、上述したように、高確率状態へ移行する大当り種別のみを有することとしたが、高確率状態へ移行しない大当り（いわゆる、通常大当り）を有することとしてもよい。また、高確率状態に移行した場合、所定回数の変動表示を行うことを契機に通常状態へ移行することにより高確率状態を終了するものとしたが、通常大当りを有する構成とした場合、高確率状態に回数制限を設けずに、通常大当りが発生することを契機に通常状態へ移行することで高確率状態を終了する構成としてもよい。
【０２７９】
また、本実施の形態では、発生した大当りの大当り種別にもとづいて確変状態へ移行可能とするが、これに限るものではない。例えば、大入賞口内に遊技球が通過可能な特定領域が設けられており、大当り中に該特定領域を遊技球が通過した場合に確変状態へ移行する一方、大当り中に該特定領域を遊技球が通過しなかった場合に通常状態へ移行するようなものであってもよい。その場合、大当り種別によって特定領域への遊技球の通過しやすさを変化させることにより、実質的な確変大当りおよび非確変大当りを実現するものであってもよい。例えば、大当り種別によって大入賞口の開放時間を異ならせることにより、特定領域への遊技球の通過のしやすさを変化させることとしてもよい。具体的には、大入賞口の開放時間が長い大当り種別を特定領域へ遊技球が通過しやすい大当り（実質的な確変大当り）とし、大入賞口の開放時間が短い大当り種別を特定領域へ遊技球が通過しにくい大当り（実質的な非確変大当り）としてもよい。
【０２８０】
なお、本実施の形態では、１５Ｒ確変大当りまたは８Ｒ確変大当りが発生したときに高確率状態と高ベース状態とに移行するとともに、７０回の変動表示を終了すると高確率状態と高ベース状態とを終了する構成としたが、各遊技状態に移行してから終了するまでの変動表示の回数は、高確率状態と高ベース状態とで同数でなくてもよい。例えば、大当り終了後に７０回の変動表示を終了した際に高ベース状態を終了し、７１回の変動表示を終了した際に高確率状態を終了することとしてもよい。
【０２８１】
また、本実施の形態では、突然確変大当りが発生したときには、大当り終了後に高ベース状態には移行せずに高確率状態のみに移行することとしたが、これに限らず、１５Ｒ確変大当りや８Ｒ確変大当りの発生時と同様に、確変状態と高ベース状態とに移行することとしてもよい。また、突然確変大当りが発生した際の遊技状態にもとづいて、高ベース状態に移行するか否かを決定することとしてもよい。例えば、高ベース状態において突然確変大当りが発生した場合は高ベース状態に移行する一方、低ベース状態において突然確変大当りが発生した場合は高ベース状態に移行しないこととすれば、突然確変大当りおよび小当りのいずれが発生したのかを遊技者に認識させにくくすることができる。
【０２８２】
図１８（Ａ）〜（Ｃ）は、大当り用変動パターン種別判定テーブル１３２Ａ〜１３２Ｃを示す説明図である。大当り用変動パターン種別判定テーブル１３２Ａ〜１３２Ｃは、可変表示結果を大当り図柄にする旨の判定がなされたときに、大当り種別の判定結果に応じて、変動パターン種別を、変動パターン種別判定用の乱数（ランダム２）にもとづいて複数種類のうちのいずれかに決定するために参照されるテーブルである。
【０２８３】
各大当り用変動パターン種別判定テーブル１３２Ａ〜１３２Ｃには、変動パターン種別判定用の乱数（ランダム２）の値と比較される数値（判定値）であって、ノーマルＣＡ３−１、ノーマルＣＡ３−２、スーパーＣＡ３−３、特殊ＣＡ４−１、特殊ＣＡ４−２、非リーチＣＡ３−４の変動パターン種別のいずれかに対応する判定値が設定されている。
【０２８４】
例えば、大当り種別が「８Ｒ確変大当り」である場合に用いられる図１８（Ａ）に示す大当り用変動パターン種別判定テーブル１３２Ａと、大当り種別が「１５Ｒ確変大当り」である場合に用いられる図１８（Ｂ）に示す大当り用変動パターン種別判定テーブル１３２Ｂとで、ノーマルＣＡ３−１、ノーマルＣＡ３−２、スーパーＣＡ３−３、非リーチＣＡ３−４の変動パターン種別に対する判定値の割り当てが異なっている。
【０２８５】
このように、大当り種別に応じて選択される大当り用変動パターン種別判定テーブル１３２Ａ〜１３２Ｃを比較すると、大当り種別に応じて各変動パターン種別に対する判定値の割り当てが異なっている。また、大当り種別に応じて異なる変動パターン種別に対して判定値が割り当てられている。よって、大当り種別を複数種類のうちのいずれにするかの決定結果に応じて、異なる変動パターン種別に決定することができ、同一の変動パターン種別に決定される割合を異ならせることができる。なお、本実施の形態では、「突発大当り」である非リーチＣＡ３−４は、「８Ｒ確変大当り」または「１５Ｒ確変大当り」に割り当てられているものとしたが、「突然確変大当り」にも割り当てられていてもよいし、また、１５Ｒ確変大当りにのみ割り当てられていることとしてもよいし、８Ｒ確変大当りにのみ割り当てられていることとしてもよい。
【０２８６】
なお、図１８（Ａ），（Ｂ）に示すように、この実施の形態では、「１５Ｒ確変大当り」または「８Ｒ確変大当り」である場合には、変動パターン種別判定用の乱数（ランダム２）の値が１５０〜２２１であれば、少なくともスーパーリーチ（スーパーリーチＡ、スーパーリーチＢ）を伴う変動表示が実行されることがわかる。
【０２８７】
また、スーパーリーチ大当りについて、擬似連を伴う変動パターン種別（スーパーＰＡ３−３、スーパーＰＡ３−４の変動パターンを含む変動パターン種別）と、擬似連を伴わない変動パターン種別（スーパーＰＢ３−３、スーパーＰＢ３−４の変動パターンを含む変動パターン種別）とに分けてもよい。この場合、８Ｒ確変大当り用の大当り用変動パターン種別判定テーブル１３２Ａおよび１５Ｒ確変大当り用の大当り用変動パターン種別判定テーブル１３２Ｂの両方において、スーパーリーチかつ擬似連を伴う変動パターン種別と、スーパーリーチかつ擬似連を伴わない変動パターン種別とが割り当てられることになる。
【０２８８】
また、大当り種別が「突然確変大当り」である場合に用いられる大当り用変動パターン種別判定テーブル１３２Ｃでは、例えば、特殊ＣＡ４−１、特殊ＣＡ４−２といった大当り種別が「突然確変大当り」以外である場合には判定値が割り当てられない変動パターン種別に対して、判定値が割り当てられている。よって、可変表示結果が「大当り」となり大当り種別が「突然確変大当り」となることに応じて突然確変大当り状態に制御する場合には、１５Ｒ確変大当りや８Ｒ確変大当りによる大当り状態に制御する場合とは異なる変動パターン種別に決定することができる。
【０２８９】
また、図１８（Ｄ）は、小当り用変動パターン種別判定テーブル１３２Ｄを示す説明図である。小当り用変動パターン種別判定テーブル１３２Ｄは、可変表示結果を小当り図柄にする旨の判定がなされたときに、変動パターン種別を、変動パターン種別判定用の乱数（ランダム２）にもとづいて複数種類のうちのいずれかに決定するために参照されるテーブルである。なお、この実施の形態では、図１８（Ｄ）に示すように、小当りとすることに決定されている場合には、変動パターン種別として特殊ＣＡ４−１が決定される場合が示されている。
【０２９０】
図１９（Ａ）〜（Ｄ）は、はずれ用変動パターン種別判定テーブル１３５Ａ〜１３５Ｄを示す説明図である。このうち、図１９（Ａ）は、遊技状態が通常状態であるとともに合算保留記憶数が３未満である場合に用いられるはずれ用変動パターン種別判定テーブル１３５Ａを示している。また、図１９（Ｂ）は、遊技状態が通常状態であるとともに合算保留記憶数が３以上である場合に用いられるはずれ用変動パターン種別判定テーブル１３５Ｂを示している。また、図１９（Ｃ）は、遊技状態が確変状態のうちの高確率／高ベース状態（１５Ｒ確変大当りや８Ｒ確変大当りによる大当り終了後、７０回目の変動表示を終了するまでの状態）である場合に用いられるはずれ用変動パターン種別判定テーブル１３５Ｃを示している。また、図１９（Ｄ）は、遊技状態が確変状態のうちの高確率／低ベース状態（突然確変大当りによる大当り終了後、７０回目の変動表示を終了するまでの状態）である場合に用いられるはずれ用変動パターン種別判定テーブル１３５Ｄを示している。はずれ用変動パターン種別判定テーブル１３５Ａ〜１３５Ｄは、可変表示結果をはずれ図柄にする旨の判定がなされたときに、変動パターン種別を、変動パターン種別判定用の乱数（ランダム２）にもとづいて複数種類のうちのいずれかに決定するために参照されるテーブルである。
【０２９１】
図１９（Ｃ），（Ｄ）に示すように、この実施の形態では、確変状態である場合であっても、突然確変大当りによる大当り終了後の変動表示が行われる場合には、１５Ｒ確変大当りや８Ｒ確変大当りによる大当り終了後の変動表示が行われる場合までと比較して、スーパーリーチを伴う変動パターンが選択される割合が高い。そのようにすることによって、この実施の形態では、突然確変大当りによる大当り終了後の高確率状態では高い確率でスーパーリーチの変動表示を行うようにすることによって、高確率状態であることに対する遊技者の期待感を高めている。
【０２９２】
また、確変状態が終了する所定回数前（例えば、５回前）の変動表示から最終回の変動表示にわたってスーパーリーチとなる割合を高めるように構成することにより、確変状態の終了直前の大当りに対する遊技者の期待感を高めることとしてもよい。この場合、例えば、大当り終了時に後述する高確率回数カウンタや高ベース回数カウンタに７５回をセットするようにし（例えば、高確率回数カウンタおよび高ベース回数カウンタの両方に７５をセットして、７５回の変動表示を終了するまで高確率／高ベース状態が継続するようにしてもよく、高確率回数カウンタに７５をセットし、高ベース回数カウンタに７０をセットして、確変状態が終了する５変動前から最終回の変動表示までは高確率／低ベース状態に制御するようにしてもよい。なお、確変状態が終了する５変動前から最終回の変動表示までは高確率／低ベース状態に制御する場合には、この実施の形態で示したものと同様の制御に従い、高確率フラグや高ベースフラグを確認することによって、はずれ用変動パターン種別判定テーブル１３５Ｃ，１３５Ｄを選択するようにしてもよい（ステップＳ９５，Ｓ９６，Ｓ１００，Ｓ１０１参照）。）、変動表示の開始時に、高確率回数カウンタや高ベース回数カウンタの値が残り所定数（例えば５）以内となっているか否か（確変状態の残り回数が所定回数以内となっているか否か）を確認し、所定数（例えば５）以内となっていれば、図１９（Ｄ）に示すスーパーリーチの割合を高めたはずれ用変動パターン種別判定テーブル１３５Ｄを選択するようにし、カウンタの値がまだ所定数（例えば５）より多ければ、図１９（Ｃ）に示すはずれ用変動パターン種別判定テーブル１３５Ｃを選択するようにしてもよい。なお、確変状態が終了する所定回数前（例えば、５回前）の変動表示からスーパーリーチとなる割合を高めるように構成する場合の制御方法は、この実施の形態に示したものにかぎらず、例えば、高確率回数カウンタには、この実施の形態と同様に７１をセットし、逆に高ベース回数カウンタに６６をセットすることによって、確変状態が終了する５変動前から最終回の変動表示までは高確率／低ベース状態に制御するようにし、高確率回数カウンタの値が残り５以内となっているか否かを確認することによって、はずれ用変動パターン種別判定テーブル１３５Ｃ，１３５Ｄを選択するようにしてもよい。また、大当り後の変動回数を高確率回数カウンタや高ベース回数カウンタのカウント値にもとづいて判断するのではなく、他のカウンタを用いて判断するようにしてもよい。例えば、大当り遊技終了後の変動回数をカウントするカウンタを設けるようにし、そのカウンタのカウント値が所定範囲（例えば、７１〜７５または６６〜７１。）であるか否かを確認することによって、確変状態が終了する５変動前から最終回の変動表示までの間であるか否かを判定し、はずれ用変動パターン種別判定テーブル１３５Ｃ，１３５Ｄを選択するようにしてもよい。また、確変状態が終了する所定回数前（例えば、５回前）の変動表示から最終回の変動表示が終了するまでを高確率／低ベース状態に制御するように構成する場合には、この実施の形態と同様に、変動パターン設定処理において高確率フラグや高ベースフラグの状態によって、はずれ用変動パターン種別判定テーブル１３５Ｃ，１３５Ｄを選択するようにしてもよい（ステップＳ９５，Ｓ９６，Ｓ１００，Ｓ１０１参照）。
【０２９３】
なお、図１９に示す例では、遊技状態が高ベース状態である場合と合算保留記憶数が３以上である場合とで別々のはずれ用変動パターン種別判定テーブル１３５Ｂ〜１３５Ｄを用いる場合を示しているが、高ベース状態である場合と合算保留記憶数が３以上である場合とで、共通のはずれ用変動パターン種別判定テーブルを用いるように構成してもよい。また、図１９（Ｃ）に示す例では、合算保留記憶数にかかわらず共通の高ベース用のはずれ用変動パターン種別判定テーブル１３５Ｃを用いる場合を示しているが、高ベース用のはずれ用変動パターン種別判定テーブルとして合算保留記憶数に応じた複数のはずれ用変動パターン判定テーブル（判定値の割合を異ならせたテーブル）を用いるようにしてもよい。
【０２９４】
なお、この実施の形態では、遊技状態が通常状態である場合には、合算保留記憶数が３未満である場合に用いるはずれ用変動パターン種別判定テーブル１３５Ａと、合算保留記憶数が３以上である場合に用いるはずれ用変動パターン種別判定テーブル１３５Ｂとの２種類のテーブルを用いる場合を示しているが、はずれ変動パターン種別判定テーブルの分け方は、この実施の形態で示したものにかぎられない。例えば、合算保留記憶数の値ごとに別々のはずれ変動パターン種別判定テーブルをそれぞれ備えてもよい（すなわち、合算保留記憶数０個用、合算保留記憶数１個用、合算保留記憶数２個用、合算保留記憶数３個用、合算保留記憶数４個用・・・のはずれ変動パターン種別判定テーブルをそれぞれ別々に用いるようにしてもよい）。また、例えば、合算保留記憶数の他の複数の値の組合せに対応したはずれ変動パターン種別判定テーブルを用いるようにしてもよい。例えば、合算保留記憶数０〜２用、合算保留記憶数３用、合算保留記憶数４用・・・のはずれ変動パターン種別判定テーブルを用いるようにしてもよい。
【０２９５】
また、この実施の形態では、合算保留記憶数に応じてはずれ変動パターン種別判定テーブルを複数備える場合を示しているが、第１保留記憶数や第２保留記憶数に応じてはずれ変動パターン種別判定テーブルを複数備えるようにしてもよい。例えば、第１特別図柄の変動表示を行う場合には、第１保留記憶数の値ごとに別々に用意されたはずれ変動パターン種別判定テーブルを用いるようにしてもよい（すなわち、第１保留記憶数０個用、第１保留記憶数１個用、第１保留記憶数２個用、第１保留記憶数３個用、第１保留記憶数４個用・・・のはずれ変動パターン種別判定テーブルをそれぞれ別々に用いるようにしてもよい）。また、例えば、第１保留記憶数の他の複数の値の組合せに対応したはずれ変動パターン種別判定テーブルを用いるようにしてもよい。例えば、第１保留記憶数０〜２用、第１保留記憶数３用、第１保留記憶数４用・・・のはずれ変動パターン種別判定テーブルを用いるようにしてもよい。この場合であっても、第１保留記憶数や第２保留記憶数が多い場合（例えば３以上）には、変動時間が短い変動パターンを含む変動パターン種別が選択されやすいように構成すればよい。また、このような場合であっても、特定の可変表示パターンとしてのスーパーリーチを伴う変動パターンを含む変動パターン種別に対して共通の判定値を割り当てるように構成すればよい。
【０２９６】
なお、「特定の演出態様」とは、スーパーリーチを伴う変動パターンなど、少なくとも大当りに対する期待度が高く設定され、遊技者に大当りに対する期待感を抱かせることができる変動パターン種別、変動パターンのことである。また、「大当りに対する期待度（信頼度）」とは、その特定の演出態様による可変表示（例えば、スーパーリーチを伴う変動表示）が実行された場合に大当りが出現する出現率（確率）を示している。例えば、スーパーリーチを伴う変動表示が実行される場合の大当り期待度は、（大当りと決定されている場合にスーパーリーチが実行される割合）／（大当りと決定されている場合およびハズレと決定されている場合の両方にスーパーリーチが実行される割合）を計算することによって求められる。
【０２９７】
各はずれ用変動パターン種別判定テーブル１３５Ａ〜１３５Ｂには、変動パターン種別判定用の乱数（ランダム２）の値と比較される数値（判定値）であって、非リーチＣＡ２−１〜非リーチＣＡ２−３、ノーマルＣＡ２−４〜ノーマルＣＡ２−６、スーパーＣＡ２−７の変動パターン種別のいずれかに対応する判定値が設定されている。
【０２９８】
なお、図１９（Ａ），（Ｂ）に示すように、この実施の形態では、はずれであるとともに遊技状態が通常状態である場合には、変動パターン種別判定用の乱数（ランダム２）の値が２３０〜２５１であれば、合算保留記憶数にかかわらず、少なくともスーパーリーチ（スーパーリーチＡ、スーパーリーチＢ）を伴う変動表示が実行されることがわかる。
【０２９９】
また、図１９（Ａ）、（Ｂ）に示すように、この実施の形態では、はずれであるとともに遊技状態が通常状態である場合には、変動パターン種別判定用の乱数（ランダム２）の値が１〜７９であれば、合算保留記憶数にかかわらず、少なくともリーチを伴わない（擬似連や滑り演出などの特定演出も伴わない）通常変動の変動表示が実行されることがわかる。そのようなテーブル構成により、この実施の形態では、判定テーブル（はずれ用変動パターン種別判定テーブル１３５Ａ，１３５Ｂ）は、リーチ用可変表示パターン（リーチを伴う変動パターン）以外の可変表示パターンのうちの少なくとも一部に対して、保留記憶手段（第１保留記憶バッファや第２保留記憶バッファ）が記憶する権利の数（第１保留記憶数や第２保留記憶数、合算保留記憶数）にかかわらず、共通の判定値（図１９（Ａ），（Ｂ）に示す例では１〜７９）が割り当てられるように構成されている。なお、「リーチ用可変表示パターン以外の可変表示パターン」とは、この実施の形態で示したように、例えば、リーチを伴わず、擬似連や滑り演出などの特定演出も伴わず、可変表示結果が大当りとならない場合に用いられる可変表示パターン（変動パターン）のことである。
【０３００】
なお、この実施の形態では、図１８に示すように、現在の遊技状態にかかわらず、共通の大当り用変動パターン種別判定テーブルを用いる場合を示したが、現在の遊技状態が確変状態であるか通常状態であるかに応じて、それぞれ別々に用意された大当り用変動パターン種別判定テーブルを用いるようにしてもよい。また、この実施の形態では、合算保留記憶数が３以上である場合に、図１９（Ｂ）に示す短縮用のはずれ用変動パターン種別判定テーブルを選択して短縮変動の変動パターンが決定される場合があるように構成する場合を示しているが、現在の遊技状態に応じて短縮変動の変動パターンが選択されうる場合の合算保留記憶数（第１保留記憶数や第２保留記憶数でもよい）の閾値を異ならせてもよい。例えば、遊技状態が通常状態である場合には、合算保留記憶数が３である場合に（または、例えば、第１保留記憶数や第２保留記憶数が２である場合に）、短縮用のはずれ用変動パターン種別判定テーブルを選択して短縮変動の変動パターンが決定される場合があるようにし、遊技状態が高ベース状態である場合には、合算保留記憶数がより少ない１や２の場合でも（または、例えば、第１保留記憶数や第２保留記憶数がより少ない０や１の場合でも）、短縮用のはずれ用変動パターン種別判定テーブルを選択して短縮変動の変動パターンが決定される場合があるようにしてもよい。
【０３０１】
図２０（Ａ），（Ｂ）は、ＲＯＭ１０１に記憶されている当り変動パターン判定テーブル１３７Ａ〜１３７Ｂを示す説明図である。当り変動パターン判定テーブル１３７Ａ〜１３７Ｂは、可変表示結果を「大当り」や「小当り」にする旨の判定がなされたときに、大当り種別や変動パターン種別の決定結果などに応じて、変動パターン判定用の乱数（ランダム３）にもとづいて、変動パターンを複数種類のうちのいずれかに決定するために参照されるテーブルである。各当り変動パターン判定テーブル１３７Ａ〜１３７Ｂは、変動パターン種別の決定結果に応じて、使用テーブルとして選択される。すなわち、変動パターン種別をノーマルＣＡ３−１〜ノーマルＣＡ３−２、スーパーＣＡ３−３、非リーチＣＡ３−４のいずれかにする旨の決定結果に応じて当り変動パターン判定テーブル１３７Ａが使用テーブルとして選択され、変動パターン種別を特殊ＣＡ４−１、特殊ＣＡ４−２のいずれかにする旨の決定結果に応じて当り変動パターン判定テーブル１３７Ｂが使用テーブルとして選択される。各当り変動パターン判定テーブル１３７Ａ〜１３７Ｂは、変動パターン種別に応じて、変動パターン判定用の乱数（ランダム３）の値と比較される数値（判定値）であって、演出図柄の可変表示結果が「大当り」である場合に対応した複数種類の変動パターンのいずれかに対応するデータ（判定値）を含む。
【０３０２】
なお、図２０（Ａ）に示す例では、変動パターン種別として、ノーマルリーチのみを伴う変動パターンを含む変動パターン種別であるノーマルＣＡ３−１と、ノーマルリーチおよび擬似連を伴う変動パターンを含む変動パターン種別であるノーマルＣＡ３−２と、スーパーリーチを伴う（スーパーリーチとともに擬似連を伴う場合もある）変動パターンを含む変動パターン種別であるスーパーＣＡ３−３と、突発大当りのみを伴う変動パターンを含む変動パターン種別である非リーチＣＡ３−４とに種別分けされている場合が示されている。また、図２０（Ｂ）に示す例では、変動パターン種別として、非リーチの変動パターンを含む変動パターン種別である特殊ＣＡ４−１と、リーチを伴う変動パターンを含む変動パターン種別である特殊ＣＡ４−２とに種別分けされている場合が示されている。なお、図２０（Ｂ）において、リーチの有無によって変動パターン種別を分けるのではなく、擬似連や滑り演出などの特定演出の有無によって変動パターン種別を分けてもよい。この場合、例えば、特殊ＣＡ４−１は、特定演出を伴わない変動パターンである特殊ＰＧ１−１と特殊ＰＧ２−１を含むようにし、特殊ＣＡ４−２は、特定演出を伴う特殊ＰＧ１−２、特殊ＰＧ１−３および特殊ＰＧ２−２を含むように構成してもよい。
【０３０３】
図２１は、ＲＯＭ１０１に記憶されているはずれ変動パターン判定テーブル１３８Ａを示す説明図である。はずれ変動パターン判定テーブル１３８Ａは、可変表示結果を「はずれ」にする旨の判定がなされたときに、変動パターン種別の決定結果に応じて、変動パターン判定用の乱数（ランダム３）にもとづいて、変動パターンを複数種類のうちのいずれかに決定するために参照されるテーブルである。はずれ変動パターン判定テーブル１３８Ａは、変動パターン種別の決定結果に応じて、使用テーブルとして選択される。
【０３０４】
図２２および図２３は、遊技制御用マイクロコンピュータ１００が送信する演出制御コマンドの内容の一例を示す説明図である。図２２および図２３に示す例において、コマンド８０ＸＸ（Ｈ）は、特別図柄の可変表示に対応して画像表示装置５において可変表示される演出図柄の変動パターンを指定する演出制御コマンド（変動パターンコマンド）である（それぞれ変動パターンＸＸに対応）。つまり、図１５に示された使用されうる変動パターンのそれぞれに対して一意な番号を付した場合に、その番号で特定される変動パターンのそれぞれに対応する変動パターンコマンドがある。なお、「（Ｈ）」は１６進数であることを示す。また、変動パターンを指定する演出制御コマンドは、変動開始を指定するためのコマンドでもある。従って、演出制御用マイクロコンピュータ１１５は、コマンド８０ＸＸ（Ｈ）を受信すると、画像表示装置５において演出図柄の可変表示を開始するように制御する。
【０３０５】
コマンド８Ｃ０１（Ｈ）〜８Ｃ０６（Ｈ）は、大当りとするか否か、小当りとするか否か、および大当り種別を示す演出制御コマンドである。演出制御用マイクロコンピュータ１１５は、コマンド８Ｃ０１（Ｈ）〜８Ｃ０６（Ｈ）の受信に応じて演出図柄の表示結果を決定するので、コマンド８Ｃ０１（Ｈ）〜８Ｃ０６（Ｈ）を表示結果指定コマンドという。
【０３０６】
コマンド８Ｄ０１（Ｈ）は、第１特別図柄の可変表示（変動）を開始することを示す演出制御コマンド（第１図柄変動指定コマンド）である。コマンド８Ｄ０２（Ｈ）は、第２特別図柄の可変表示（変動）を開始することを示す演出制御コマンド（第２図柄変動指定コマンド）である。第１図柄変動指定コマンドと第２図柄変動指定コマンドとを特別図柄特定コマンド（または図柄変動指定コマンド）と総称することがある。なお、第１特別図柄の可変表示を開始するのか第２特別図柄の可変表示を開始するのかを示す情報を、変動パターンコマンドに含めるようにしてもよい。
【０３０７】
コマンド８Ｆ００（Ｈ）は、第４図柄の可変表示（変動）を終了して表示結果（停止図柄）を導出表示することを示す演出制御コマンド（図柄確定指定コマンド）である。演出制御用マイクロコンピュータ１１５は、図柄確定指定コマンドを受信すると、第４図柄の可変表示（変動）を終了して表示結果を導出表示する。
【０３０８】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ１００は、遊技機に対する電力供給が開始されたときに、バックアップＲＡＭにデータが保存されている場合には、停電復旧指定コマンドを送信し、そうでない場合には、初期化指定コマンドを送信する。
【０３０９】
コマンド９Ｆ００（Ｈ）は、客待ちデモンストレーションを指定する演出制御コマンド（客待ちデモ指定コマンド）である。
【０３１０】
コマンドＡ００１，Ａ００２（Ｈ）は、ファンファーレ画面を表示すること、すなわち大当り遊技の開始を指定する演出制御コマンド（大当り開始指定コマンド：ファンファーレ指定コマンド）である。この実施の形態では、大当りの種類に応じて、大当り開始指定コマンドまたは小当り／突然確変大当り開始指定コマンドが用いられる。具体的には、「１５Ｒ確変大当り」や、「８Ｒ確変大当り」である場合には大当り開始指定コマンド（Ａ００１（Ｈ））が用いられ、「突然確変大当り」や「小当り」である場合には小当り／突然確変大当り開始指定コマンド（Ａ００２（Ｈ））が用いられる。なお、遊技制御用マイクロコンピュータ１００は、突然確変大当りである場合に突然確変大当り開始指定用のファンファーレ指定コマンドを送信するものの、小当りである場合にはファンファーレ指定コマンドを送信しないように構成してもよい。
【０３１１】
コマンドＡ１ＸＸ（Ｈ）は、ＸＸで示す回数目（ラウンド）の大入賞口開放中の表示を示す演出制御コマンド（大入賞口開放中指定コマンド）である。なお、大入賞口開放中指定コマンドはラウンドごとにそのラウンドを指定する値がＥＸＴデータに設定されて送信されるので、ラウンドごとに異なる大入賞口開放中指定コマンドが送信される。例えば、大当り遊技中の第１ラウンドを実行する際には、ラウンド１を指定する大入賞口開放中指定コマンド（Ａ１０１（Ｈ））が送信され、大当り遊技中の第１０ラウンドを実行する際には、ラウンド１０を指定する大入賞口開放中指定コマンド（Ａ１０Ａ（Ｈ））が送信される。Ａ２ＸＸ（Ｈ）は、ＸＸで示す回数目（ラウンド）の大入賞口閉鎖を示す演出制御コマンド（大入賞口開放後指定コマンド）である。なお、大入賞口開放後指定コマンドはラウンドごとにそのラウンドを指定する値がＥＸＴデータに設定されて送信されるので、ラウンドごとに異なる大入賞口開放後指定コマンドが送信される。例えば、大当り遊技中の第１ラウンドを終了する際には、ラウンド１を指定する大入賞口開放後指定コマンド（Ａ２０１（Ｈ））が送信され、大当り遊技中の第１０ラウンドを終了する際には、ラウンド１０を指定する大入賞口開放後指定コマンド（Ａ３０Ａ（Ｈ））が送信される。
【０３１２】
コマンドＡ３０１（Ｈ）は、大当り終了画面を表示すること、すなわち大当り遊技の終了を指定する演出制御コマンド（大当り終了指定コマンド：エンディング１指定コマンド）である。なお、大当り終了指定コマンド（Ａ３０１（Ｈ））は、「１５Ｒ確変大当り」や、「８Ｒ確変大当り」による大当り遊技を終了する場合に用いられる。コマンドＡ３０２（Ｈ）は、小当りの遊技の終了または突然確変大当りの遊技の終了を指定する演出制御コマンド（小当り／突然確変大当り終了指定コマンド：エンディング２指定コマンド）である。なお、遊技制御用マイクロコンピュータ１００は、突然確変大当りである場合に突然確変大当り終了指定用のエンディング指定コマンドを送信するものの、小当りである場合にはエンディング指定コマンドを送信しないように構成してもよい。
【０３１３】
コマンドＢ０００（Ｈ）は、遊技状態が通常状態であるときの背景表示を指定する演出制御コマンド（通常状態背景指定コマンド）である。コマンドＢ００１（Ｈ）は、遊技状態が高確率／高ベース状態であるときの背景表示を指定する演出制御コマンド（高確率／高ベース状態背景指定コマンド）である。コマンドＢ００２（Ｈ）は、遊技状態が高確率／低ベース状態であるときの背景表示を指定する演出制御コマンド（高確率／低ベース状態背景指定コマンド）である。
【０３１４】
コマンドＣ０００（Ｈ）は、第１始動入賞があったことを指定する演出制御コマンド（第１始動入賞指定コマンド）である。コマンドＣ１００（Ｈ）は、第２始動入賞があったことを指定する演出制御コマンド（第２始動入賞指定コマンド）である。なお、この実施の形態では、以下、第１始動入賞指定コマンドと第２始動入賞指定コマンドとを、始動入賞指定コマンドと総称することがある。
【０３１５】
コマンドＣ２ＸＸ（Ｈ）は、第１保留記憶数と第２保留記憶数との合計である合計数（合算保留記憶数）を指定する演出制御コマンド（合算保留記憶数指定コマンド）である。コマンドＣ２ＸＸ（Ｈ）における「ＸＸ」が、合算保留記憶数を示す。コマンドＣ３００（Ｈ）は、合算保留記憶数を１減算することを指定する演出制御コマンド（合算保留記憶数減算指定コマンド）である。なお、この実施の形態では、遊技制御用マイクロコンピュータ１００は、合算保留記憶数を減算する場合には合算保留記憶数減算指定コマンドを送信するが、合算保留記憶数減算指定コマンドを使用せず、合算保留記憶数を減算するときに、減算後の合算保留記憶数を指定する合算保留記憶数指定コマンドを送信するようにしてもよい。
【０３１６】
なお、この実施の形態では、保留記憶数を指定するコマンドとして、合算保留記憶数を指定する合算保留記憶数指定コマンドを送信する場合を示しているが、第１保留記憶と第２保留記憶とのうち増加した方の保留記憶数を指定するコマンドを送信するように構成してもよい。具体的には、第１保留記憶が増加した場合に第１保留記憶数を指定する第１保留記憶数指定コマンドを送信し、第２保留記憶が増加した場合に第２保留記憶数を指定する第２保留記憶数指定コマンドを送信するようにしてもよい。
【０３１７】
また、この実施の形態では、保留記憶情報として、普通入賞球装置６Ａと普通可変入賞球装置６Ｂとのいずれに始動入賞したかを指定する始動入賞指定コマンドを送信するとともに、合算保留記憶数を指定する合算保留記憶数指定コマンドを送信する場合を示しているが、保留記憶情報として送信する演出制御コマンドは、この実施の形態で示したものにかぎられない。例えば、保留記憶数が増加したときに、第１保留記憶数または第２保留記憶数が増加したことを示す保留記憶数加算指定コマンド（第１保留記憶数加算指定コマンドまたは第２保留記憶数加算指定コマンド）を送信する一方、保留記憶数が減少したときに、第１保留記憶数または第２保留記憶数が減少したことを示す保留記憶数減算指定コマンド（第１保留記憶数減算指定コマンドまたは第２保留記憶数減算指定コマンド）を送信するようにしてもよい。
【０３１８】
コマンドＣ４ＸＸ（Ｈ）およびコマンドＣ６ＸＸ（Ｈ）は、入賞時判定結果の内容を示す演出制御コマンド（入賞時判定結果指定コマンド）である。このうち、コマンドＣ４ＸＸ（Ｈ）は、入賞時判定結果のうち、大当りとなるか否かや、小当りとなるか否か、大当りの種別の判定結果を示す演出制御コマンド（図柄指定コマンド）である。また、コマンドＣ６ＸＸ（Ｈ）は、入賞時判定結果のうち、変動パターン種別判定用乱数の値がいずれの判定値の範囲となるかの判定結果（変動パターン種別の判定結果）を示す演出制御コマンド（変動カテゴリコマンド）である。
【０３１９】
この実施の形態では、後述する入賞時演出処理（図３０参照）において、遊技制御用マイクロコンピュータ１００は、始動入賞時に、大当りとなるか否かや、小当りとなるか否か、大当りの種別、変動パターン種別判定用乱数の値がいずれの判定値の範囲にとなるかを判定する。そして、図柄指定コマンドのＥＸＴデータに、大当りや小当りとなることを指定する値や、大当りの種別を指定する値を設定し、演出制御用マイクロコンピュータ１１５に対して送信する制御を行う。また、変動カテゴリコマンドのＥＸＴデータに判定結果としての判定値の範囲を指定する値を設定し、演出制御用マイクロコンピュータ１１５に対して送信する制御を行う。なお、この実施の形態では、演出制御用マイクロコンピュータ１１５は、図柄指定コマンドに設定されている値にもとづいて、表示結果が大当りや小当りとなるか否か、大当りの種別を認識できるとともに、変動カテゴリコマンドにもとづいて、変動パターン種別判定用乱数の値が所定の判定値となる場合には変動パターン種別を認識できる。
【０３２０】
図２４は、図柄指定コマンドの内容の一例を示す説明図である。図２４に示すように、この実施の形態では、大当りや小当りとなるか否かと、大当りの種別とに応じて、ＥＸＴデータが設定され、図柄指定コマンドが送信される。
【０３２１】
例えば、後述する入賞時演出処理において、「はずれ」となると判定された場合には、ＣＰＵ１０３は、ＥＸＴデータに「００（Ｈ）」を設定した図柄指定コマンド（図柄１指定コマンド）を送信する。また、例えば、「１５Ｒ確変大当り」となると判定された場合には、ＣＰＵ１０３は、ＥＸＴデータに「０１（Ｈ）」を設定した図柄指定コマンド（図柄２指定コマンド）を送信する。また、例えば、「８Ｒ確変大当り」となると判定された場合には、ＣＰＵ１０３は、ＥＸＴデータに「０２（Ｈ）」を設定した図柄指定コマンド（図柄３指定コマンド）を送信する。また、例えば、「突然確変大当り」となると判定された場合には、ＣＰＵ１０３は、ＥＸＴデータに「０４（Ｈ）」を設定した図柄指定コマンド（図柄５指定コマンド）を送信する。また、例えば、「小当り」となると判定された場合には、ＣＰＵ１０３は、ＥＸＴデータに「０５（Ｈ）」を設定した図柄指定コマンド（図柄６指定コマンド）を送信する。なお、図柄指定コマンドに設定されるＥＸＴデータと、表示結果指定コマンドに設定されるＥＸＴデータとを共通化してもよい。そのように構成すれば、図柄指定コマンドを設定する際と表示結果指定コマンドを設定する際とで、読み出すデータを共通化することができる。
【０３２２】
図２５および図２６は、変動カテゴリコマンドの内容の一例を示す説明図である。図２５および図２６に示すように、この実施の形態では、いずれの遊技状態であるかと、特別図柄や演出図柄の表示結果がいずれの表示結果となるかと、始動入賞時に変動パターン種別判定用乱数の値がいずれの判定値の範囲になると判定したとかとに応じて、ＥＸＴデータに値が設定され、変動カテゴリコマンドが送信される。
【０３２３】
例えば、始動入賞時に、遊技状態が通常状態且つはずれとなると判定した場合、後述する入賞時演出処理のステップＳ２３２において、ＣＰＵ１０３は、まず、変動パターン種別判定用乱数の値が１〜７９となるか否かを判定する。変動パターン種別判定用乱数の値が１〜７９となる場合には、ＣＰＵ１０３は、ＥＸＴデータに「００（Ｈ）」を設定した変動カテゴリ１コマンドを送信する。なお、この実施の形態では、遊技状態が通常状態である場合には、合算保留記憶数にかかわらず、判定値１〜７９の範囲には非リーチＣＡ２−１の変動パターン種別が共通に割り当てられているのであるから、演出制御用マイクロコンピュータ１１５は、変動カテゴリ１コマンドを受信したことにもとづいて、少なくとも変動パターン種別が非リーチＣＡ２−１となることを認識することができる。次いで、ＣＰＵ１０３は、変動パターン種別判定用乱数の値が８０〜８９となる場合には、ＥＸＴデータに「０１（Ｈ）」を設定した変動カテゴリ２コマンドを送信する。次いで、ＣＰＵ１０３は、変動パターン種別判定用乱数の値が９０〜９９となる場合には、ＥＸＴデータに「０２（Ｈ）」を設定した変動カテゴリ３コマンドを送信する。次いで、ＣＰＵ１０３は、変動パターン種別判定用乱数の値が１００〜１６９となる場合には、ＥＸＴデータに「０３（Ｈ）」を設定した変動カテゴリ４コマンドを送信する。次いで、ＣＰＵ１０３は、変動パターン種別判定用乱数の値が１７０〜１９９となる場合には、ＥＸＴデータに「０４（Ｈ）」を設定した変動カテゴリ５コマンドを送信する。次いで、ＣＰＵ１０３は、変動パターン種別判定用乱数の値が２００〜２１４となる場合には、ＥＸＴデータに「０５（Ｈ）」を設定した変動カテゴリ６コマンドを送信する。次いで、ＣＰＵ１０３は、変動パターン種別判定用乱数の値が２１５〜２２９となる場合には、ＥＸＴデータに「０６（Ｈ）」を設定した変動カテゴリ７コマンドを送信する。次いで、ＣＰＵ１０３は、変動パターン種別判定用乱数の値が２３０〜２５１となる場合には、ＥＸＴデータに「０７（Ｈ）」を設定した変動カテゴリ８コマンドを送信する。なお、この実施の形態では、遊技状態が通常状態である場合には、合算保留記憶数にかかわらず、判定値２３０〜２５１の範囲にはスーパーＣＡ２−７の変動パターン種別が共通に割り当てられているのであるから、演出制御用マイクロコンピュータ１１５は、変動カテゴリ８コマンドを受信したことにもとづいて、少なくとも変動パターン種別がスーパーＣＡ２−７となることを認識することができる。
【０３２４】
なお、上記のいずれの変動カテゴリに属するかを判定するために用いられる閾値７９、８９、９９、１６９、１９９、２１４および２２９は、具体的には、図１９（Ａ），（Ｂ）に示すはずれ用変動パターン種別判定テーブルにおける各変動パターン種別に割り当てられた判定値の範囲の境界となりうる値をピックアップして導き出されたものである。このことは、以降の変動カテゴリ９〜１２，２１〜２９についても同様であり、図１８（Ａ）〜（Ｄ）や図１９（Ｃ），（Ｄ）に示す変動パターン種別判定テーブルにおける各変動パターン種別に割り当てられた判定値の範囲の境界となりうる値をピックアップしてカテゴリ判定のために用いられる閾値が導き出される。
【０３２５】
また、例えば、始動入賞時に、遊技状態が高確率／高ベース状態且つはずれとなると判定した場合、後述する入賞時演出処理のステップＳ２３２において、ＣＰＵ１０３は、まず、変動パターン種別判定用乱数の値が１〜２１９となるか否かを判定する。変動パターン種別判定用乱数の値が１〜２１９となる場合（すなわち、非リーチＣＡ２−３の変動パターン種別となる場合）には、ＣＰＵ１０３は、ＥＸＴデータに「０８（Ｈ）」を設定した変動カテゴリ９コマンドを送信する。次いで、ＣＰＵ１０３は、変動パターン種別判定用乱数の値が２２０〜２５１となる場合（すなわち、スーパーＣＡ２−７の変動パターン種別となる場合）には、ＥＸＴデータに「０９（Ｈ）」を設定した変動カテゴリ１０コマンドを送信する。
【０３２６】
また、例えば、始動入賞時に、遊技状態が高確率／低ベース状態且つはずれとなると判定した場合、後述する入賞時演出処理のステップＳ２３２において、ＣＰＵ１０３は、まず、変動パターン種別判定用乱数の値が１〜７９となるか否かを判定する。変動パターン種別判定用乱数の値が１〜７９となる場合（すなわち、非リーチＣＡ２−１の変動パターン種別となる場合）には、ＣＰＵ１０３は、ＥＸＴデータに「０Ａ（Ｈ）」を設定した変動カテゴリ１１コマンドを送信する。次いで、ＣＰＵ１０３は、変動パターン種別判定用乱数の値が８０〜２５１となる場合（すなわち、スーパーＣＡ２−７の変動パターン種別となる場合）には、ＥＸＴデータに「０Ｂ（Ｈ）」を設定した変動カテゴリ１２コマンドを送信する。
【０３２７】
なお、遊技状態が確変状態（高確率／高ベース状態や高確率／低ベース状態）である場合にも、判定値２３０〜２５１の範囲にスーパーＣＡ２−７の変動パターン種別を割り当てるようにしてもよい。そのようにすれば、遊技状態にかかわらず、スーパーＣＡ２−７の変動パターン種別に対して共通の判定値が割り当てられるようにすることができる。そのため、後述する入賞時演出の処理のステップＳ２３２の処理を実行する際に、はずれであれば、遊技状態にかかわらず共通の判定処理を行えばよくなり、プログラム容量をより低減することができる。また、この場合、ステップＳ２２６の遊技状態の判定処理も不要とすることができる。
【０３２８】
また、例えば、始動入賞時に、「８Ｒ確変大当り」となると判定した場合、後述する入賞時演出処理のステップＳ２３２において、ＣＰＵ１０３は、まず、変動パターン種別判定用乱数の値が１〜７４となるか否かを判定する。変動パターン種別判定用乱数の値が１〜７４となる場合（すなわち、ノーマルＣＡ３−１の変動パターン種別となる場合）には、ＣＰＵ１０３は、ＥＸＴデータに「１０（Ｈ）」を設定した変動カテゴリ２１コマンドを送信する。次いで、ＣＰＵ１０３は、変動パターン種別判定用乱数の値が７５〜１４９となる場合（すなわち、ノーマルＣＡ３−２の変動パターン種別となる場合）には、ＥＸＴデータに「１１（Ｈ）」を設定した変動カテゴリ２２コマンドを送信する。次いで、ＣＰＵ１０３は、変動パターン種別判定用乱数の値が１５０〜２４１となる場合（すなわち、スーパーＣＡ３−３の変動パターン種別となる場合）には、ＥＸＴデータに「１２（Ｈ）」を設定した変動カテゴリ２３コマンドを送信する。また、ＣＰＵ１０３は、変動パターン種別判定用乱数の値が２４２〜２５１となる場合（すなわち、非リーチＣＡ３−４の変動パターン種別となる場合）には、ＥＸＴデータに「１９（Ｈ）」を設定した変動カテゴリ３０コマンドを送信する。
【０３２９】
また、例えば、始動入賞時に、「１５Ｒ確変大当り」となると判定した場合、後述する入賞時演出処理のステップＳ２３２において、ＣＰＵ１０３は、まず、変動パターン種別判定用乱数の値が１〜３８となるか否かを判定する。変動パターン種別判定用乱数の値が１〜３８となる場合（すなわち、ノーマルＣＡ３−１の変動パターン種別となる場合）には、ＣＰＵ１０３は、ＥＸＴデータに「１３（Ｈ）」を設定した変動カテゴリ２４コマンドを送信する。次いで、ＣＰＵ１０３は、変動パターン種別判定用乱数の値が３９〜７９となる場合（すなわち、ノーマルＣＡ３−２の変動パターン種別となる場合）には、ＥＸＴデータに「１４（Ｈ）」を設定した変動カテゴリ２５コマンドを送信する。次いで、ＣＰＵ１０３は、変動パターン種別判定用乱数の値が８０〜２２１となる場合（すなわち、スーパーＣＡ３−３の変動パターン種別となる場合）には、ＥＸＴデータに「１５（Ｈ）」を設定した変動カテゴリ２６コマンドを送信する。また、ＣＰＵ１０３は、変動パターン種別判定用乱数の値が２２２〜２５１となる場合（すなわち、非リーチＣＡ３−４の変動パターン種別となる場合）には、ＥＸＴデータに「１Ａ（Ｈ）」を設定した変動カテゴリ３１コマンドを送信する。
【０３３０】
また、例えば、始動入賞時に、突然確変大当りとなると判定した場合、後述する入賞時演出処理のステップＳ２３２において、ＣＰＵ１０３は、まず、変動パターン種別判定用乱数の値が１〜１００となるか否かを判定する。変動パターン種別判定用乱数の値が１〜１００となる場合（すなわち、特殊ＣＡ４−１の変動パターン種別となる場合）には、ＣＰＵ１０３は、ＥＸＴデータに「１６（Ｈ）」を設定した変動カテゴリ２７コマンドを送信する。次いで、ＣＰＵ１０３は、変動パターン種別判定用乱数の値が１０１〜２５１場合（すなわち、特殊ＣＡ４−２の変動パターン種別となる場合）には、ＥＸＴデータに「１７（Ｈ）」を設定した変動カテゴリ２８コマンドを送信する。
【０３３１】
また、例えば、始動入賞時に、小当りとなると判定した場合、ＣＰＵ１０３は、ＥＸＴデータに「１８（Ｈ）」を設定した変動カテゴリ２９コマンドを送信する。
【０３３２】
演出制御基板１２に搭載されている演出制御用マイクロコンピュータ１１５（具体的には、演出制御用ＣＰＵ１２０）は、主基板１１に搭載されている遊技制御用マイクロコンピュータ１００から上述した演出制御コマンドを受信すると、図２２および図２３に示された内容に応じて画像表示装置５の表示状態を変更したり、ランプの表示状態を変更したり、音声出力基板７０に対して音番号データを出力したりする。
【０３３３】
例えば、遊技制御用マイクロコンピュータ１００は、始動入賞があり第１特別図柄表示装置４Ａまたは第２特別図柄表示装置４Ｂにおいて特別図柄の可変表示が開始される度に、演出図柄の変動パターンを指定する変動パターンコマンドおよび表示結果指定コマンドを演出制御用マイクロコンピュータ１１５に送信する。
【０３３４】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。例えば、１バイトや３バイト以上で構成される制御コマンドを用いてもよい。
【０３３５】
なお、演出制御コマンドの送出方式として、演出制御信号ＣＤ０〜ＣＤ７の８本のパラレル信号線で１バイトずつ主基板１１から中継基板７７を介して演出制御基板１２に演出制御コマンドデータを出力し、演出制御コマンドデータの他に、演出制御コマンドデータの取込を指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板１２に搭載されている演出制御用マイクロコンピュータ１１５は、演出制御ＩＮＴ信号が立ち上がったことを検知して、割込処理によって１バイトのデータの取り込み処理を開始する。
【０３３６】
図２２および図２３に示す例では、変動パターンコマンドおよび表示結果指定コマンドを、第１特別図柄表示装置４Ａでの第１特別図柄の変動に対応した演出図柄の可変表示（変動）と第２特別図柄表示装置４Ｂでの第２特別図柄の変動に対応した演出図柄の可変表示（変動）とで共通に使用でき、第１特別図柄および第２特別図柄の可変表示に伴って演出を行う画像表示装置５などの演出用部品を制御する際に、遊技制御用マイクロコンピュータ１００から演出制御用マイクロコンピュータ１１５に送信されるコマンドの種類を増大させないようにすることができる。
【０３３７】
図２７は、主基板１１に搭載される遊技制御用マイクロコンピュータ１００（具体的には、ＣＰＵ１０３）が実行する特別図柄プロセス処理（ステップＳ２６）のプログラムの一例を示すフローチャートである。上述したように、特別図柄プロセス処理では第１特別図柄表示装置４Ａまたは第２特別図柄表示装置４Ｂおよび大入賞口を制御するための処理が実行される。特別図柄プロセス処理において、ＣＰＵ１０３は、普通入賞球装置６Ａに遊技球が入賞したことを検出するための第１始動口スイッチ２２Ａがオンしていたら、すなわち、普通入賞球装置６Ａへの始動入賞が発生していたら、または、普通可変入賞球装置６Ｂに遊技球が入賞したことを検出するための第２始動口スイッチ２２Ｂがオンしていたら、すなわち普通可変入賞球装置６Ｂへの始動入賞が発生していたら、始動口スイッチ通過処理を実行する（ステップＳ３１１，Ｓ３１２）。そして、ステップＳ３００〜Ｓ３１０のうちのいずれかの処理を行う。第１始動口スイッチ２２Ａまたは第２始動口スイッチ２２Ｂがオンしていなければ、内部状態に応じて、ステップＳ３００〜Ｓ３１０のうちのいずれかの処理を行う。
【０３３８】
ステップＳ３００〜Ｓ３１０の処理は、以下のような処理である。
【０３３９】
特別図柄通常処理（ステップＳ３００）：特別図柄プロセスフラグの値が０であるときに実行される。遊技制御用マイクロコンピュータ１００は、特別図柄の可変表示が開始できる状態になると、保留記憶バッファに記憶される数値データの記憶数（合算保留記憶数）を確認する。保留記憶バッファに記憶される数値データの記憶数は合算保留記憶数カウンタのカウント値により確認できる。また、合算保留記憶数カウンタのカウント値が０でなければ、第１特別図柄または第２特別図柄の可変表示の表示結果を大当りとするか否かを決定する。大当りとする場合には大当りフラグをセットする。そして、内部状態（特別図柄プロセスフラグ）をステップＳ３０１に応じた値（この例では１）に更新する。なお、大当りフラグは、大当り遊技が終了するときにリセットされる。
【０３４０】
変動パターン設定処理（ステップＳ３０１）：特別図柄プロセスフラグの値が１であるときに実行される。また、変動パターンを決定し、その変動パターンにおける変動時間（可変表示時間：可変表示を開始してから表示結果を導出表示（停止表示）するまでの時間）を特別図柄の可変表示の変動時間とすることに決定する。また、決定した変動パターンに応じた変動パターンコマンドを演出制御用マイクロコンピュータ１１５に送信する制御を行い、特別図柄の変動時間を計測する変動時間タイマをスタートさせる。そして、内部状態（特別図柄プロセスフラグ）をステップＳ３０２に対応した値（この例では２）に更新する。
【０３４１】
表示結果指定コマンド送信処理（ステップＳ３０２）：特別図柄プロセスフラグの値が２であるときに実行される。演出制御用マイクロコンピュータ１１５に、表示結果指定コマンドを送信する制御を行う。そして、内部状態（特別図柄プロセスフラグ）をステップＳ３０３に対応した値（この例では３）に更新する。
【０３４２】
特別図柄変動中処理（ステップＳ３０３）：特別図柄プロセスフラグの値が３であるときに実行される。変動パターン設定処理で選択された変動パターンの変動時間が経過（ステップＳ３０１でセットされる変動時間タイマがタイムアウトすなわち変動時間タイマの値が０になる）すると、演出制御用マイクロコンピュータ１１５に、図柄確定指定コマンドを送信する制御を行い、内部状態（特別図柄プロセスフラグ）をステップＳ３０４に対応した値（この例では４）に更新する。なお、演出制御用マイクロコンピュータ１１５は、遊技制御用マイクロコンピュータ１００が送信する図柄確定指定コマンドを受信すると画像表示装置５において第４図柄が停止されるように制御する。
【０３４３】
特別図柄停止処理（ステップＳ３０４）：特別図柄プロセスフラグの値が４であるときに実行される。大当りフラグがセットされている場合に、内部状態（特別図柄プロセスフラグ）をステップＳ３０５に対応した値（この例では５）に更新する。また、小当りフラグがセットされている場合には、内部状態（特別図柄プロセスフラグ）をステップＳ３０８に対応した値（この例では８）に更新する。大当りフラグおよび小当りフラグのいずれもセットされていない場合には、内部状態（特別図柄プロセスフラグ）をステップＳ３００に対応した値（この例では０）に更新する。なお、この実施の形態では、特別図柄プロセスフラグの値が４となったことにもとづいて、後述するように、特別図柄表示制御処理において特別図柄の停止図柄を停止表示するための特別図柄表示制御データが特別図柄表示制御データ設定用の出力バッファに設定され、ステップＳ２２の表示制御処理において出力バッファの設定内容に応じて実際に特別図柄の停止図柄が停止表示される。
【０３４４】
大入賞口開放前処理（ステップＳ３０５）：特別図柄プロセスフラグの値が５であるときに実行される。大入賞口開放前処理では、大入賞口を開放する制御を行う。具体的には、カウンタ（例えば、大入賞口に入った遊技球数をカウントするカウンタ）などを初期化するとともに、ソレノイド１９を駆動して大入賞口を開放状態にする。また、大入賞口開放中指定コマンドを演出制御用マイクロコンピュータ１１５に送信する制御を行うとともに、タイマによって大入賞口開放中処理の実行時間を設定し、内部状態（特別図柄プロセスフラグ）をステップＳ３０６に対応した値（この例では６）に更新する。なお、大入賞口開放前処理はラウンド毎に実行されるが、第１ラウンドを開始する場合には、大入賞口開放前処理は大当り遊技を開始する処理でもある。また、大入賞口開放中指定コマンドはラウンドごとにそのラウンドを指定する値がＥＸＴデータに設定されて送信されるので、ラウンドごとに異なる大入賞口開放中指定コマンドが送信される。例えば、大当り遊技中の第１ラウンドを実行する際には、ラウンド１を指定する大入賞口開放中指定コマンド（Ａ１０１（Ｈ））が送信され、大当り遊技中の第１０ラウンドを実行する際には、ラウンド１０を指定する大入賞口開放中指定コマンド（Ａ１０Ａ（Ｈ））が送信される。
【０３４５】
大入賞口開放中処理（ステップＳ３０６）：特別図柄プロセスフラグの値が６であるときに実行される。大入賞口開放中処理では、大入賞口の閉成条件の成立を確認する処理等を行う。大入賞口の閉成条件が成立し、かつ、まだ残りラウンドがある場合には、内部状態（特別図柄プロセスフラグ）をステップＳ３０５に対応した値（この例では５）に更新する。また、大当り中開放後指定コマンドを演出制御用マイクロコンピュータ１１５に送信する制御を行うとともに、全てのラウンドを終えた場合には、内部状態（特別図柄プロセスフラグ）をステップＳ３０７に対応した値（この例では７）に更新する。
【０３４６】
大当り終了処理（ステップＳ３０７）：特別図柄プロセスフラグの値が７であるときに実行される。大当り遊技状態が終了したことを遊技者に報知する表示制御を演出制御用マイクロコンピュータ１１５に行わせるための制御を行う。また、遊技状態を示すフラグ（例えば、高確率フラグや高ベースフラグ）をセットする処理を行う。そして、内部状態（特別図柄プロセスフラグ）をステップＳ３００に対応した値（この例では０）に更新する。
【０３４７】
小当り開放前処理（ステップＳ３０８）：特別図柄プロセスフラグの値が８であるときに実行される。小当り開放前処理では、大入賞口を開放する制御を行う。具体的には、カウンタ（例えば、大入賞口に入った遊技球数をカウントするカウンタ）などを初期化するとともに、ソレノイド１９を駆動して大入賞口を開放状態にする。また、タイマによって大入賞口開放中処理の実行時間を設定し、内部状態（特別図柄プロセスフラグ）をステップＳ３０９に対応した値（この例では９）に更新する。なお、小当り開放前処理は小当り遊技中の大入賞口の開放毎に実行されるが、小当り遊技中の最初の開放を開始する場合には、小当り開放前処理は小当り遊技を開始する処理でもある。
【０３４８】
小当り開放中処理（ステップＳ３０９）：特別図柄プロセスフラグの値が９であるときに実行される。大入賞口の閉成条件の成立を確認する処理等を行う。大入賞口の閉成条件が成立し、かつ、まだ大入賞口の開放回数が残っている場合には、内部状態（特別図柄プロセスフラグ）をステップＳ３０８に対応した値（この例では８）に更新する。また、全ての開放を終えた場合には、内部状態（特別図柄プロセスフラグ）をステップＳ３１０に対応した値（この例では１０）に更新する。
【０３４９】
小当り終了処理（ステップＳ３１０）：特別図柄プロセスフラグの値が１０であるときに実行される。小当り遊技状態が終了したことを遊技者に報知する表示制御を演出制御用マイクロコンピュータ１１５に行わせるための制御を行う。そして、内部状態（特別図柄プロセスフラグ）をステップＳ３００に対応した値（この例では０）に更新する。
【０３５０】
図２８は、ステップＳ３１２の始動口スイッチ通過処理を示すフローチャートである。始動口スイッチ通過処理において、ＣＰＵ１０３は、まず、第１始動口スイッチ２２Ａがオン状態であるか否かを確認する（ステップＳ１２１１）。第１始動口スイッチ２２Ａがオン状態でなければ、ステップＳ１２２２に移行する。第１始動口スイッチ２２Ａがオン状態であれば、ＣＰＵ１０３は、第１保留記憶数が上限値に達しているか否か（具体的には、第１保留記憶数をカウントするための第１保留記憶数カウンタの値が４であるか否か）を確認する（ステップＳ１２１２）。第１保留記憶数が上限値に達していれば、ステップＳ１２２２に移行する。
【０３５１】
第１保留記憶数が上限値に達していなければ、ＣＰＵ１０３は、第１保留記憶数カウンタの値を１増やす（ステップＳ１２１３）とともに、合算保留記憶数をカウントするための合算保留記憶数カウンタの値を１増やす（ステップＳ１２１４）。また、ＣＰＵ１０３は、普通入賞球装置６Ａおよび普通可変入賞球装置６Ｂへの入賞順を記憶するための保留記憶特定情報記憶領域（保留特定領域）において、合算保留記憶数カウンタの値に対応した領域に、「第１」を示すデータをセットする（ステップＳ１２１５）。
【０３５２】
この実施の形態では、第１始動口スイッチ２２Ａがオン状態となった場合（すなわち、普通入賞球装置６Ａに遊技球が始動入賞した場合）には「第１」を示すデータをセットし、第２始動口スイッチ２２Ｂがオン状態となった場合（すなわち、普通可変入賞球装置６Ｂに遊技球が始動入賞した場合）には「第２」を示すデータをセットする。例えば、ＣＰＵ１０３は、保留記憶特定情報記憶領域（保留特定領域）において、第１始動口スイッチ２２Ａがオン状態となった場合には「第１」を示すデータとして０１（Ｈ）をセットし、第２始動口スイッチ２２Ｂがオン状態となった場合には「第２」を示すデータとして０２（Ｈ）をセットする。なお、この場合、対応する保留記憶がない場合には、保留記憶特定情報記憶領域（保留特定領域）には、００（Ｈ）がセットされている。
【０３５３】
図２９（Ａ）は、保留記憶特定情報記憶領域（保留特定領域）の構成例を示す説明図である。図２９（Ａ）に示すように、保留特定領域には、合算保留記憶数カウンタの値の最大値（この例では８）に対応した領域が確保されている。なお、図２９（Ａ）には、合算保留記憶数カウンタの値が５である場合の例が示されている。図２９（Ａ）に示すように、保留特定領域には、合算保留記憶数カウンタの値の最大値（この例では８）に対応した領域が確保されており、普通入賞球装置６Ａまたは普通可変入賞球装置６Ｂへの入賞にもとづき入賞順に「第１」または「第２」であることを示すデータがセットされる。従って、保留記憶特定情報記憶領域（保留特定領域）には、普通入賞球装置６Ａおよび普通可変入賞球装置６Ｂへの入賞順が記憶される。なお、保留特定領域は、ＲＡＭ１０２に形成されている。
【０３５４】
次いで、ＣＰＵ１０３は、乱数回路５３０やソフトウェア乱数を生成するためのカウンタから値を抽出し、それらを、第１保留記憶バッファ（図２９（Ｂ）参照）における保存領域に格納する処理を実行する（ステップＳ１２１６）。なお、ステップＳ１２１６の処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン判定用乱数（ランダム３）を始動口スイッチ通過処理（始動入賞時）において抽出して保存領域にあらかじめ格納しておくのではなく、第１特別図柄の変動開始時に抽出するようにしてもよい。例えば、遊技制御用マイクロコンピュータ１００は、後述する変動パターン設定処理において、変動パターン判定用乱数（ランダム３）を生成するための変動パターン判定用乱数カウンタから値を直接抽出するようにしてもよい。
【０３５５】
図２９（Ｂ）は、保留記憶に対応する乱数等を保存する領域（保留バッファ）の構成例を示す説明図である。図２９（Ｂ）に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。この実施の形態では、第１保留記憶バッファおよび第２保留記憶バッファには、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が記憶される。なお、第１保留記憶バッファおよび第２保留記憶バッファは、ＲＡＭ１０２に形成されている。
【０３５６】
次いで、ＣＰＵ１０３は、検出した始動入賞にもとづく変動がその後実行されたときの変動表示結果や変動パターン種別を始動入賞時にあらかじめ判定する入賞時演出処理を実行する（ステップＳ１２１７）。そして、ＣＰＵ１０３は、入賞時演出処理の判定結果にもとづいて図柄指定コマンドを演出制御用マイクロコンピュータ１１５に送信する制御を行う（ステップＳ１２１８）とともに、変動カテゴリコマンドを演出制御用マイクロコンピュータ１１５に送信する制御を行う（ステップＳ１２１９）。また、ＣＰＵ１０３は、第１始動入賞指定コマンドを演出制御用マイクロコンピュータ１１５に送信する制御を行う（ステップＳ１２２０）とともに、合算保留記憶数カウンタの値をＥＸＴデータに設定して合算保留記憶数指定コマンドを演出制御用マイクロコンピュータ１１５に送信する制御を行う（ステップＳ１２２１）。
【０３５７】
なお、ステップＳ１２１８，Ｓ１２１９の処理を実行することによって、この実施の形態では、遊技状態（高確率状態や高ベース状態であるか否か、大当り遊技状態であるか否か）にかかわらず、ＣＰＵ１０３は、普通入賞球装置６Ａに始動入賞するごとに、必ず図柄指定コマンドおよび変動カテゴリコマンドの両方を演出制御用マイクロコンピュータ１１５に対して送信する。
【０３５８】
また、この実施の形態では、ステップＳ１２１８〜Ｓ１２２１の処理が実行されることによって、普通入賞球装置６Ａへの始動入賞が発生したときに、図柄指定コマンド、変動カテゴリコマンド、第１始動入賞指定コマンドおよび合算保留記憶数指定コマンドの４つのコマンドのセットが１タイマ割込内に一括して送信される。
【０３５９】
次いで、ＣＰＵ１０３は、第２始動口スイッチ２２Ｂがオン状態であるか否かを確認する（ステップＳ１２２２）。第２始動口スイッチ２２Ｂがオン状態でなければ、そのまま処理を終了する。第２始動口スイッチ２２Ｂがオン状態であれば、ＣＰＵ１０３は、第２保留記憶数が上限値に達しているか否か（具体的には、第２保留記憶数をカウントするための第２保留記憶数カウンタの値が４であるか否か）を確認する（ステップＳ１２２３）。第２保留記憶数が上限値に達していれば、そのまま処理を終了する。
【０３６０】
第２保留記憶数が上限値に達していなければ、ＣＰＵ１０３は、第２保留記憶数カウンタの値を１増やす（ステップＳ１２２４）とともに、合算保留記憶数をカウントするための合算保留記憶数カウンタの値を１増やす（ステップＳ１２２５）。また、ＣＰＵ１０３は、保留記憶特定情報記憶領域（保留特定領域）において、合算保留記憶数カウンタの値に対応した領域に、「第２」を示すデータをセットする（ステップＳ１２２６）。
【０３６１】
次いで、ＣＰＵ１０３は、乱数回路５３０やソフトウェア乱数を生成するためのカウンタから値を抽出し、それらを、第２保留記憶バッファ（図２９（Ｂ）参照）における保存領域に格納する処理を実行する（ステップＳ１２２７）。なお、ステップＳ１２２７の処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン判定用乱数（ランダム３）を始動口スイッチ通過処理（始動入賞時）において抽出して保存領域にあらかじめ格納しておくのではなく、第２特別図柄の変動開始時に抽出するようにしてもよい。例えば、遊技制御用マイクロコンピュータ１００は、後述する変動パターン設定処理において、変動パターン判定用乱数（ランダム３）を生成するための変動パターン判定用乱数カウンタから値を直接抽出するようにしてもよい。
【０３６２】
次いで、ＣＰＵ１０３は、入賞時演出処理を実行する（ステップＳ１２２８）。そして、ＣＰＵ１０３は、入賞時演出処理の判定結果にもとづいて図柄指定コマンドを演出制御用マイクロコンピュータ１１５に送信する制御を行う（ステップＳ１２２９）とともに、変動カテゴリコマンドを演出制御用マイクロコンピュータ１１５に送信する制御を行う（ステップＳ１２３０）。また、ＣＰＵ１０３は、第２始動入賞指定コマンドを演出制御用マイクロコンピュータ１１５に送信する制御を行う（ステップＳ１２３１）とともに、合算保留記憶数カウンタの値をＥＸＴデータに設定して合算保留記憶数指定コマンドを演出制御用マイクロコンピュータ１１５に送信する制御を行う（ステップＳ１２３２）。
【０３６３】
なお、ステップＳ１２２９，Ｓ１２３０の処理を実行することによって、この実施の形態では、遊技状態（高確率状態や高ベース状態であるか否か、大当り遊技状態であるか否か）にかかわらず、ＣＰＵ１０３は、普通可変入賞球装置６Ｂに始動入賞するごとに、必ず図柄指定コマンドおよび変動カテゴリコマンドの両方を演出制御用マイクロコンピュータ１１５に対して送信する。
【０３６４】
また、この実施の形態では、ステップＳ１２２９〜Ｓ１２３２の処理が実行されることによって、普通可変入賞球装置６Ｂへの始動入賞が発生したときに、図柄指定コマンド、変動カテゴリコマンド、第２始動入賞指定コマンドおよび合算保留記憶数指定コマンドの４つのコマンドのセットが１タイマ割込内に一括して送信される。
【０３６５】
図３０は、ステップＳ１２１７，Ｓ１２２８の入賞時演出処理を示すフローチャートである。入賞時演出処理では、ＣＰＵ１０３は、まず、ステップＳ１２１６，Ｓ１２２７で抽出した大当り判定用乱数（ランダムＲ）と図１７（Ａ）の左欄に示す通常時の大当り判定値とを比較し、それらが一致するか否かを確認する（ステップＳ２２０）。この実施の形態では、特別図柄および演出図柄の変動を開始するタイミングで、後述する特別図柄通常処理において大当りや小当りとするか否か、大当り種別を決定したり、変動パターン設定処理において変動パターンを決定したりするのであるが、それとは別に、遊技球が普通入賞球装置６Ａや普通可変入賞球装置６Ｂに始動入賞したタイミングで、その始動入賞にもとづく変動表示が開始される前に、入賞時演出処理を実行することによって、あらかじめ大当りや小当りとなるか否かや、大当りの種別、変動パターン種別判定用乱数の値がいずれの判定値の範囲にとなるかを確認する。そのようにすることによって、演出図柄の変動表示が実行されるより前にあらかじめ変動表示結果や変動パターン種別を予測し、後述するように、入賞時の判定結果にもとづいて、演出制御用マイクロコンピュータ１１５によって演出図柄の変動表示中に大当りの信頼度を予告する連続予告演出を実行する。
【０３６６】
大当り判定用乱数（ランダムＲ）が通常時の大当り判定値と一致しなければ（ステップＳ２２０のＮ）、ＣＰＵ１０３は、遊技状態が高確率状態（確変状態。高確率／高ベース状態と高確率／低ベース状態とを含む。）であることを示す高確率フラグがセットされているか否かを確認する（ステップＳ２２１）。高確率フラグがセットされていれば、ＣＰＵ１０３は、ステップＳ１２１６，Ｓ１２２７で抽出した大当り判定用乱数（ランダムＲ）と図１７（Ａ）の右欄に示す確変時の大当り判定値とを比較し、それらが一致するか否かを確認する（ステップＳ２２２）。なお、始動入賞時にステップＳ２２１で確変状態であるか否かを確認してから、実際にその始動入賞にもとづく変動表示が開始されるまでの間には、複数の変動表示が実行される可能性がある。そのため、始動入賞時にステップＳ２２１で確変状態であるか否かを確認してから、実際にその始動入賞にもとづく変動表示が開始されるまでの間に遊技状態が変化している（例えば、変動開始前に１５Ｒ確変大当りや、８Ｒ確変大当り、突然確変大当りが発生した場合には通常状態から確変状態に変化している。）場合がある。そのため、始動入賞時にステップＳ２２１で判定する遊技状態と変動開始時に判定する遊技状態（後述するステップＳ６１参照）とは、必ずしも一致するとは限らない。なお、そのような不一致を防止するため、現在記憶している保留記憶内の遊技状態の変更を伴うものを特定して、変更後の遊技状態にもとづいて始動入賞時の判定を行うようにしてもよい。
【０３６７】
大当り判定用乱数（ランダムＲ）が確変時の大当り判定値とも一致しなければ（ステップＳ２２２のＮ）、ＣＰＵ１０３は、ステップＳ１２１６，Ｓ１２２７で抽出した大当り判定用乱数（ランダムＲ）と図１７（Ｂ），（Ｃ）に示す小当り判定値とを比較し、それらが一致するか否かを確認する（ステップＳ２２３）。この場合、ＣＰＵ１０３は、普通入賞球装置６Ａへの始動入賞があった場合（ステップＳ１２１７の入賞時演出処理を実行する場合）には、図１７（Ｂ）に示す小当り判定テーブル（第１特別図柄用）に設定されている小当り判定値と一致するか否かを判定する。また、普通可変入賞球装置６Ｂへの始動入賞があった場合（ステップＳ１２２８の入賞時演出処理を実行する場合）には、図１７（Ｃ）に示す小当り判定テーブル（第２特別図柄用）に設定されている小当り判定値と一致するか否かを判定する。
【０３６８】
大当り判定用乱数（ランダムＲ）が小当り判定値とも一致しなければ（ステップＳ２２３のＮ）、ＣＰＵ１０３は、「はずれ」となることを示すＥＸＴデータ「００（Ｈ）」を図柄指定コマンドに設定する処理を行う（ステップＳ２２４）。
【０３６９】
次いで、ＣＰＵ１０３は、現在の遊技状態を判定する処理を行う（ステップＳ２２５）。この実施の形態では、ＣＰＵ１０３は、ステップＳ２２５において、遊技状態が高確率状態であるか否かおよび高ベース状態であるか否か（具体的には、高確率フラグおよび高ベースフラグがセットされているか否か）を判定する。なお、始動入賞時にステップＳ２２５で高確率状態であるか否かおよび高ベース状態であるか否かを確認してから、実際にその始動入賞にもとづく変動表示が開始されるまでの間には、複数の変動表示が実行される可能性がある。そのため、始動入賞時にステップＳ２２５で高確率状態であるか否かおよび高ベース状態であるか否かを確認してから、実際にその始動入賞にもとづく変動表示が開始されるまでの間に遊技状態が変化している（例えば、変動開始前に１５Ｒ確変大当りや、８Ｒ確変大当り、突然確変大当りが発生した場合には通常状態から確変状態に変化している。）場合がある。そのため、始動入賞時にステップＳ２２５で判定する遊技状態と変動開始時に判定する遊技状態（後述するステップＳ６１参照）とは、必ずしも一致するとは限らない。なお、そのような不一致を防止するため、現在記憶している保留記憶内の遊技状態の変更を伴うものを特定して、変更後の遊技状態にもとづいて始動入賞時の判定を行うようにしてもよい。
【０３７０】
そして、ＣＰＵ１０３は、ステップＳ２２５の判定結果に応じて、はずれ用の各閾値を設定する（ステップＳ２２６）。この実施の形態では、あらかじめ閾値判定を行う閾値判定プログラムが組み込まれており、閾値より大きいか否かを判定することにより、変動パターン種別判定用乱数の値がいずれの判定値の範囲にとなるかが判定され、図２５および図２６に示す変動カテゴリコマンドに設定するＥＸＴデータの値が決定される。
【０３７１】
例えば、ＣＰＵ１０３は、遊技状態が高確率／高ベース状態であると判定した場合には閾値２１９を設定する。この場合、ＣＰＵ１０３は、後述するステップＳ２３２において、変動パターン種別判定用乱数の値が閾値２１９以下であるか否かを判定し、閾値２１９以下である場合（すなわち、１〜２１９である場合）には変動カテゴリコマンドのＥＸＴデータとして「０８（Ｈ）」を設定すると判定する（図２５参照）。また、閾値２１９以下でない場合（すなわち、２２０〜２５１である場合）には変動カテゴリコマンドのＥＸＴデータとして「０９（Ｈ）」を設定すると判定する（図２５参照）。
【０３７２】
また、例えば、ＣＰＵ１０３は、遊技状態が高確率／低ベース状態であると判定した場合には閾値７９を設定する。この場合、ＣＰＵ１０３は、後述するステップＳ２３２において、変動パターン種別判定用乱数の値が閾値７９以下であるか否かを判定し、閾値７９以下である場合（すなわち、１〜７９である場合）には変動カテゴリコマンドのＥＸＴデータとして「０Ａ（Ｈ）」を設定すると判定する（図２５参照）。また、閾値７９以下でない場合（すなわち、８０〜２５１である場合）には変動カテゴリコマンドのＥＸＴデータとして「０Ｂ（Ｈ）」を設定すると判定する（図２５参照）。
【０３７３】
また、例えば、ＣＰＵ１０３は、遊技状態が通常状態であると判定した場合には、合算保留記憶数にかかわらず、閾値７９、８９、９９、１６９、１９９、２１４および２２９を設定する。この場合、ＣＰＵ１０３は、後述するステップＳ２３２において、変動パターン種別判定用乱数の値が閾値７９以下であるか否かを判定し、閾値７９以下である場合（すなわち、１〜７９である場合）には変動カテゴリコマンドのＥＸＴデータとして「００（Ｈ）」を設定すると判定する（図２５参照）。また、閾値８９以下である場合（すなわち、８０〜８９である場合）には変動カテゴリコマンドのＥＸＴデータとして「０１（Ｈ）」を設定すると判定する（図２５参照）。また、閾値９９以下である場合（すなわち、９０〜９９である場合）には変動カテゴリコマンドのＥＸＴデータとして「０２（Ｈ）」を設定すると判定する（図２５参照）。また、閾値１６９以下である場合（すなわち、１００〜１６９である場合）には変動カテゴリコマンドのＥＸＴデータとして「０３（Ｈ）」を設定すると判定する（図２５参照）。また、閾値１９９以下である場合（すなわち、１７０〜１９９である場合）には変動カテゴリコマンドのＥＸＴデータとして「０４（Ｈ）」を設定すると判定する（図２５参照）。また、閾値２１４以下である場合（すなわち、２００〜２１４である場合）には変動カテゴリコマンドのＥＸＴデータとして「０５（Ｈ）」を設定すると判定する（図２５参照）。また、閾値２２９以下である場合（すなわち、２１５〜２２９である場合）には変動カテゴリコマンドのＥＸＴデータとして「０６（Ｈ）」を設定すると判定する（図２５参照）。また、閾値２２９以下でない場合（すなわち、２３０〜２５１である場合）には変動カテゴリコマンドのＥＸＴデータとして「０７（Ｈ）」を設定すると判定する（図２５参照）。
【０３７４】
なお、上記に示す閾値判定の例では、閾値の値が小さい方から順に７９、８９、９９、１６９、１９９、２１４および２２９と判定していくので、後の順番の閾値で判定されたものが前の順番の閾値以下の範囲内となることはない。すなわち、閾値７９以下であるか否かを判定した後に、閾値８９以下であるか否かを判定するときには、前の順番の閾値以下の１〜７９の範囲内となることはなく、８０〜８９の範囲であるか否かを判定することになる。また、この実施の形態では、閾値の値が小さい方から順に７９、８９、９９、１６９、１９９、２１４および２２９と判定していく場合を示したが、逆に大きい方から順に２２９、２１４、１９９、１６９、９９、８９および７９と判定していってもよい。このことは、以下に示す他の閾値を用いた判定を行う場合も同様である。
【０３７５】
なお、ステップＳ２２５の遊技状態の判定を行うことなく、常に通常状態（低確率／低ベース状態）における閾値を設定するようにしてもよい。そのように構成しても、少なくとも「非リーチはずれ」となる変動パターン種別と「スーパーリーチはずれ」となる変動パターン種別とに関しては判定値の範囲が共通化されているのであるから、「非リーチはずれ」や「スーパーリーチはずれ」となるか否かについては判定することができる。
【０３７６】
大当り判定用乱数（ランダムＲ）が小当り判定値と一致した場合には（ステップＳ２２３のＹ）、ＣＰＵ１０３は、「小当り」となることを示すＥＸＴデータ「０５（Ｈ）」を図柄指定コマンドに設定する処理を行う（ステップＳ２２７）。
【０３７７】
次いで、ＣＰＵ１０３は、小当り用の閾値を設定する（ステップＳ２２８）。なお、この実施の形態では、ＣＰＵ１０３は、閾値２５１を設定するものとし、後述するステップＳ２３２において、変動パターン種別判定用乱数の値が閾値２５１以下である（１〜２５１である）と判定して、変動カテゴリコマンドのＥＸＴデータとして「１８（Ｈ）」を設定すると判定するものとする（図２６参照）。なお、小当りである場合には、閾値判定を行うことなく、そのままＥＸＴデータ「１８（Ｈ）」を設定すると判定するようにしてもよい。
【０３７８】
ステップＳ２２０またはステップＳ２２２で大当り判定用乱数（ランダムＲ）が大当り判定値と一致した場合には、ＣＰＵ１０３は、ステップＳ１２１６，Ｓ１２２７で抽出した大当り種別判定用乱数（ランダム１）にもとづいて大当りの種別を判定する（ステップＳ２２９）。この場合、ＣＰＵ１０３は、普通入賞球装置６Ａへの始動入賞があった場合（ステップＳ１２１７の入賞時演出処理を実行する場合）には、図１７（Ｄ）に示す大当り種別判定テーブル（第１特別図柄用）１３１ａを用いて大当り種別が「１５Ｒ確変大当り」、「８Ｒ確変大当り」または「突然確変大当り」のいずれとなるかを判定する。また、普通可変入賞球装置６Ｂへの始動入賞があった場合（ステップＳ１２２８の入賞時演出処理を実行する場合）には、図１７（Ｅ）に示す大当り種別判定テーブル（第２特別図柄用）１３１ｂを用いて大当り種別が「１５Ｒ確変大当り」、「８Ｒ確変大当り」または「突然確変大当り」のいずれとなるかを判定する。
【０３７９】
次いで、ＣＰＵ１０３は、大当り種別の判定結果に応じたＥＸＴデータを図柄指定コマンドに設定する処理を行う（ステップＳ２３０）。この場合、「１５Ｒ確変大当り」となると判定した場合には、ＣＰＵ１０３は、「１５Ｒ確変大当り」となることを示すＥＸＴデータ「０１（Ｈ）」を図柄指定コマンドに設定する処理を行う。また、「８Ｒ確変大当り」となると判定した場合には、ＣＰＵ１０３は、「８Ｒ確変大当り」となることを示すＥＸＴデータ「０２（Ｈ）」を図柄指定コマンドに設定する処理を行う。また、「突然確変大当り」となると判定した場合には、ＣＰＵ１０３は、「突然確変大当り」となることを示すＥＸＴデータ「０４（Ｈ）」を図柄指定コマンドに設定する処理を行う。
【０３８０】
そして、ＣＰＵ１０３は、ステップＳ２２９で判定した大当り種別に応じて、大当り用の各閾値を設定する（ステップＳ２３１）。
【０３８１】
例えば、ＣＰＵ１０３は、「８Ｒ確変大当り」と判定した場合には、閾値７４、１４９および２４１を設定する。この場合、ＣＰＵ１０３は、後述するステップＳ２３２において、変動パターン種別判定用乱数の値が閾値７４以下であるか否かを判定し、閾値７４以下である場合（すなわち、１〜７４である場合）には変動カテゴリコマンドのＥＸＴデータとして「１０（Ｈ）」を設定すると判定する（図２６参照）。また、閾値１４９以下である場合（すなわち、７５〜１４９である場合）には変動カテゴリコマンドのＥＸＴデータとして「１１（Ｈ）」を設定すると判定する（図２６参照）。また、閾値２４１以下である場合（すなわち、１５０〜２４１である場合）には変動カテゴリコマンドのＥＸＴデータとして「１２（Ｈ）」を設定すると判定する（図２６参照）。また、閾値２４１以下でない場合（すなわち、２４２〜２５１である場合）には変動カテゴリコマンドのＥＸＴデータとして「１９（Ｈ）」を設定すると判定する（図２６参照）。
【０３８２】
また、例えば、ＣＰＵ１０３は、「１５Ｒ確変大当り」と判定した場合には、閾値３８、７９および２２１を設定する。この場合、ＣＰＵ１０３は、後述するステップＳ２３２において、変動パターン種別判定用乱数の値が閾値３８以下であるか否かを判定し、閾値３８以下である場合（すなわち、１〜３８である場合）には変動カテゴリコマンドのＥＸＴデータとして「１３（Ｈ）」を設定すると判定する（図２６参照）。また、閾値７９以下である場合（すなわち、３９〜７９である場合）には変動カテゴリコマンドのＥＸＴデータとして「１４（Ｈ）」を設定すると判定する（図２６参照）。また、閾値２２１以下である場合（すなわち、８０〜２２１である場合）には変動カテゴリコマンドのＥＸＴデータとして「１５（Ｈ）」を設定すると判定する（図２６参照）。また、閾値２２１以下でない場合（すなわち、２２２〜２５１である場合）には変動カテゴリコマンドのＥＸＴデータとして「１Ａ（Ｈ）」を設定すると判定する（図２６参照）。
【０３８３】
また、例えば、ＣＰＵ１０３は、「突然確変大当り」と判定した場合には、閾値１００を設定する。この場合、ＣＰＵ１０３は、後述するステップＳ２３２において、変動パターン種別判定用乱数の値が閾値１００以下であるか否かを判定し、閾値１００以下である場合（すなわち、１〜１００である場合）には変動カテゴリコマンドのＥＸＴデータとして「１６（Ｈ）」を設定すると判定する（図２６参照）。また、閾値１００以下でない場合（すなわち、１０１〜２５１である場合）には変動カテゴリコマンドのＥＸＴデータとして「１７（Ｈ）」を設定すると判定する（図２６参照）。
【０３８４】
次いで、ＣＰＵ１０３は、ステップＳ２２６，Ｓ２２８，Ｓ２３１で設定した閾値と、ステップＳ１２１６，Ｓ１２２７で抽出した変動パターン種別判定用乱数（ランダム２）とを用いて、変動パターン種別判定用乱数の値がいずれの判定値の範囲となるかを判定する（ステップＳ２３２）。
【０３８５】
なお、ステップＳ２２６，Ｓ２２８，Ｓ２３１において、あらかじめ定められた閾値を設定するのではなく、変動パターン種別判定テーブル（図１８、図１９参照）を設定するようにし、ステップＳ２３２において、設定した変動パターン種別判定テーブルを用いて、変動パターン種別判定用乱数の値の範囲やいずれの変動パターン種別となるかを判定するようにしてもよい。
【０３８６】
そして、ＣＰＵ１０３は、判定結果に応じたＥＸＴデータを変動カテゴリコマンドに設定する処理を行う（ステップＳ２３３）。具体的には、ＣＰＵ１０３は、ステップＳ２３２でいずれの変動パターン種別になると判定したかに応じて、図２５および図２６に示すような「００（Ｈ）」〜「０Ｂ（Ｈ）」、「１０（Ｈ）」〜「１Ａ（Ｈ）」のいずれかの値を変動カテゴリコマンドのＥＸＴデータに設定する処理を行う。
【０３８７】
なお、この実施の形態では、入賞時判定において大当りや小当りとなると判定した場合であっても一律に変動パターン種別判定用乱数の値がいずれの範囲となるかを判定する場合を示したが、大当りや小当りとなると判定した場合には、変動パターン種別判定用乱数の値の範囲の判定を行わないようにしてもよい。そして、大当りまたは小当りとなると入賞時判定したことを示す図柄指定コマンドを送信するとともに、大当りまたは小当りの変動パターン種別となることを包括的に示す変動カテゴリコマンドを送信するようにしてもよい。そして、例えば、演出制御用マイクロコンピュータ１１５は、具体的にいずれの変動パターン種別となるかまでは示されていないものの、包括的にいずれかの大当りの変動パターン種別となることが示された変動カテゴリコマンドを受信したことにもとづいて、後述する連続予告演出を実行するようにしてもよい。
【０３８８】
図３１および図３２は、特別図柄プロセス処理における特別図柄通常処理（ステップＳ３００）を示すフローチャートである。特別図柄通常処理において、ＣＰＵ１０３は、合算保留記憶数の値を確認する（ステップＳ５１）。具体的には、合算保留記憶数カウンタのカウント値を確認する。合算保留記憶数が０であれば、まだ客待ちデモ指定コマンドを送信していなければ、演出制御用マイクロコンピュータ１１５に対して客待ちデモ指定コマンドを送信する制御を行い（ステップＳ５１Ａ）、処理を終了する。なお、例えば、ＣＰＵ１０３は、ステップＳ５１Ａで客待ちデモ指定コマンドを送信すると、客待ちデモ指定コマンドを送信したことを示す客待ちデモ指定コマンド送信済フラグをセットする。そして、客待ちデモ指定コマンドを送信した後に次回のタイマ割込以降の特別図柄通常処理を実行する場合には、客待ちデモ指定コマンド送信済フラグがセットされていることにもとづいて重ねて客待ちデモ指定コマンドを送信しないように制御すればよい。また、この場合、客待ちデモ指定コマンド送信済フラグは、次回の特別図柄の変動表示が開始されるときにリセットされるようにすればよい。
【０３８９】
なお、ステップＳ５１において、ＣＰＵ１０３は、合算保留記憶数の値を確認するのではなく、保留特定領域の１番目の領域にデータが設定されているか否かを確認し、設定されていれば保留記憶があると判定してステップＳ５２に移行し、設定されていなければ保留記憶がないと判定してステップＳ５１Ａに移行してもよい。
【０３９０】
合算保留記憶数が０でなければ、ＣＰＵ１０３は、保留特定領域（図２９（Ａ）参照）に設定されているデータのうち１番目のデータが「第１」を示すデータであるか否か確認する（ステップＳ５２）。保留特定領域に設定されている１番目のデータが「第１」を示すデータでない（すなわち、「第２」を示すデータである）場合（ステップＳ５２のＮ）、ＣＰＵ１０３は、特別図柄ポインタ（第１特別図柄について特別図柄プロセス処理を行っているのか第２特別図柄について特別図柄プロセス処理を行っているのかを示すフラグ）に「第２」を示すデータを設定する（ステップＳ５３）。保留特定領域に設定されている１番目のデータが「第１」を示すデータである場合（ステップＳ５２のＹ）、ＣＰＵ１０３は、特別図柄ポインタに「第１」を示すデータを設定する（ステップＳ５４）。
【０３９１】
ステップＳ５２〜Ｓ５４の処理が実行されることによって、この実施の形態では、普通入賞球装置６Ａと普通可変入賞球装置６Ｂとに遊技球が入賞した始動入賞順に従って、第１特別図柄の変動表示または第２特別図柄の変動表示が実行される。なお、この実施の形態では、普通入賞球装置６Ａと普通可変入賞球装置６Ｂとに遊技球が入賞した始動入賞順に従って、第１特別図柄の変動表示または第２特別図柄の変動表示が実行される場合を示しているが、第１特別図柄と第２特別図柄とのいずれか一方の変動表示を優先して実行するように構成してもよい。この場合、例えば、高ベース状態に移行された場合には可変入賞球装置６が設けられた普通可変入賞球装置６Ｂに始動入賞しやすくなり第２保留記憶が溜まりやすくなるのであるから、第２特別図柄の変動表示を優先して実行するようにしてもよい。
【０３９２】
なお、第２特別図柄の変動表示を優先して実行するように構成する場合、図３０に示した入賞時演出処理において、大当り判定用乱数（ランダムＲ）の値を、低確率状態における大当り判定値と比較する処理のみを実行するようにし、高確率状態における大当り判定値とは比較しないようにしてもよい（具体的には、ステップＳ２２０の処理のみを実行し、ステップＳ２２１，Ｓ２２２の処理は行わないようにしてもよい）。そのように構成すれば、第２特別図柄の変動表示を優先して実行するように構成する場合に、入賞時判定における大当りの判定結果と実際の変動開始時における大当りの決定結果との間にズレが生じることを防止することができる。
【０３９３】
次いで、ＣＰＵ１０３は、ＲＡＭ１０２において、特別図柄ポインタが示す方の保留記憶数＝１に対応する保存領域に格納されている各乱数値を読み出してＲＡＭ１０２の乱数バッファ領域に格納する（ステップＳ５５）。具体的には、ＣＰＵ１０３は、特別図柄ポインタが「第１」を示している場合には、第１保留記憶バッファにおける第１保留記憶数＝１に対応する保存領域に格納されている各乱数値を読み出してＲＡＭ１０２の乱数バッファ領域に格納する。また、ＣＰＵ１０３は、特別図柄ポインタが「第２」を示している場合には、第２保留記憶バッファにおける第２保留記憶数＝１に対応する保存領域に格納されている各乱数値を読み出してＲＡＭ１０２の乱数バッファ領域に格納する。
【０３９４】
そして、ＣＰＵ１０３は、特別図柄ポインタが示す方の保留記憶数カウンタのカウント値を１減算し、かつ、各保存領域の内容をシフトする（ステップＳ５６）。具体的には、ＣＰＵ１０３は、特別図柄ポインタが「第１」を示している場合には、第１保留記憶数カウンタのカウント値を１減算し、かつ、保留特定領域および第１保留記憶バッファにおける各保存領域の内容をシフトする。また、特別図柄ポインタが「第２」を示している場合に、第２保留記憶数カウンタのカウント値を１減算し、かつ、保留特定領域および第２保留記憶バッファにおける各保存領域の内容をシフトする。
【０３９５】
すなわち、ＣＰＵ１０３は、特別図柄ポインタが「第１」を示している場合に、ＲＡＭ１０２の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ１０２の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。また、ＣＰＵ１０３は、保留特定領域において合算保留記憶数＝ｍ（ｍ＝２〜８）に対応する保存領域に格納されている値（「第１」または「第２」を示す値）を、合算保留記憶数＝ｍ−１に対応する保存領域に格納する。
【０３９６】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。また、各合算保留記憶数に対応するそれぞれの保存領域に格納されている各値が抽出された順番は、常に、合算保留記憶数＝１〜８の順番と一致するようになっている。
【０３９７】
そして、ＣＰＵ１０３は、合算保留記憶数の値を１減らす。すなわち、合算保留記憶数カウンタのカウント値を１減算する（ステップＳ５８）。なお、ＣＰＵ１０３は、カウント値が１減算される前の合算保留記憶数カウンタの値をＲＡＭ１０２の所定の領域に保存する。
【０３９８】
また、ＣＰＵ１０３は、現在の遊技状態に応じて背景指定コマンドを演出制御用マイクロコンピュータ１１５に送信する制御を行う（ステップＳ６０）。この場合、ＣＰＵ１０３は、高確率状態であることを示す高確率フラグがセットされているとともに、高ベース状態であることを示す高ベースフラグがセットされている場合には、高確率高ベース状態背景指定コマンドを送信する制御を行う。また、ＣＰＵ１０３は、高確率フラグのみがセットされ、高ベースフラグがセットされていない場合には、高確率低ベース状態背景指定コマンドを送信する制御を行う。また、ＣＰＵ１０３は、高確率フラグも高ベースフラグもセットされていなければ、通常状態背景指定コマンドを送信する制御を行う。
【０３９９】
なお、具体的には、ＣＰＵ１０３は、演出制御用マイクロコンピュータ１１５に演出制御コマンドを送信する際に、演出制御コマンドに応じたコマンド送信テーブル（あらかじめＲＯＭにコマンド毎に設定されている）のアドレスをポインタにセットする。そして、演出制御コマンドに応じたコマンド送信テーブルのアドレスをポインタにセットして、演出制御コマンド制御処理（ステップＳ２８）において演出制御コマンドを送信する。なお、この実施の形態では、特別図柄の変動を開始するときに、タイマ割込ごとに、背景指定コマンド、変動パターンコマンド、表示結果指定コマンド、合算保留記憶数減算指定コマンドの順に演出制御用マイクロコンピュータ１１５に送信されることになる。具体的には、特別図柄の変動を開始するときに、まず、背景指定コマンドが送信され、４ｍｓ経過後に変動パターンコマンドが送信され、さらに４ｍｓ経過後に表示結果指定コマンドが送信され、さらに４ｍｓ経過後に合算保留記憶数減算指定コマンドが送信される。なお、特別図柄の変動を開始するときにはさらに図柄変動指定コマンド（第１図柄変動指定コマンド、第２図柄変動指定コマンド）も送信されるが、図柄変動指定コマンドは、変動パターンコマンドと同じタイマ割込において演出制御用マイクロコンピュータ１１５に対して送信される。
【０４００】
特別図柄通常処理では、最初に、普通入賞球装置６Ａを対象として処理を実行することを示す「第１」を示すデータすなわち第１特別図柄を対象として処理を実行することを示す「第１」を示すデータ、または普通可変入賞球装置６Ｂを対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、ステップＳ３００〜Ｓ３１０の処理を、第１特別図柄を対象とする場合と第２特別図柄を対象とする場合とで共通化することができる。
【０４０１】
次いで、ＣＰＵ１０３は、乱数バッファ領域からランダムＲ（大当り判定用乱数）を読み出し、大当り判定モジュールを実行する。なお、この場合、ＣＰＵ１０３は、始動口スイッチ通過処理のステップＳ１２１６やステップＳ１２２７で抽出し第１保留記憶バッファや第２保留記憶バッファにあらかじめ格納した大当り判定用乱数を読み出し、大当り判定を行う。大当り判定モジュールは、あらかじめ決められている大当り判定値や小当り判定値（図１７参照）と大当り判定用乱数とを比較し、それらが一致したら大当りや小当りとすることに決定する処理を実行するプログラムである。すなわち、大当り判定や小当り判定の処理を実行するプログラムである。
【０４０２】
大当り判定の処理では、遊技状態が確変状態（高確率／高ベース状態、高確率／低ベース状態）の場合には、遊技状態が非確変状態（通常状態）の場合よりも、大当りとなる確率が高くなるように構成されている。具体的には、あらかじめ大当り判定値の数が多く設定されている確変時大当り判定テーブル（ＲＯＭ１０１における図１７（Ａ）の右側の数値が設定されているテーブル）と、大当り判定値の数が確変時大当り判定テーブルよりも少なく設定されている通常時大当り判定テーブル（ＲＯＭ１０１における図１７（Ａ）の左側の数値が設定されているテーブル）とが設けられている。そして、ＣＰＵ１０３は、遊技状態が確変状態であるか否かを確認し、遊技状態が確変状態であるときは、確変時大当り判定テーブルを使用して大当りの判定の処理を行い、遊技状態が通常状態であるときは、通常時大当り判定テーブルを使用して大当りの判定の処理を行う。すなわち、ＣＰＵ１０３は、大当り判定用乱数（ランダムＲ）の値が図１７（Ａ）に示すいずれかの大当り判定値に一致すると、特別図柄に関して大当りとすることに決定する。大当りとすることに決定した場合には（ステップＳ６１）、ステップＳ７１に移行する。なお、大当りとするか否か決定するということは、大当り遊技状態に移行させるか否か決定するということであるが、特別図柄表示装置における停止図柄を大当り図柄とするか否か決定するということでもある。
【０４０３】
なお、現在の遊技状態が確変状態であるか否かの確認は、高確率フラグがセットされているか否かにより行われる。高確率フラグは、遊技状態を確変状態に移行するときにセットされ、確変状態を終了するときにリセットされる。具体的には、「１５Ｒ確変大当り」、「８Ｒ確変大当り」または「突然確変大当り」とすることに決定され、大当り遊技を終了する処理においてセットされる。そして、大当り遊技終了後、所定回数（この実施の形態では７０回）の変動表示を終了したときにリセットされる。
【０４０４】
大当り判定用乱数（ランダムＲ）の値がいずれの大当り判定値にも一致しなければ（ステップＳ６１のＮ）、ＣＰＵ１０３は、小当り判定テーブル（図１７（Ｂ），（Ｃ）参照）を使用して小当りの判定の処理を行う。すなわち、ＣＰＵ１０３は、大当り判定用乱数（ランダムＲ）の値が図１７（Ｂ），（Ｃ）に示すいずれかの小当り判定値に一致すると、特別図柄に関して小当りとすることに決定する。この場合、ＣＰＵ１０３は、特別図柄ポインタが示すデータを確認し、特別図柄ポインタが示すデータが「第１」である場合には、図１７（Ｂ）に示す小当り判定テーブル（第１特別図柄用）を用いて小当りとするか否かを決定する。また、特別図柄ポインタが示すデータが「第２」である場合には、図１７（Ｃ）に示す小当り判定テーブル（第２特別図柄用）を用いて小当りとするか否かを決定する。そして、小当りとすることに決定した場合には（ステップＳ６２）、ＣＰＵ１０３は、小当りであることを示す小当りフラグをセットし（ステップＳ６３）、ステップＳ７５に移行する。
【０４０５】
なお、ランダムＲの値が大当り判定値および小当り判定値のいずれにも一致しない場合には（ステップＳ６２のＮ）、すなわち、はずれである場合には、そのままステップＳ７５に移行する。
【０４０６】
ステップＳ７１では、ＣＰＵ１０３は、大当りであることを示す大当りフラグをセットする。そして、大当り種別を複数種類のうちのいずれかに決定するために使用するテーブルとして、特別図柄ポインタが示す方の大当り種別判定テーブルを選択する（ステップＳ７２）。具体的には、ＣＰＵ１０３は、特別図柄ポインタが「第１」を示している場合には、図１７（Ｄ）に示す第１特別図柄用の大当り種別判定テーブル１３１ａを選択する。また、ＣＰＵ１０３は、特別図柄ポインタが「第２」を示している場合には、図１７（Ｅ）に示す第２特別図柄用の大当り種別判定テーブル１３１ｂを選択する。
【０４０７】
次いで、ＣＰＵ１０３は、選択した大当り種別判定テーブルを用いて、乱数バッファ領域に格納された大当り種別判定用の乱数（ランダム１）の値と一致する値に対応した種別（「１５Ｒ確変大当り」、「８Ｒ確変大当り」または「突然確変大当り」）を大当りの種別に決定する（ステップＳ７３）。なお、この場合、ＣＰＵ１０３は、始動口スイッチ通過処理のステップＳ１２１６やステップＳ１２２７で抽出し第１保留記憶バッファや第２保留記憶バッファにあらかじめ格納した大当り種別判定用乱数を読み出し、大当り種別の決定を行う。また、この場合に、図１７（Ｄ），（Ｅ）に示すように、第１特別図柄の変動表示が実行される場合には、第２特別図柄の変動表示が実行される場合と比較して、突然確変大当りが選択される割合が高い。
【０４０８】
また、ＣＰＵ１０３は、決定した大当りの種別を示すデータをＲＡＭ１０２における大当り種別バッファに設定する（ステップＳ７４）。例えば、大当り種別が「１５Ｒ確変大当り」の場合には大当り種別を示すデータとして「０１」が設定され、大当り種別が「８Ｒ確変大当り」の場合には大当り種別を示すデータとして「０２」が設定され、大当り種別が「突然確変大当り」の場合には大当り種別を示すデータとして「０４」が設定される。
【０４０９】
次いで、ＣＰＵ１０３は、特別図柄の停止図柄を決定する（ステップＳ７５）。具体的には、大当りフラグおよび小当りフラグのいずれもセットされていない場合には、はずれ図柄となる「−」を特別図柄の停止図柄に決定する。大当りフラグがセットされている場合には、大当り種別の決定結果に応じて、大当り図柄となる「１」、「７」、「９」のいずれかを特別図柄の停止図柄に決定する。すなわち、大当り種別を「突然確変大当り」に決定した場合には「１」を特別図柄の停止図柄に決定し、「８Ｒ確変大当り」に決定した場合には「７」を特別図柄の停止図柄に決定し、「１５Ｒ確変大当り」に決定した場合には「９」を特別図柄の停止図柄に決定する。また、小当りフラグがセットされている場合には、小当り図柄となる「５」を特別図柄の停止図柄に決定する。
【０４１０】
なお、この実施の形態では、まず大当り種別を決定し、決定した大当り種別に対応する特別図柄の停止図柄を決定する場合を示したが、大当り種別および特別図柄の停止図柄の決定方法は、この実施の形態で示したものにかぎられない。例えば、あらかじめ特別図柄の停止図柄と大当り種別とを対応付けたテーブルを用意しておき、大当り種別決定用乱数にもとづいてまず特別図柄の停止図柄を決定すると、その決定結果にもとづいて対応する大当り種別も決定されるように構成してもよい。
【０４１１】
そして、特別図柄プロセスフラグの値を変動パターン設定処理（ステップＳ３０１）に対応した値に更新する（ステップＳ７６）。
【０４１２】
図３３は、特別図柄プロセス処理における変動パターン設定処理（ステップＳ３０１）を示すフローチャートである。変動パターン設定処理において、ＣＰＵ１０３は、大当りフラグがセットされているか否か確認する（ステップＳ９１）。大当りフラグがセットされている場合には、ＣＰＵ１０３は、変動パターン種別を複数種類のうちのいずれかに決定するために使用するテーブルとして、大当り用変動パターン種別判定テーブル１３２Ａ〜１３２Ｃ（図１８（Ａ）〜（Ｃ）参照）のいずれかを選択する（ステップＳ９２）。そして、ステップＳ１０２に移行する。
【０４１３】
大当りフラグがセットされていない場合には、ＣＰＵ１０３は、小当りフラグがセットされているか否かを確認する（ステップＳ９３）。小当りフラグがセットされている場合には、ＣＰＵ１０３は、変動パターン種別を複数種類のうちのいずれかに決定するために使用するテーブルとして、小当り用変動パターン種別判定テーブル１３２Ｄ（図１８（Ｄ）参照）を選択する（ステップＳ９４）。そして、ステップＳ１０２に移行する。
【０４１４】
小当りフラグもセットされていない場合には、ＣＰＵ１０３は、高ベース状態であることを示す高ベースフラグがセットされているか否かを確認する（ステップＳ９５）。なお、高ベースフラグは、遊技状態を確変状態に移行するときにセットされ、高ベース状態を終了するときにリセットされる。具体的には、「１５Ｒ確変大当り」または「８Ｒ確変大当り」とすることに決定され、大当り遊技を終了する処理においてセットされる。また、大当り遊技終了後、所定回数（この実施の形態では７０回）の変動表示を終了したときにリセットされる。
【０４１５】
高ベースフラグがセットされていなければ（ステップＳ９５のＮ）、ＣＰＵ１０３は、高確率状態であることを示す高確率フラグがセットされているか否かを確認する（ステップＳ９６）。高確率フラグもセットされていなければ（ステップＳ９６のＮ）、すなわち、遊技状態が通常状態であれば、ＣＰＵ１０３は、合算保留記憶数が３以上であるか否かを確認する（ステップＳ９７）。合算保留記憶数が３未満であれば（ステップＳ９７のＮ）、ＣＰＵ１０３は、変動パターン種別を複数種類のうちのいずれかに決定するために使用するテーブルとして、はずれ用変動パターン種別判定テーブル１３５Ａ（図１９（Ａ）参照）を選択する（ステップＳ９８）。そして、ステップＳ１０２に移行する。
【０４１６】
合算保留記憶数が３以上である場合（ステップＳ９７のＹ）には、ＣＰＵ１０３は、変動パターン種別を複数種類のうちのいずれかに決定するために使用するテーブルとして、はずれ用変動パターン種別判定テーブル１３５Ｂ（図１９（Ｂ）参照）を選択する（ステップＳ９９）。そして、ステップＳ１０２に移行する。
【０４１７】
高確率フラグがセットされている場合（ステップＳ９６のＹ）には、すなわち、遊技状態が高確率／低ベース状態であれば、ＣＰＵ１０３は、変動パターン種別を複数種類のうちのいずれかに決定するために使用するテーブルとして、はずれ用変動パターン種別判定テーブル１３５Ｄ（図１９（Ｄ）参照）を選択する（ステップＳ１００）。そして、ステップＳ１０２に移行する。
【０４１８】
高ベースフラグがセットされている場合（ステップＳ９５のＹ）には、すなわち、遊技状態が高確率／高ベース状態であれば（この実施の形態では、低確率／高ベース状態に制御されることはないので、高ベースフラグがセットされていれば高確率／高ベース状態である）、ＣＰＵ１０３は、変動パターン種別を複数種類のうちのいずれかに決定するために使用するテーブルとして、はずれ用変動パターン種別判定テーブル１３５Ｃ（図１９（Ｃ）参照）を選択する（ステップＳ１０１）。そして、ステップＳ１０２に移行する。
【０４１９】
この実施の形態では、ステップＳ９５〜Ｓ１０１の処理が実行されることによって、遊技状態が通常状態であって合算保留記憶数が３以上である場合には、図１９（Ｂ）に示すはずれ用変動パターン種別判定テーブル１３５Ｂが選択される。また、遊技状態が高確率／高ベース状態である場合には、図１９（Ｃ）に示すはずれ用変動パターン種別判定テーブル１３５Ｃが選択される。この場合、後述するステップＳ１０２の処理で変動パターン種別として非リーチＣＡ２−３が決定される場合があり、非リーチＣＡ２−３の変動パターン種別が決定された場合には、ステップＳ１０５の処理で変動パターンとして短縮変動の非リーチＰＡ１−２が決定される（図２１参照）。従って、この実施の形態では、遊技状態が高確率／高ベース状態である場合または合算保留記憶数が３以上である場合には、短縮変動の変動表示が行われる場合がある。なお、この実施の形態では、高確率／高ベース状態で用いる短縮変動用の変動パターン種別判定テーブル（図１９（Ｃ）参照）と、保留記憶数にもとづく短縮変動用の変動パターン種別判定テーブル（図１９（Ｂ）参照）とが異なるテーブルである場合を示したが、短縮変動用の変動パターン種別判定テーブルとして共通のテーブルを用いるようにしてもよい。
【０４２０】
なお、この実施の形態では、遊技状態が高ベース状態である場合であっても、合算保留記憶数がほぼ０である場合（例えば、０であるか、０または１である場合）には、短縮変動の変動表示を行わないようにしてもよい。この場合、例えば、ＣＰＵ１０３は、ステップＳ９５でＹと判定したときに、合算保留記憶数がほぼ０であるか否かを確認し、合算保留記憶数がほぼ０であれば、はずれ用変動パターン種別判定テーブル１３５Ａ（図１９（Ａ）参照）を選択するようにしてもよい。
【０４２１】
次いで、ＣＰＵ１０３は、乱数バッファ領域（第１保留記憶バッファまたは第２保留記憶バッファ）からランダム２（変動パターン種別判定用乱数）を読み出し、ステップＳ９２、Ｓ９４、Ｓ９８、Ｓ９９、Ｓ１００またはＳ１０１の処理で選択したテーブルを参照することによって、変動パターン種別を複数種類のうちのいずれかに決定する（ステップＳ１０２）。
【０４２２】
次いで、ＣＰＵ１０３は、ステップＳ１０２の変動パターン種別の決定結果にもとづいて、変動パターンを複数種類のうちのいずれかに決定するために使用するテーブルとして、当り変動パターン判定テーブル１３７Ａ、１３７Ｂ（図２０参照）、はずれ変動パターン判定テーブル１３８Ａ（図２１参照）のうちのいずれかを選択する（ステップＳ１０３）。また、乱数バッファ領域（第１保留記憶バッファまたは第２保留記憶バッファ）からランダム３（変動パターン判定用乱数）を読み出し、ステップＳ１０３の処理で選択した変動パターン判定テーブルを参照することによって、変動パターンを複数種類のうちのいずれかに決定する（ステップＳ１０５）。なお、始動入賞のタイミングでランダム３（変動パターン判定用乱数）を抽出しないように構成する場合には、ＣＰＵ１０３は、変動パターン判定用乱数（ランダム３）を生成するための変動パターン判定用乱数カウンタから値を直接抽出し、抽出した乱数値にもとづいて変動パターンを決定するようにしてもよい。
【０４２３】
次いで、ＣＰＵ１０３は、特別図柄ポインタが示す方の図柄変動指定コマンドを、演出制御用マイクロコンピュータ１１５に送信する制御を行う（ステップＳ１０６）。具体的には、ＣＰＵ１０３は、特別図柄ポインタが「第１」を示している場合には、第１図柄変動指定コマンドを送信する制御を行う。また、ＣＰＵ１０３は、特別図柄ポインタが「第２」を示している場合には、第２図柄変動指定コマンドを送信する制御を行う。また、ＣＰＵ１０３は、決定した変動パターンに対応する演出制御コマンド（変動パターンコマンド）を、演出制御用マイクロコンピュータ１１５に送信する制御を行う（ステップＳ１０７）。
【０４２４】
次に、ＣＰＵ１０３は、ＲＡＭ１０２に形成されている変動時間タイマに、選択された変動パターンに対応した変動時間に応じた値を設定する（ステップＳ１０８）。そして、特別図柄プロセスフラグの値を表示結果指定コマンド送信処理（ステップＳ３０２）に対応した値に更新する（ステップＳ１０９）。
【０４２５】
なお、はずれと決定されている場合において、いきなり変動パターン種別を決定するのではなく、まず、リーチ判定用乱数を用いた抽選処理によってリーチとするか否かを決定するようにしてもよい。そして、リーチとするか否かの判定結果にもとづいて、ステップＳ９５〜Ｓ１０２の処理を実行し、変動パターン種別を決定するようにしてもよい。この場合、あらかじめ非リーチ用の変動パターン種別判定テーブル（図１９に示す非リーチＣＡ２−１〜非リーチＣＡ２−３の変動パターン種別を含むもの）と、リーチ用の変動パターン種別判定テーブル（図１９に示すノーマルＣＡ２−４〜ノーマルＣＡ２−６、スーパーＣＡ２−７の変動パターン種別を含むもの）とを用意しておき、リーチ判定結果にもとづいて、いずれかの変動パターン種別判定テーブルを選択して、変動パターン種別を決定するようにしてもよい。
【０４２６】
また、リーチ判定用乱数を用いた抽選処理によってリーチとするか否かを決定する場合にも、合算保留記憶数（第１保留記憶数や第２保留記憶数でもよい）に応じて、リーチの選択割合が異なるリーチ判定テーブルを選択して、保留記憶数が多くなるに従ってリーチ確率が低くなるようにリーチとするか否かを決定するようにしてもよい。この場合、ＣＰＵ１０３は、例えば、入賞時演出処理における「スーパーリーチはずれ」や「非リーチはずれ」となるか否かの判定において、リーチ判定テーブルの共通の範囲に割り当てられた判定値に合致するか否かを判定することによって、リーチとなるか否かをあらかじめ判定するようにしてもよい。なお、予告演出の実行割合が低下してしまうことを考慮すると、この実施の形態で示したように、リーチ判定用乱数を用いた抽選処理を行うことなく、変動パターン種別によって「スーパーリーチはずれ」や「非リーチはずれ」となるか否かを事前判定して連続予告演出を行うように構成することが好ましい。
【０４２７】
図３４は、表示結果指定コマンド送信処理（ステップＳ３０２）を示すフローチャートである。表示結果指定コマンド送信処理において、ＣＰＵ１０３は、決定されている大当りの種類、小当り、はずれに応じて、表示結果１指定〜表示結果６指定のいずれかの演出制御コマンド（図２２参照）を送信する制御を行う。具体的には、ＣＰＵ１０３は、まず、大当りフラグがセットされているか否か確認する（ステップＳ１１０）。セットされていない場合には、ステップＳ１１８に移行する。大当りフラグがセットされている場合、大当りの種別に応じて、「１５Ｒ確変大当り」であるときには、表示結果２指定コマンドを送信する制御を行うとともに、「８Ｒ確変大当り」であるときには、表示結果３指定コマンドを送信する制御を行う（ステップＳ１１２）。なお、「１５Ｒ確変大当り」であるか否かは、具体的には、特別図柄通常処理のステップＳ７４で大当り種別バッファに設定されたデータが「０１」であるか否かを確認することによって判定でき、「８Ｒ確変大当り」であるか否かは、具体的には、特別図柄通常処理のステップＳ７４で大当り種別バッファに設定されたデータが「０２」であるか否かを確認することによって判定できる。また、ＣＰＵ１０３は、確変大当りでない場合、すなわち、突然確変大当りである場合、表示結果５指定コマンドを送信する制御を行う（ステップＳ１１７）。
【０４２８】
一方、ＣＰＵ１０３は、大当りフラグがセットされていないときには（ステップＳ１１０のＮ）、小当りフラグがセットされているか否かを確認する（ステップＳ１１８）。小当りフラグがセットされていれば、ＣＰＵ１０３は、表示結果６指定コマンドを送信する制御を行う（ステップＳ１１９）。小当りフラグもセットされていないときは（ステップＳ１１８のＮ）、すなわち、はずれである場合には、ＣＰＵ１０３は、表示結果１指定コマンドを送信する制御を行う（ステップＳ１２０）。
【０４２９】
そして、ＣＰＵ１０３は、特別図柄プロセスフラグの値を特別図柄変動中処理（ステップＳ３０３）に対応した値に更新する（ステップＳ１２１）。
【０４３０】
図３５は、特別図柄プロセス処理における特別図柄変動中処理（ステップＳ３０３）を示すフローチャートである。特別図柄変動中処理において、ＣＰＵ１０３は、まず、合算保留記憶数減算指定コマンドを既に送信済みであるか否かを確認する（ステップＳ１１２１）。なお、合算保留記憶数減算指定コマンドを既に送信済みであるか否かは、例えば、後述するステップＳ１１２２で合算保留記憶数減算指定コマンドを送信する際に合算保留記憶数減算指定コマンドを送信したことを示す合算保留記憶数減算指定コマンド送信済フラグをセットするようにし、ステップＳ１１２１では、その合算保留記憶数減算指定コマンド送信済フラグがセットされているか否かを確認するようにすればよい。また、この場合、セットした合算保留記憶数減算指定コマンド送信済フラグは、特別図柄の変動表示を終了する際や大当りを終了する際に後述する特別図柄停止処理や大当り終了処理でリセットするようにすればよい。
【０４３１】
次いで、合算保留記憶数減算指定コマンドを送信済みでなければ、ＣＰＵ１０３は、合算保留記憶数減算指定コマンドを演出制御用マイクロコンピュータ１１５に送信する制御を行う（ステップＳ１１２２）。
【０４３２】
次いで、ＣＰＵ１０３は、変動時間タイマを１減算し（ステップＳ１１２５）、変動時間タイマがタイムアウトしたら（ステップＳ１１２６）、演出制御用マイクロコンピュータ１１５に図柄確定指定コマンドを送信する制御を行う（ステップＳ１１２７）。そして、ＣＰＵ１０３は、特別図柄プロセスフラグの値を特別図柄停止処理（ステップＳ３０４）に対応した値に更新する（ステップＳ１１２８）。変動時間タイマがタイムアウトしていない場合には、そのまま処理を終了する。
【０４３３】
図３６は、特別図柄プロセス処理における特別図柄停止処理（ステップＳ３０４）を示すフローチャートである。特別図柄停止処理において、ＣＰＵ１０３は、大当りフラグがセットされているか否かを確認する（ステップＳ１３１）。大当りフラグがセットされている場合には、ＣＰＵ１０３は、セットされていれば、高確率状態であることを示す高確率フラグ、および高ベース状態であることを示す高ベースフラグをリセットし（ステップＳ１３２）、演出制御用マイクロコンピュータ１１５に大当り開始指定コマンドを送信する制御を行う（ステップＳ１３３）。具体的には、大当りの種別が「１５Ｒ確変大当り」または「８Ｒ確変大当り」である場合には大当り開始指定コマンド（コマンドＡ００１（Ｈ））を送信する。また、大当りの種別が突然確変大当りである場合には小当り／突然確変大当り開始指定コマンド（コマンドＡ００２（Ｈ））を送信する。なお、大当りの種別が「１５Ｒ確変大当り」、「８Ｒ確変大当り」または「突然確変大当り」のいずれであるかは、ＲＡＭ１０２に記憶されている大当り種別を示すデータ（大当り種別バッファに記憶されているデータ）にもとづいて判定される。
【０４３４】
また、大当り表示時間タイマに大当り表示時間（大当りが発生したことを、例えば、画像表示装置５において報知する時間）に相当する値を設定する（ステップＳ１３４）。また、大入賞口開放回数カウンタに開放回数（例えば、「１５Ｒ確変大当り」の場合には１５回。「８Ｒ確変大当り」の場合には８回。「突然確変大当り」の場合には２回。）をセットする（ステップＳ１３５）。また、大当り遊技における１ラウンドあたりのラウンド時間もセットされる。突然確変大当りの場合には、ラウンド時間として０．１秒がセットされ、１５Ｒ確変大当りや８Ｒ確変大当りの場合、ラウンド時間として２９秒がセットされる。そして、特別図柄プロセスフラグの値を大入賞口開放前処理（ステップＳ３０５）に対応した値に更新する（ステップＳ１３６）。
【０４３５】
また、ステップＳ１３１で大当りフラグがセットされていなければ、ＣＰＵ１０３は、高確率状態であることを示す高確率フラグがセットされているか否かを確認する（ステップＳ１３７）。高確率フラグがセットされている場合には（すなわち、確変状態（高確率／高ベース状態または高確率／低ベース状態）である場合には）、高確率状態における特別図柄の変動可能回数を示す高確率回数カウンタの値を−１する（ステップＳ１３８）。そして、ＣＰＵ１０３は、減算後の高確率回数カウンタの値が０になった場合には（ステップＳ１３９）、高確率フラグをリセットする（ステップＳ１４０）。高確率フラグがセットされていなければ、ステップＳ１４１に移行する。
【０４３６】
次いで、ＣＰＵ１０３は、高ベース状態であることを示す高ベースフラグがセットされているか否か確認する（ステップＳ１４１）。高ベースフラグがセットされている場合には（すなわち、高確率／高ベース状態である場合には）、高ベース状態における特別図柄の変動可能回数を示す高ベース回数カウンタの値を−１する（ステップＳ１４２）。そして、ＣＰＵ１０３は、減算後の高ベース回数カウンタの値が０になった場合には（ステップＳ１４３）、高ベースフラグをリセットする（ステップＳ１４４）。そして、ステップＳ１４５に移行する。なお、高ベースフラグがセットされていなかった場合には、そのままステップＳ１４５に移行する。
【０４３７】
次いで、ＣＰＵ１０３は、小当りフラグがセットされているか否かを確認する（ステップＳ１４５）。小当りフラグがセットされていれば、ＣＰＵ１０３は、演出制御用マイクロコンピュータ１１５に小当り／突然確変大当り開始指定コマンド（コマンドＡ００２（Ｈ））を送信する（ステップＳ１４６）。また、小当り表示時間タイマに小当り表示時間（小当りが発生したことを、例えば、画像表示装置５において報知する時間）に相当する値を設定する（ステップＳ１４７）。また、大入賞口開放回数カウンタに開放回数（例えば２回）をセットする（ステップＳ１４８）。そして、特別図柄プロセスフラグの値を小当り開始前処理（ステップＳ３０８）に対応した値に更新する（ステップＳ１４９）。
【０４３８】
小当りフラグもセットされていなければ（ステップＳ１４５のＮ）、ＣＰＵ１０３は、特別図柄プロセスフラグの値を特別図柄通常処理（ステップＳ３００）に対応した値に更新する（ステップＳ１５０）。
【０４３９】
図３７は、特別図柄プロセス処理における大当り終了処理（ステップＳ３０７）を示すフローチャートである。大当り終了処理において、ＣＰＵ１０３は、大当り終了表示タイマが設定されているか否か確認し（ステップＳ１６０）、大当り終了表示タイマが設定されている場合には、ステップＳ１６４に移行する。大当り終了表示タイマが設定されていない場合には、大当りフラグをリセットし（ステップＳ１６１）、大当り終了指定コマンドを送信する制御を行う（ステップＳ１６２）。ここで、１５Ｒ確変大当りまたは８Ｒ確変大当りであった場合には大当り終了指定コマンドを送信し、突然確変大当りであった場合には小当り／突然確変大当り終了指定コマンドを送信する。そして、大当り終了表示タイマに、画像表示装置５において大当り終了表示が行われている時間（大当り終了表示時間）に対応する表示時間に相当する値を設定し（ステップＳ１６３）、処理を終了する。
【０４４０】
ステップＳ１６４では、大当り終了表示タイマの値を１減算する。そして、ＣＰＵ１０３は、大当り終了表示タイマの値が０になっているか否か、すなわち大当り終了表示時間が経過したか否か確認する（ステップＳ１６５）。経過していなければ処理を終了する。
【０４４１】
大当り終了表示時間を経過していれば（ステップＳ１６５のＹ）、ＣＰＵ１０３は、大当りの種別が１５Ｒ確変大当りまたは８Ｒ確変大当りであるか否かを確認する（ステップＳ１６６）。なお、１５Ｒ確変大当りまたは８Ｒ確変大当りや突然確変大当りであるか否かは、具体的には、特別図柄通常処理のステップＳ７４で大当り種別バッファに設定されたデータが「０１」、「０２」または「０４」であるか否かを確認することによって判定できる。１５Ｒ確変大当りまたは８Ｒ確変大当りであれば、ＣＰＵ１０３は、時短フラグをセットして遊技状態を時短状態に移行させる（ステップＳ１６７）とともに、高ベース回数カウンタに７０をセットする（ステップＳ１６８）。さらに、高確率フラグをセットして遊技状態を確変状態に移行させる（ステップＳ１６９）とともに、高確率回数カウンタに７０をセットする（ステップＳ１７０）。そして、ステップＳ１７１に移行する。１５Ｒ確変大当りまたは８Ｒ確変大当りのいずれでもなければ（すなわち、突然確変大当りであれば）、ＣＰＵ１０３は、ステップＳ１６９へ移行する。
【０４４２】
そして、ＣＰＵ１０３は、特別図柄プロセスフラグの値を特別図柄通常処理（ステップＳ３００）に対応した値に更新する（ステップＳ１７１）。
【０４４３】
次に、演出制御手段の動作を説明する。図３８は、演出制御基板１２に搭載されている演出制御手段としての演出制御用マイクロコンピュータ１１５（具体的には、演出制御用ＣＰＵ１２０）が実行するメイン処理を示すフローチャートである。演出制御用ＣＰＵ１２０は、電源が投入されると、メイン処理の実行を開始する。メイン処理では、まず、ＲＡＭ領域のクリアや各種初期値の設定、また演出制御の起動間隔（例えば、４ｍｓ）を決めるためのタイマの初期設定等を行うための初期化処理を行う（ステップＳ７０１）。その後、演出制御用ＣＰＵ１２０は、タイマ割込フラグの監視（ステップＳ７０２）を行うループ処理に移行する。タイマ割込が発生すると、演出制御用ＣＰＵ１２０は、タイマ割込処理においてタイマ割込フラグをセットする。メイン処理において、タイマ割込フラグがセットされていたら、演出制御用ＣＰＵ１２０は、そのフラグをクリアし（ステップＳ７０３）、以下の演出制御処理を実行する。
【０４４４】
演出制御処理において、演出制御用ＣＰＵ１２０は、まず、受信した演出制御コマンドを解析し、受信した演出制御コマンドに応じたフラグをセットする処理等を行う（コマンド解析処理：ステップＳ７０４）。
【０４４５】
次いで、演出制御用ＣＰＵ１２０は、演出制御プロセス処理を行う（ステップＳ７０５）。演出制御プロセス処理では、制御状態に応じた各プロセスのうち、現在の制御状態（演出制御プロセスフラグ）に対応した処理を選択して画像表示装置５の表示制御を実行する。
【０４４６】
次いで、演出制御用ＣＰＵ１２０は、第４図柄プロセス処理を行う（ステップＳ７０６）。第４図柄プロセス処理では、制御状態に応じた各プロセスのうち、現在の制御状態（第４図柄プロセスフラグ）に対応した処理を選択して画像表示装置５の第４図柄表示領域９ｃ，９ｄにおいて第４図柄の表示制御を実行する。
【０４４７】
次いで、大当り図柄決定用乱数などの乱数を生成するためのカウンタのカウント値を更新する乱数更新処理を実行する（ステップＳ７０７）。その後、ステップＳ７０２に移行する。
【０４４８】
図３９は、主基板１１の遊技制御用マイクロコンピュータ１００から受信した演出制御コマンドを格納するためのコマンド受信バッファの一構成例を示す説明図である。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。なお、必ずしもリングバッファ形式でなくてもよい。
【０４４９】
なお、遊技制御用マイクロコンピュータ１００から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図２２および図２３参照）であるのか解析する。なお、演出制御ＩＮＴ信号にもとづく割込処理は、４ｍｓごとに実行されるタイマ割込処理に優先して実行される。
【０４５０】
図４０および図４１は、コマンド解析処理（ステップＳ７０４）の具体例を示すフローチャートである。主基板１１から受信された演出制御コマンドは受信コマンドバッファに格納されるが、コマンド解析処理では、演出制御用ＣＰＵ１２０は、コマンド受信バッファに格納されているコマンドの内容を確認する。
【０４５１】
コマンド解析処理において、演出制御用ＣＰＵ１２０は、まず、コマンド受信バッファに受信コマンドが格納されているか否か確認する（ステップＳ６１１）。格納されているか否かは、コマンド受信個数カウンタの値と読出ポインタとを比較することによって判定される。両者が一致している場合が、受信コマンドが格納されていない場合である。コマンド受信バッファに受信コマンドが格納されている場合には、演出制御用ＣＰＵ１２０は、コマンド受信バッファから受信コマンドを読み出す（ステップＳ６１２）。なお、読み出したら読出ポインタの値を＋２しておく（ステップＳ６１３）。＋２するのは２バイト（１コマンド）ずつ読み出すからである。
【０４５２】
受信した演出制御コマンドが変動パターンコマンドであれば（ステップＳ６１４）、演出制御用ＣＰＵ１２０は、受信した変動パターンコマンドを、ＲＡＭに形成されている変動パターンコマンド格納領域に格納する（ステップＳ６１５）。そして、変動パターンコマンド受信フラグをセットする（ステップＳ６１６）。
【０４５３】
受信した演出制御コマンドが表示結果指定コマンドであれば（ステップＳ６１７）、演出制御用ＣＰＵ１２０は、受信した表示結果指定コマンド（表示結果１指定コマンド〜表示結果６指定コマンド）を、ＲＡＭに形成されている表示結果指定コマンド格納領域に格納する（ステップＳ６１８）。
【０４５４】
受信した演出制御コマンドが図柄確定指定コマンドであれば（ステップＳ６１９）、演出制御用ＣＰＵ１２０は、確定コマンド受信フラグをセットする（ステップＳ６２０）。
【０４５５】
受信した演出制御コマンドが大当り開始指定コマンド（コマンドＡ００１（Ｈ））であれば（ステップＳ６２１）、演出制御用ＣＰＵ１２０は、大当り開始指定コマンド受信フラグをセットする（ステップＳ６２２）。
【０４５６】
受信した演出制御コマンドが小当り／突然確変大当り開始指定コマンド（コマンドＡ００２（Ｈ））であれば（ステップＳ６２３）、演出制御用ＣＰＵ１２０は、小当り／突然確変大当り開始指定コマンド受信フラグをセットする（ステップＳ６２４）。
【０４５７】
受信した演出制御コマンドがいずれかの図柄指定コマンドであれば（ステップＳ６５１）、演出制御用ＣＰＵ１２０は、受信した図柄指定コマンドを、ＲＡＭに形成されている始動入賞時コマンド格納領域の空いている最初の格納領域に格納する（ステップＳ６５２）。
【０４５８】
図４２は、始動入賞時コマンド格納領域の具体例を示す説明図である。図４２に示すように、始動入賞時コマンド格納領域には、合算保留記憶数の最大値（この例では８）に対応した領域（格納領域１〜８）が確保されている。この実施の形態では、図２８の始動口スイッチ通過処理のステップＳ１２１８〜Ｓ１２２１，Ｓ１２２９〜Ｓ１２３２で示したように、普通入賞球装置６Ａまたは普通可変入賞球装置６Ｂへの始動入賞があったときに、１タイマ割込内に、図柄指定コマンド、変動カテゴリコマンド、始動入賞指定コマンド（第１始動入賞指定コマンドまたは第２始動入賞指定コマンド）、および合算保留記憶数指定コマンドの４つのコマンドがセットで送信される。そのため、図４２に示すように、始動入賞時コマンド格納領域の各格納領域１〜８には、図柄指定コマンド、変動カテゴリコマンド、始動入賞指定コマンドおよび合算保留記憶数指定コマンドを対応付けて格納できるように記憶領域が確保されている。
【０４５９】
この実施の形態では、演出制御用ＣＰＵ１２０は、コマンド解析処理において、受信した順にコマンドを始動入賞時コマンド格納領域の空いている最初の格納領域内に格納していく。この実施の形態では、１タイマ割込内に、図柄指定コマンド、変動カテゴリコマンド、始動入賞指定コマンドおよび合算保留記憶数指定コマンドの順にコマンド送信が行われるので、コマンド受信が正常に行われれば、図４２に示すように、各格納領域１〜８に、図柄指定コマンド、変動カテゴリコマンド、始動入賞指定コマンドおよび合算保留記憶数指定コマンドの順に格納されていくことになる（なお、図４２では、格納領域１〜５までコマンドが格納されている例が示されている）。
【０４６０】
なお、図４２に示す例では、前回の変動表示において７個までの保留記憶が発生して最新のコマンドが格納されている格納領域に合算保留記憶数７を指定する合算保留記憶数指定コマンド（Ｃ２０７（Ｈ））が格納され、その後、保留記憶が１つ消化されて２番目の保留記憶にもとづく変動表示が開始されている状況での始動入賞時コマンド格納領域の格納状態が示されている。
【０４６１】
また、図４２に示す始動入賞時コマンド格納領域に格納されている各コマンドは、演出図柄の変動表示を開始するごと（合算保留記憶数減算指定コマンドを受信するごと）に、後述するステップＳ６６３で１つ目の格納領域１に格納されているものから削除され、始動入賞時コマンド格納領域の内容がシフトされる。例えば、図４２に示す格納状態において新たな演出図柄の変動表示が開始された場合には、格納領域１に格納されている各コマンドが削除され、格納領域２に格納されている各コマンドが格納領域１にシフトされ、格納領域３に格納されている各コマンドが格納領域２にシフトされ、格納領域４に格納されている各コマンドが格納領域３にシフトされ、格納領域５に格納されている各コマンドが格納領域４にシフトされる。なお、各コマンドが削除されるタイミングは、演出図柄の変動表示を開始するタイミングで後述する演出図柄変動開始処理中であってもよい。
【０４６２】
また、この実施の形態では、始動入賞の発生時に受信する図柄指定コマンド、変動カテゴリコマンド、始動入賞指定コマンドおよび合算保留記憶数指定コマンドを、包括的に表現する場合に、始動入賞時のコマンドともいう。また、これら始動入賞時のコマンドのうち、第１保留記憶数または第２保留記憶数が増加したことを認識可能な情報を指定するコマンドである始動入賞指定コマンドおよび合算保留記憶数指定コマンドを、包括的に表現する場合に、保留記憶情報ともいう。また、始動入賞時の入賞時演出処理（図３０参照）で判定される大当りや小当りとなるか否か、大当り種別の判定結果、変動パターン種別の判定結果を示すコマンドである図柄指定コマンドおよび変動カテゴリコマンドを、包括的に表現する場合に、入賞時判定結果指定コマンドや判定結果情報ともいう。
【０４６３】
受信した演出制御コマンドがいずれかの変動カテゴリコマンドであれば（ステップＳ６５３）、演出制御用ＣＰＵ１２０は、受信した変動カテゴリコマンドを、ＲＡＭに形成されている始動入賞時コマンド格納領域の各格納領域１〜８のうち最新の図柄指定コマンドが格納されている格納領域に格納する（ステップＳ６５４Ａ）。そして、変動カテゴリコマンドを受信したことを示す変動カテゴリコマンド受信フラグをセットする（ステップＳ６５４Ｂ）。
【０４６４】
受信した演出制御コマンドが第１始動入賞指定コマンドであれば（ステップＳ６５５）、演出制御用ＣＰＵ１２０は、合算保留記憶表示部１８ｃにおける保留表示を１つ増加させ、合算保留記憶数表示を更新する（ステップＳ６５６Ａ）。そして、受信した第１始動入賞指定コマンドを、ＲＡＭに形成されている始動入賞時コマンド格納領域の各格納領域１〜８のうち最新の図柄指定コマンドおよび変動カテゴリコマンドが格納されている格納領域に格納する（ステップＳ６５６Ｂ）。
【０４６５】
受信した演出制御コマンドが第２始動入賞指定コマンドであれば（ステップＳ６５７）、演出制御用ＣＰＵ１２０は、合算保留記憶表示部１８ｃにおける保留表示を１つ増加させ、合算保留記憶数表示を更新する（ステップＳ６５８Ａ）。そして、受信した第２始動入賞指定コマンドを、ＲＡＭに形成されている始動入賞時コマンド格納領域の各格納領域１〜８のうち最新の図柄指定コマンドおよび変動カテゴリコマンドが格納されている格納領域に格納する（ステップＳ６５８Ｂ）。
【０４６６】
受信した演出制御コマンドが合算保留記憶数指定コマンドであれば（ステップＳ６５９）、演出制御用ＣＰＵ１２０は、受信した合算保留記憶数指定コマンドを、ＲＡＭに形成されている始動入賞時コマンド格納領域の各格納領域１〜８のうち最新の図柄指定コマンド、変動カテゴリコマンドおよび始動入賞指定コマンドが格納されている格納領域に格納する（ステップＳ６６０）。
【０４６７】
受信した演出制御コマンドが合算保留記憶数減算指定コマンドであれば（ステップＳ６６１）、演出制御用ＣＰＵ１２０は、合算保留記憶表示部１８ｃにおける１つ目の保留表示を消去し、残りの保留表示を１つずつシフトして、合算保留記憶表示部１８ｃにおける合算保留記憶数表示を更新する（ステップＳ６６２）。例えば、合算保留記憶表示部１８ｃの１つ目〜５つ目の保留表示が点灯表示されていた場合に、合算保留記憶数減算指定コマンドを受信した場合には、１つ目の保留表示を削除するとともに、２つ目に表示されていた保留表示を１つ目の表示領域にシフトし、３つ目に表示されていた保留表示を２つ目の表示領域にシフトし、４つ目に表示されていた保留表示を３つ目の表示領域にシフトし、５つ目に表示されていた保留表示を４つ目の表示領域にシフトする。そして、演出制御用ＣＰＵ１２０は、アクティブ表示の表示を開始する（ステップＳ６６２ａ）。
【０４６８】
また、演出制御用ＣＰＵ１２０は、始動入賞時コマンド格納領域における格納領域１のデータを削除し、残りのデータをシフトして格納する（ステップＳ６６３）。
【０４６９】
受信した演出制御コマンドがその他のコマンドであれば、演出制御用ＣＰＵ１２０は、受信した演出制御コマンドに応じたフラグをセットする（ステップＳ６８４）。そして、ステップＳ６１１に移行する。
【０４７０】
図４３は、図３８に示されたメイン処理における演出制御プロセス処理（ステップＳ７０５）を示すフローチャートである。演出制御プロセス処理では、演出制御用ＣＰＵ１２０は、演出制御プロセスフラグの値に応じてステップＳ８００〜Ｓ８１０のうちのいずれかの処理を行う。各処理において、以下のような処理を実行する。なお、演出制御プロセス処理では、画像表示装置５の表示状態が制御され、演出図柄の可変表示が実現されるが、第１特別図柄の変動に同期した演出図柄の可変表示に関する制御も、第２特別図柄の変動に同期した演出図柄の可変表示に関する制御も、一つの演出制御プロセス処理において実行される。なお、第１特別図柄の変動に同期した演出図柄の可変表示と、第２特別図柄の変動に同期した演出図柄の可変表示とを、別の演出制御プロセス処理により実行するように構成してもよい。また、この場合、いずれの演出制御プロセス処理により演出図柄の変動表示が実行されているかによって、いずれの特別図柄の変動表示が実行されているかを判断するようにしてもよい。
【０４７１】
変動パターンコマンド受信待ち処理（ステップＳ８００）：遊技制御用マイクロコンピュータ１００から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理（ステップＳ８０１）に対応した値に変更する。
【０４７２】
演出図柄変動開始処理（ステップＳ８０１）：演出図柄の変動が開始されるように制御する。そして、演出制御プロセスフラグの値を演出図柄変動中処理（ステップＳ８０２）に対応した値に更新する。
【０４７３】
演出図柄変動中処理（ステップＳ８０２）：変動パターンを構成する各変動状態（変動速度）の切替タイミング等を制御するとともに、変動時間の終了を監視する。そして、変動時間が終了したら、演出制御プロセスフラグの値を演出図柄変動停止処理（ステップＳ８０３）に対応した値に更新する。
【０４７４】
演出図柄変動停止処理（ステップＳ８０３）：演出図柄の変動を停止し表示結果（停止図柄）を導出表示する制御を行う。そして、演出制御プロセスフラグの値を大当り表示処理（ステップＳ８０４）、演出制御プロセスフラグの値を小当り表示処理（ステップＳ８０８）または変動パターンコマンド受信待ち処理（ステップＳ８００）に対応した値に更新する。
【０４７５】
大当り表示処理（ステップＳ８０４）：変動時間の終了後、画像表示装置５に大当りの発生を報知するための画面を表示する制御を行う。そして、演出制御プロセスフラグの値をラウンド中処理（ステップＳ８０５）に対応した値に更新する。
【０４７６】
ラウンド中処理（ステップＳ８０５）：ラウンド中の表示制御を行う。そして、ラウンド終了条件が成立したら、最終ラウンドが終了していなければ、演出制御プロセスフラグの値をラウンド後処理（ステップＳ８０６）に対応した値に更新する。最終ラウンドが終了していれば、演出制御プロセスフラグの値を大当り終了処理（ステップＳ８０７）に対応した値に更新する。
【０４７７】
ラウンド後処理（ステップＳ８０６）：ラウンド間の表示制御を行う。そして、ラウンド開始条件が成立したら、演出制御プロセスフラグの値をラウンド中処理（ステップＳ８０５）に対応した値に更新する。
【０４７８】
大当り終了演出処理（ステップＳ８０７）：画像表示装置５において、大当り遊技状態が終了したことを遊技者に報知する表示制御を行う。そして、演出制御プロセスフラグの値を変動パターンコマンド受信待ち処理（ステップＳ８００）に対応した値に更新する。
【０４７９】
小当り表示処理（ステップＳ８０８）：変動時間の終了後、画像表示装置５に小当りの発生を報知するための画面を表示する制御を行う。そして、演出制御プロセスフラグの値を小当り開放中処理（ステップＳ８０９）に対応した値に更新する。
【０４８０】
小当り開放中処理（ステップＳ８０９）：大入賞口の閉成条件の成立を確認する処理等を行う。大入賞口の閉成条件が成立し、かつ、まだ残り開放がある場合には、演出制御プロセスフラグの値を小当り表示処理（ステップＳ８０８）に対応した値に更新する。また、全ての開放を終えた場合には、演出制御プロセスフラグの値を小当り終了演出処理（ステップＳ８１０）に対応した値に更新する。
【０４８１】
小当り終了演出処理（ステップＳ８１０）：画像表示装置５において、小当り遊技状態が終了したことを遊技者に報知する表示制御を行う。そして、演出制御プロセスフラグの値を変動パターンコマンド受信待ち処理（ステップＳ８００）に対応した値に更新する。
【０４８２】
図４４は、図４３に示された演出制御プロセス処理における変動パターンコマンド受信待ち処理（ステップＳ８００）を示すフローチャートである。変動パターンコマンド受信待ち処理において、演出制御用ＣＰＵ１２０は、変動パターンコマンド受信フラグがセットされているか否か確認する（ステップＳ８１１）。変動パターンコマンド受信フラグがセットされていれば、変動パターンコマンド受信フラグをリセットする（ステップＳ８１２）。そして、演出制御プロセスフラグの値を演出図柄変動開始処理（ステップＳ８０１）に対応した値に更新する（ステップＳ８１３）。なお、前述したように、この実施の形態では、停電復旧時にも表示結果指定コマンドの送信が行われる（ステップＳ４４参照）のであるが、図４４に示すように、この実施の形態では、通常時には、変動パターンコマンドを受信したことにもとづいて演出図柄変動開始処理に移行し演出図柄の変動表示を開始するので、変動パターンコマンドを受信することなく表示結果指定コマンドを受信したのみでは演出図柄の変動表示は開始されない。
【０４８３】
図４５は、図４３に示された演出制御プロセス処理における演出図柄変動開始処理（ステップＳ８０１）を示すフローチャートである。演出図柄変動開始処理において、演出制御用ＣＰＵ１２０は、まず、変動パターンコマンド格納領域から変動パターンコマンドを読み出す（ステップＳ８００１）。次いで、演出制御用ＣＰＵ１２０は、ステップＳ８００２で読み出した変動パターンコマンド、および表示結果指定コマンド格納領域に格納されているデータ（すなわち、受信した表示結果指定コマンド）に応じて演出図柄の表示結果（停止図柄）を決定する（ステップＳ８００２）。すなわち、演出制御用ＣＰＵ１２０によってステップＳ８００２の処理が実行されることによって、可変表示パターン決定手段が決定した可変表示パターン（変動パターン）に応じて、識別情報の可変表示の表示結果（演出図柄の停止図柄）を決定する表示結果決定手段が実現される。なお、変動パターンコマンドで擬似連が指定されている場合には、演出制御用ＣＰＵ１２０は、ステップＳ８００２において、擬似連中の仮停止図柄としてチャンス目図柄（例えば、「２２３」や「４４５」のように、リーチとならないものの大当り図柄と１つ図柄がずれている図柄の組み合わせや、通常では表示されない特殊な画像（数字以外の画像であってもよい。）を含む図柄の組み合わせなど。「擬似連図柄」ともいう。）も決定する。また、演出制御用ＣＰＵ１２０は、ステップＳ８００２において、「図柄変動時の変動形態の変化」の演出態様の連続演出を実行すると決定されている場合には、演出図柄の停止図柄として、いわゆるチャンス目図柄（例えば、「２２３」や「４４５」のように、リーチとならないものの大当り図柄と１つ図柄がずれている図柄の組み合わせ）を決定する。なお、演出制御用ＣＰＵ１２０は、決定した演出図柄の停止図柄を示すデータを演出図柄表示結果格納領域に格納する。なお、ステップＳ８００２において、演出制御用ＣＰＵ１２０は、受信した変動パターンコマンドにもとづいて大当りであるか否かを判定し、変動パターンコマンドのみにもとづいて演出図柄の停止図柄を決定するようにしてもよい。
【０４８４】
図４６は、画像表示装置５における演出図柄の停止図柄の一例を示す説明図である。図４６に示す例では、受信した表示結果指定コマンドが「１５Ｒ確変大当り」または「８Ｒ確変大当り」を示している場合には（受信した表示結果指定コマンドが表示結果２指定コマンドまたは表示結果３指定コマンドである場合）、演出制御用ＣＰＵ１２０は、停止図柄として３図柄が同じ図柄で揃った演出図柄の組合せを決定する。なお、「１５Ｒ確変大当り」または「８Ｒ確変大当り」のいずれであるかに応じて停止図柄の決定割合を異ならせてもよい。例えば、「１５Ｒ確変大当り」である場合には、３図柄が同じ奇数図柄で揃った演出図柄の組合せを決定する割合を高くし（または決定する割合を１００％とし）、「８Ｒ確変大当り」である場合には、３図柄が同じ偶数図柄で揃った演出図柄の組合せを決定する割合を高くする（または決定する割合を１００％とする）ようにしてもよい。
【０４８５】
また、受信した表示結果指定コマンドが「突然確変大当り」や「小当り」を示している場合には（受信した表示結果指定コマンドが表示結果５指定コマンドまたは表示結果６指定コマンドである場合）、演出制御用ＣＰＵ１２０は、停止図柄として「１３５」などの演出図柄の組合せを決定する。そして、「はずれ」の場合には（受信した表示結果指定コマンドが表示結果１指定コマンドである場合）、上記以外の演出図柄の組み合わせを決定する。ただし、リーチ演出を伴う場合には、左右の２図柄が揃った演出図柄の組み合わせを決定する。また、画像表示装置５に導出表示される３図柄の組合せが演出図柄の「停止図柄」である。
【０４８６】
演出制御用ＣＰＵ１２０は、例えば、停止図柄を決定するための乱数を抽出し、演出図柄の組合せを示すデータと数値とが対応付けられている停止図柄決定テーブルを用いて、演出図柄の停止図柄を決定する。すなわち、抽出した乱数に一致する数値に対応する演出図柄の組合せを示すデータを選択することによって停止図柄を決定する。
【０４８７】
なお、演出図柄についても、大当りを想起させるような停止図柄（左中右が全て同じ図柄で揃った図柄の組み合わせ）を大当り図柄という。また、はずれを想起させるような停止図柄をはずれ図柄という。
【０４８８】
次いで、演出制御用ＣＰＵ１２０は、アクティブ表示の最終表示態様および変化パターンを決定する（ステップＳ８００３ａ）。この実施の形態では、演出図柄の変動中にアクティブ表示の表示態様を変化させるアクティブ表示変化演出と、アクティブ表示の表示態様が変化すること（および変化した場合の変化後の表示態様）を示唆する示唆演出とを実行可能である。例えば、所定のタイミングにおいて、アクティブ表示の表示態様が変化すること（および変化した場合の変化後の表示態様）を示唆する示唆演出が実行された後に、アクティブ表示の表示態様を変化させるアクティブ表示変化演出が実行される。
【０４８９】
この実施の形態では、アクティブ表示変化演出が実行される前に、必ず示唆演出が実行されるように構成されている。ただし、示唆演出が実行された後に、必ずアクティブ表示変化演出が実行されるわけではない。すなわち、示唆演出が実行された後にアクティブ表示の表示態様が変化するときと、示唆演出が実行されたがアクティブ表示の表示態様が変化しないときとがある。以下、演出の実行後にアクティブ表示の表示態様が変化する示唆演出を真示唆演出ともいい、演出の実行後にアクティブ表示の表示態様が変化しない示唆演出を偽示唆演出ともいう。なお、真示唆演出と偽示唆演出とは、共通する演出態様により実行されるため、演出が終わるまでアクティブ表示の表示態様が変化するか否か判別できないようになっている。
【０４９０】
図４７は、アクティブ表示変化演出および示唆演出の実行タイミングの一例を示す説明図である。この実施の形態では、図４７に示すように、変動開始後、スーパーリーチ開始前の第１タイミングと、スーパーリーチ開始後、変動停止前の第２タイミングとにおいて、アクティブ表示変化演出および示唆演出を実行可能である。なお、第１タイミングと第２タイミングとについては、図４７に示すような例に限らず、第２タイミングが第１タイミングよりも後のタイミングであるという関係性が保たれていれば、どのようなタイミングであってもよい。例えば、第１タイミングおよび第２タイミングのいずれもスーパーリーチ開始前に設定されていてもよいし、いずれもスーパーリーチ開始後に設定されていてもよい。また、第１タイミングと第２タイミングとの２つのタイミングに限らず、３以上のタイミングにおいて、アクティブ表示変化演出および示唆演出を実行可能としてもよい。
【０４９１】
ステップＳ８００３ａでは、まず、アクティブ表示の最終表示態様を、最終表示態様決定テーブルを用いて決定する。この実施の形態では、アクティブ表示変化演出を複数回実行することにより、アクティブ表示の表示態様を複数回変化させることが可能である。アクティブ表示の最終表示態様とは、１回もしくは複数回の変化を経て、または変化することなく、最終的に（すなわち変動終了時に）どのような表示態様で表示されるかを示すものである。
【０４９２】
図４８は、最終表示態様決定テーブルの一例を示す説明図である。最終表示態様決定テーブルには、変動パターン（すなわち、「スーパーリーチ以外（はずれ）」、「スーパーリーチはずれ」および「スーパーリーチ大当り」のいずれであるか）に応じて、最終表示態様に対応する判定値が割り当てられているが、図４８に示す例では、説明を簡略化するために、割り当てられた判定値の割合が示されている。演出制御用ＣＰＵ１２０は、例えば、最終表示態様決定用の乱数を抽出し、抽出した乱数に一致する判定値が割り当てられている決定事項に決定する。
【０４９３】
この実施の形態では、アクティブ表示の表示態様を「通常態様（白）」、「第１表示態様（青）」、「第２表示態様（緑）」および「第３表示態様（赤）」のいずれかにすることができるが、最終表示態様を「通常態様（白）」に決定するということは、アクティブ表示変化演出を実行しないということである。また、最終表示態様を「通常態様（白）」に決定するということは、演出の後にアクティブ表示の表示態様が変化する真示唆演出も実行しないということである。ただし、最終表示態様を「通常態様（白）」に決定した場合であっても、演出の後にアクティブ表示の表示態様が変化しない偽示唆演出は実行することはできる。
【０４９４】
図４８に示す最終表示態様決定テーブルによれば、変動パターンの有利度が高い順に（すなわち、「スーパーリーチ大当り」＞「スーパーリーチはずれ」＞「スーパーリーチ以外（はずれ）」の順に）、最終表示態様が「第３表示態様（赤）」＞「第２表示態様（緑）」＞「第１表示態様（青）」＞「通常態様（白）」の順に決定される割合が高くなるように判定値が設定されている。すなわち、最終表示態様が「通常態様（白）」以外に決定され、アクティブ表示変化演出が実行される方が遊技者にとって期待度が高くなり、さらに最終表示態様が「第３表示態様（赤）」＞「第２表示態様（緑）」＞「第１表示態様（青）」の順に期待度が高くなるように構成されている。このように構成することによって、アクティブ表示変化演出が実行されるか否かとともに、アクティブ表示がどのような表示態様に変化するかについて関心を持たせることができ、興趣を高めることができる。
【０４９５】
ステップＳ８００３ａでは、アクティブ表示の最終表示態様を決定すると、決定した最終表示態様にもとづいて、変化パターン決定テーブルを用いて、アクティブ表示の変化パターンを決定する。
【０４９６】
図４９（Ａ）は、スーパーリーチを含まない変動パターンのときに用いられる第１変化パターン決定テーブル（スーパーリーチなし）の一例を示す説明図である。また、図４９（Ｂ）は、スーパーリーチを含む変動パターンのときに用いられる第２変化パターン決定テーブル（スーパーリーチあり）の一例を示す説明図である。図４７で示したように、この実施の形態では、第２タイミングがスーパーリーチ開始後に設定されているため、スーパーリーチを含まない変動パターンのときには、第２タイミングにおけるアクティブ表示の変化の有無等の決定を省略した第１変化パターン決定テーブル（スーパーリーチなし）が用いられる。なお、この実施の形態で示す例に限らず、第２タイミングは第１タイミングの後のタイミングであれば任意のタイミングであってもよいため、第２タイミングをスーパーリーチ開始後に設定しない場合には、スーパーリーチを含まない変動パターンであっても第１タイミングと第２タイミングとにおけるアクティブ表示の変化の有無等を決定するようにできる。
【０４９７】
図４９（Ａ）に示す第１変化パターン決定テーブル（スーパーリーチなし）では、アクティブ表示変化演出が実行可能なタイミングが第１タイミングのみであるため、最終表示態様が通常態様（白）以外に決定されている場合には、いずれも第１タイミングにおいて最終表示態様に変化する変化パターンに決定される。例えば、最終表示態様が第１表示態様（青）である場合には、１００％の割合で、第１タイミングでアクティブ表示の表示態様が通常態様（白）から第１表示態様（青）に変化するアクティブ表示変化演出が実行される変化パターン１−２に決定される。変化パターン１−２では、アクティブ表示変化演出に先だって、アクティブ表示の表示態様が通常態様（白）から第１表示態様（青）に変化することを示唆する示唆演出が実行される。
【０４９８】
最終表示態様が第２表示態様（緑）である場合には、１００％の割合で、第１タイミングでアクティブ表示の表示態様が通常態様（白）から第２表示態様（緑）に変化するアクティブ表示変化演出が実行される変化パターン１−３に決定される。変化パターン１−３では、アクティブ表示変化演出に先だって、アクティブ表示の表示態様が通常態様（白）から第２表示態様（緑）に変化することを示唆する示唆演出が実行される。また、最終表示態様が第３表示態様（赤）である場合には、１００％の割合で、第１タイミングでアクティブ表示の表示態様が通常態様（白）から第３表示態様（赤）に変化するアクティブ表示変化演出が実行される変化パターン１−４に決定される。変化パターン１−４では、アクティブ表示変化演出に先だって、アクティブ表示の表示態様が通常態様（白）から第３表示態様（赤）に変化することを示唆する示唆演出が実行される。このように、この実施の形態では、示唆演出によって、アクティブ表示の表示態様が変化することに加えて、変化した場合の変化後の表示態様が示唆される。
【０４９９】
最終表示態様が通常態様（白）である場合、すなわちアクティブ表示の表示態様が変化しない場合には、１００％の割合で、第１タイミングでアクティブ表示変化演出が実行されない変化パターン１−１に決定される。なお、変化パターン１−１では、第１タイミングにおいて、アクティブ表示の表示態様を変化させないため、偽示唆演出（例えば、アクティブ表示の表示態様が通常態様（白）から第１表示態様（青）に変化することを示唆する）を実行可能である。図４９（Ａ）に示す第１変化パターン決定テーブル（スーパーリーチなし）および図４９（Ｂ）に示す第２変化パターン決定テーブル（スーパーリーチあり）の第１タイミングおよび第２タイミングにおける「（偽示唆演出）」という記載は、当該タイミングにおいて、偽示唆演出を実行可能であることを意味している。なお、実際に偽示唆演出を実行するか否かは、後述するステップＳ８００３ｂにおいて決定する。
【０５００】
図４９（Ｂ）に示す第２変化パターン決定テーブル（スーパーリーチあり）では、各変化パターンにより、第１タイミングと第２タイミングとにおけるアクティブ表示の変化の有無、変化する場合の変化後の表示態様、および偽示唆演出を実行可能であるか否か示されている。
【０５０１】
例えば、最終表示態様が第３表示態様（赤）である場合には、３０％の割合で、アクティブ表示の表示態様が第１タイミングで通常態様（白）から第１表示態様（青）に変化し、第２タイミングで第１表示態様（青）から第３表示態様（赤）に変化する変化パターン２−７に決定される。また、３０％の割合で、アクティブ表示の表示態様が第１タイミングで通常態様（白）から第２表示態様（緑）に変化し、第２タイミングで第２表示態様（緑）から第３表示態様（赤）に変化する変化パターン２−８に決定される。また、３０％の割合で、アクティブ表示の表示態様が第２タイミングで通常態様（白）から第３表示態様（赤）に変化する変化パターン２−９に決定される。また、１０％の割合で、アクティブ表示の表示態様が第１タイミングで通常態様（白）から第３表示態様（赤）に変化する変化パターン２−１０に決定される。
【０５０２】
変化パターン２−７では、第１タイミングにおけるアクティブ表示変化演出に先だって、アクティブ表示の表示態様が通常態様（白）から第１表示態様（青）に変化することを示唆する示唆演出が実行され、第２タイミングにおけるアクティブ表示変化演出に先だって、アクティブ表示の表示態様が第１表示態様（青）から第３表示態様（赤）に変化することを示唆する示唆演出が実行される。また、変化パターン２−８では、第１タイミングにおけるアクティブ表示変化演出に先だって、アクティブ表示の表示態様が通常態様（白）から第２表示態様（緑）に変化することを示唆する示唆演出が実行され、第２タイミングにおけるアクティブ表示変化演出に先だって、アクティブ表示の表示態様が第２表示態様（緑）から第３表示態様（赤）に変化することを示唆する示唆演出が実行される。
【０５０３】
変化パターン２−９では、第１タイミングにおいて、アクティブ表示の表示態様を変化させないため、偽示唆演出（例えば、アクティブ表示の表示態様が通常態様（白）から第１表示態様（青）に変化することを示唆する）が実行可能とされ、第２タイミングにおけるアクティブ表示変化演出に先だって、アクティブ表示の表示態様が通常態様（白）から第３表示態様（赤）に変化することを示唆する示唆演出が実行される。また、変化パターン２−１０では、第１タイミングにおけるアクティブ表示変化演出に先だって、アクティブ表示の表示態様が通常態様（白）から第３表示態様（赤）に変化することを示唆する示唆演出が実行される。変化パターン２−１０の第２タイミングでは、アクティブ表示の表示態様を変化させないが、既に最も期待度が高い第３表示態様で表示されているため、偽示唆演出を実行できないように構成されている。
【０５０４】
図４９（Ｂ）に示す第２変化パターン決定テーブル（スーパーリーチあり）において特徴的な点は、第２タイミングにおいて、アクティブ表示の表示態様が通常態様（白）から第１表示態様（青）に変化する変化パターン２−３に決定されないように構成されていることである。この実施の形態では、第２タイミングは、スーパーリーチ開始後に設定されているため、大当りに対する期待感が高まっているタイミングといえる。しかし、そのようなタイミングで、期待度が低い第１表示態様（青）に変化したのでは、大当りとなる可能性が低いことが示唆されることになり、遊技者が興醒めしてしまうおそれがある。そこで、第２タイミングにおいて、アクティブ表示の表示態様が通常態様（白）から第１表示態様（青）に変化することを示唆する示唆演出を実行した後に、表示態様を変化させるアクティブ表示変化演出を実行する変化パターン２−３に決定されないように構成することにより、大当りに対する期待感が高まっているタイミングにおいて、大当りとなる可能性が低いことを示唆することによって遊技者を興醒めさせてしまうことを防止することができる。なお、変化パターン２−３に決定されることはないのであるから、最初から変化パターン２−３を第２変化パターン決定テーブル（スーパーリーチあり）に設けないようにしてもよい。
【０５０５】
この実施の形態では、偽示唆演出を実行可能なタイミングで実行する場合には、アクティブ表示が現在の表示態様よりも１段階期待度が高い表示態様に変化することを示唆する偽示唆演出を実行するように構成されている。例えば、変化パターン２−２の第２タイミングでは、アクティブ表示が現在の第１表示態様（青）から第２表示態様（緑）に変化することを示唆する偽示唆演出が実行可能とされている。すると、変化パターン２−１の第２タイミングで偽示唆演出を実行する場合には、アクティブ表示が通常態様（白）から第１表示態様（青）に変化することを示唆する偽示唆演出を実行することになる。しかし、大当りに対する期待感が高まっている第２タイミングにおいては、期待度が低い第１表示態様（青）に変化することを示唆する示唆演出が実行された時点で、大当りとなる可能性が低いことが示唆されることになり、遊技者が興醒めしてしまうおそれがある。そこで、この実施の形態では、変化パターン２−１では、第２タイミングにおいて第１表示態様（青）に変化することを示唆する偽示唆演出の実行が禁止されている。
【０５０６】
この実施の形態では、第２タイミングにおいて第１表示態様（青）に変化することを示唆する真示唆演出が実行される変化パターン２−３に決定されないようにするとともに、変化パターン２−１では、第２タイミングにおいて第１表示態様（青）に変化することを示唆する偽示唆演出の実行を禁止することにより、第２タイミングにおいて第１表示態様（青）に変化するアクティブ表示変化演出の実行を制限するとともに、第１表示態様（青）に変化することを示唆する示唆演出の実行も制限するように構成されている。つまり、第２タイミングにおいては、第１表示態様（青）よりも期待度が高い第２表示態様（緑）および第３表示態様（赤）のいずれかに変化することを示唆する示唆演出のみ実行されるように構成されている。このように構成することにより、遊技の興趣が低下してしまうことを防止することができる。
【０５０７】
また、この実施の形態では、アクティブ表示の最終表示態様が第２表示態様（緑）や第３表示態様（赤）といった期待度が高いものである場合には、第１タイミングよりも第２タイミングにおいて最終表示態様に変化する割合が高くなるように構成されている。具体的には、最終表示態様が第３表示態様（赤）の場合には、第２タイミングで第３表示態様（赤）に変化する割合が９０％であるのに対して（変化パターン２−７〜２−９）、第１タイミングで第３表示態様（赤）に変化する割合は１０％である（変化パターン２−１０）。このように構成することにより、第２タイミングでは第１タイミングよりも期待度が高い表示態様に変化すること、変化することを示唆することが多くなり、第２タイミングにおける期待感を向上させることができる。
【０５０８】
なお、この実施の形態では、偽示唆演出は、アクティブ表示が現在の表示態様よりも期待度が１段階高い表示態様に変化することを示唆するように構成されているが、期待度が２段階以上高い表示態様に変化することを示唆するようにしてもよい。例えば、変化パターン２−５の第２タイミングなどでは、通常態様（白）から第２表示態様（緑）のように、期待度が２段階以上高い表示態様に変化することを示唆する真示唆演出が実行されるが、同じ変化を示唆する偽示唆演出がなければ、演出が開始された時点で変化することが確定してしまうからである。このように構成する場合には、変化パターン２−１では、第２タイミングにおいて第１表示態様（青）に変化することを示唆する偽示唆演出の実行を禁止する一方で、第２表示態様（緑）または第３表示態様（赤）に変化することを示唆する偽示唆演出の実行を許容するようにしてもよい。なお、期待度が２段階以上高い表示態様に変化することを示唆する偽示唆演出を実行可能とする場合には、決定された最終表示態様（または後に実行される示唆演出により示唆される変化後の表示態様）よりも期待度が高い表示態様に変化することを示唆する偽示唆演出の実行を制限することが望ましい。例えば、最終表示態様が第２表示態様（緑）であるときに、第１タイミングにおいて第３表示態様（赤）に変化することを示唆する偽示唆演出を実行すると、第２タイミングにおいて第２表示態様（緑）に変化することを示唆する真示唆演出を実行することになり、遊技者に期待感が低下したように感じさせてしまうおそれがあるためである。
【０５０９】
また、図４９（Ｂ）に示す例では、最終表示態様が同じであれば、変化パターンが異なっていても期待度に大きな差がないように構成されているが、このような構成に限らず、最終表示態様が同じであっても、変化パターンが異なれば期待度が異なるように構成してもよい。例えば、最終表示態様に代えて、または加えて、変動パターンに応じて異なる割合で変化パターンが決定される構成とすることにより実現することができる。
【０５１０】
ステップＳ８００３ａでアクティブ表示の最終表示態様および変化パターンを決定すると、演出制御用ＣＰＵ１２０は、偽示唆演出実行決定テーブルを用いて、偽示唆演出を実行可能なタイミングごとに、偽示唆演出を実行するか否かを決定する（ステップＳ８００３ｂ）。例えば、変化パターン２−１に決定した場合には、第１タイミングにおいて偽示唆演出を実行するか否かを決定する。
【０５１１】
図４９（Ｃ）は、偽示唆演出実行決定テーブルの一例を示す説明図である。図４９（Ｃ）に示す例では、第１タイミングと第２タイミングとで、偽示唆演出を実行する割合が異なるように構成されている。具体的には、第２タイミングでは第１タイミングよりも偽示唆演出を実行する割合が低くなるように構成されている。このように構成されることにより、第２タイミングで実行される示唆演出に注目させることができる。
【０５１２】
ステップＳ８００３ｂで偽示唆演出の実行の有無を決定すると、演出制御用ＣＰＵ１２０は、示唆演出態様決定テーブルを用いて、示唆演出の演出態様を決定する（ステップＳ８００３ｃ）。この実施の形態では、示唆演出の演出態様として、第１態様と第２態様とを選択可能であり、第１態様の示唆演出ではキャラクタＡが登場し（図５３（ａ１）〜（ａ４）参照）、第２態様の示唆演出ではキャラクタＢが登場する（図５３（ｂ１）〜（ｂ４）参照）。
【０５１３】
図４９（Ｄ）は、示唆演出態様決定テーブルの一例を示す説明図である。図４９（Ｄ）に示す例では、実行する示唆演出が真示唆演出と偽示唆演出とのいずれであるかに応じて、異なる割合で演出態様を決定するように構成されている。具体的には、真示唆演出では第１態様に決定される割合が高く、偽示唆演出では第２態様に決定される割合が高くなるように構成されている。このように構成されることにより、示唆演出の演出態様によりアクティブ表示の表示態様が変化する割合が異なることになるため、示唆演出の演出態様に着目させることができ、遊技の興趣を高めることができる。
【０５１４】
なお、この実施の形態では、示唆演出の演出態様が第１態様の場合と第２態様の場合とで、真示唆演出である期待度が異なるように構成されているが、これに代えて、または加えて、大当りとなる期待度が異なるようにしてもよい。例えば、真示唆演出と偽示唆演出とのいずれであるかに加えて、変動パターンに応じて異なる割合で示唆演出の演出態様が決定される構成とすることにより実現することができる。
【０５１５】
次いで、演出制御用ＣＰＵ１２０は、変動パターンおよび実行する演出に応じたプロセステーブルを選択する（ステップＳ８００４）。そして、演出制御用ＣＰＵ１２０は、選択したプロセステーブルのプロセスデータ１におけるプロセスタイマをスタートさせる（ステップＳ８００５）。
【０５１６】
図５０は、プロセステーブルの構成例を示す説明図である。プロセステーブルとは、演出制御用ＣＰＵ１２０が演出装置の制御を実行する際に参照するプロセスデータが設定されたテーブルである。すなわち、演出制御用ＣＰＵ１２０は、プロセステーブルに設定されているプロセスデータに従って画像表示装置５等の演出装置（演出用部品）の制御を行う。プロセステーブルは、プロセスタイマ設定値と表示制御実行データ、ランプ制御実行データおよび音番号データの組み合わせが複数集まったデータで構成されている。表示制御実行データには、演出図柄の可変表示の可変表示時間（変動時間）中の変動態様を構成する各変動の態様（アクティブ表示変化演出や示唆演出の態様を含む）を示すデータ等が記載されている。具体的には、画像表示装置５の表示画面の変更に関わるデータが記載されている。また、プロセスタイマ設定値には、その変動の態様での変動時間が設定されている。演出制御用ＣＰＵ１２０は、プロセステーブルを参照し、プロセスタイマ設定値に設定されている時間だけ表示制御実行データに設定されている変動の態様で演出図柄を表示させる制御を行う。
【０５１７】
図５０に示すプロセステーブルは、演出制御基板１２におけるＲＯＭに格納されている。また、プロセステーブルは、各変動パターンに応じて用意されている。
【０５１８】
なお、リーチ演出を伴う変動パターンについて演出制御を実行する場合に用いられるプロセステーブルには、変動開始から所定時間が経過したときに左図柄を停止表示させ、さらに所定時間が経過すると右図柄を停止表示させることを示すプロセスデータが設定されている。なお、停止表示させる図柄をプロセステーブルに設定するのではなく、決定された停止図柄、擬似連や滑り演出における仮停止図柄に応じて、図柄を表示するための画像を合成して生成するようにしてもよい。
【０５１９】
また、演出制御用ＣＰＵ１２０は、プロセスデータ１の内容（表示制御実行データ１、ランプ制御実行データ１、音番号データ１）に従って演出装置（演出用部品としての画像表示装置５、演出用部品としての各種ランプおよび演出用部品としてのスピーカ２７）の制御を実行する（ステップＳ８００６）。例えば、画像表示装置５において変動パターンに応じた画像を表示させるために、ＶＤＰ１０９に指令を出力する。また、各種ランプを点灯／消灯制御を行わせるために、ランプドライバ基板３５に対して制御信号（ランプ制御実行データ）を出力する。また、スピーカ２７からの音声出力を行わせるために、音声出力基板７０に対して制御信号（音番号データ）を出力する。
【０５２０】
なお、この実施の形態では、演出制御用ＣＰＵ１２０は、変動パターンコマンドに１対１に対応する変動パターンによる演出図柄の可変表示が行われるように制御するが、演出制御用ＣＰＵ１２０は、変動パターンコマンドに対応する複数種類の変動パターンから、使用する変動パターンを選択するようにしてもよい。
【０５２１】
次いで、演出制御用ＣＰＵ１２０は、変動時間タイマに、変動パターンコマンドで特定される変動時間に相当する値を設定する（ステップＳ８００７）。そして、演出制御用ＣＰＵ１２０は、演出制御プロセスフラグの値を演出図柄変動中処理（ステップＳ８０２）に対応した値にする（ステップＳ８００８）。
【０５２２】
図５１は、演出制御プロセス処理における演出図柄変動中処理（ステップＳ８０２）を示すフローチャートである。演出図柄変動中処理において、演出制御用ＣＰＵ１２０は、まず、プロセスタイマの値を１減算するとともに（ステップＳ８１０１）、変動時間タイマの値を１減算する（ステップＳ８１０２）。プロセスタイマがタイムアウトしたら（ステップＳ８１０３）、プロセスデータの切替を行う。すなわち、プロセステーブルにおける次に設定されているプロセスタイマ設定値をプロセスタイマに設定する（ステップＳ８１０４）。また、その次に設定されている表示制御実行データ、ランプ制御実行データおよび音番号データにもとづいて演出装置に対する制御状態を変更する（ステップＳ８１０５）。
【０５２３】
次いで、演出制御用ＣＰＵ１２０は、変動時間タイマがタイムアウトしていれば（ステップＳ８１２３のＹ）、演出制御プロセスフラグの値を演出図柄変動停止処理（ステップＳ８０３）に応じた値に更新する（ステップＳ８１２４）。
【０５２４】
図５２は、演出制御プロセス処理における演出図柄変動停止処理（ステップＳ８０３）を示すフローチャートである。演出図柄変動停止処理において、まず、演出制御用ＣＰＵ１２０は、演出図柄の停止図柄を表示していることを示す停止図柄表示フラグがセットされているか否かを確認する（ステップＳ８３０１）。停止図柄表示フラグがセットされていれば、ステップＳ８３０５に移行する。この実施の形態では、演出図柄の停止図柄として大当り図柄を表示した場合には、ステップＳ８３０４で停止図柄表示フラグがセットされる。そして、ファンファーレ演出を実行するときに停止図柄表示フラグがリセットされる。従って、停止図柄表示フラグがセットされているということは、大当り図柄を停止表示したがファンファーレ演出をまだ実行していない段階であるので、ステップＳ８３０２の演出図柄の停止図柄を表示する処理を実行することなく、ステップＳ８３０５に移行する。
【０５２５】
停止図柄表示フラグがセットされていない場合には、演出制御用ＣＰＵ１２０は、決定されている停止図柄（はずれ図柄、大当り図柄）を停止表示させる制御を行う（ステップＳ８３０２）。
【０５２６】
ステップＳ８３０２の処理で大当り図柄または小当り図柄を停止表示した場合には（ステップＳ８３０３のＹ）、演出制御用ＣＰＵ１２０は、停止図柄表示フラグをセットし（ステップＳ８３０４）、大当り開始指定コマンドを受信したことを示す大当り開始指定コマンド受信フラグ、または小当り／突然確変大当り開始指定コマンドを受信したことを示す小当り／突然確変大当り開始指定コマンド受信フラグがセットされているか否か確認する（ステップＳ８３０５）。大当り開始指定コマンド受信フラグまたは小当り／突然確変大当り開始指定コマンド受信フラグがセットされている場合には、演出制御用ＣＰＵ１２０は、停止図柄表示フラグをリセットし（ステップＳ８３０６）、ファンファーレ演出に応じたプロセステーブルを選択する（ステップＳ８３０７）。なお、演出制御用ＣＰＵ１２０は、大当り開始指定コマンド受信フラグまたは小当り／突然確変大当り開始指定コマンド受信フラグがセットされていた場合には、セットされていたフラグをリセットする。
【０５２７】
そして、演出制御用ＣＰＵ１２０は、プロセスタイマ設定値をプロセスタイマに設定することによってプロセスタイマをスタートさせ（ステップＳ８３０８）、プロセスデータ１の内容（表示制御実行データ１、ランプ制御実行データ１、音番号データ１、可動部材制御データ１）に従って演出装置（演出用部品としての画像表示装置５、演出用部品としての各種ランプ、演出用部品としてのスピーカ２７、および演出用部品としての可動部材７８と演出羽根役物７９ａ，７９ｂ）の制御を実行する（ステップＳ８３０９）。その後、演出制御プロセスフラグの値を大当り表示処理（ステップＳ８０４）に応じた値に更新する（ステップＳ８３１０）。
【０５２８】
ステップＳ８３０２の処理で大当り図柄および小当り図柄のいずれも表示しなかった場合（すなわち、はずれ図柄を表示した場合）には（ステップＳ８３０３のＮ）、演出制御用ＣＰＵ１２０は、所定のフラグをリセットする（ステップＳ８３１１）。例えば、演出制御用ＣＰＵ１２０は、第１図柄変動指定コマンド受信フラグや、第２図柄変動指定コマンド受信フラグをリセットする。なお、演出制御用ＣＰＵ１２０は、コマンド受信フラグを演出制御プロセス処理や第４図柄プロセス処理において参照されたあと直ぐにリセットするようにしてもよい（例えば、図４４のステップＳ８１１に示すように、変動パターンコマンド受信フラグを確認すると直ちに変動パターンコマンド受信フラグをリセットするようにしてもよい）。ただし、例えば、図柄変動指定コマンドについては、演出制御プロセス処理と第４図柄プロセス処理との両方で参照されるので、この実施の形態で示すように、変動終了の際に演出図柄変動停止処理などにおいてリセットしたり、大当り終了の際に大当り終了演出処理においてリセットしたりすることが望ましい。そして、演出制御用ＣＰＵ１２０は、演出制御プロセスフラグの値を変動パターンコマンド受信待ち処理（ステップＳ８００）に応じた値に更新する（ステップＳ８３１２）。
【０５２９】
図５３は、この実施の形態におけるアクティブ表示変化演出および示唆演出の具体例を示す説明図である。図５３（ａ１）〜（ａ４）には、アクティブ表示が通常態様（白）から第１表示態様（青）に変化するアクティブ表示変化演出と、アクティブ表示変化演出に先だって、アクティブ表示が通常態様（白）から第１表示態様（青）に変化することを示唆する第１態様の示唆演出（真示唆演出）とが実行される例が示されている。
【０５３０】
図５３（ａ１）に示すように、変動表示が開始されると、アクティブ表示部１８ｄにアクティブ表示が表示される（図５３（ａ１）では通常状態のアクティブ表示が表示されている）。ここで、第１タイミングになると、青色に輝く球１８ｅ（図５３（ａ２）では単に「青」と表示されている）を保持した、キャラクタＡ（図５３（ａ２）では丸形の頭部に「Ａ」と表示されている）１８ｆが登場する示唆演出が実行される（図５３（ａ２））。
【０５３１】
図５３（ａ２）に示す例では、キャラクタが保持する球が青色に輝く球１８ｅであることによって、アクティブ表示が第１表示態様（青）に変化することが示唆されている。なお、第２表示態様（緑）や第３表示態様（赤）に変化することが示唆される場合には、緑色に輝く球や赤色に輝く球が保持される。また、キャラクタＡが登場する第１態様で示唆演出が実行されることにより、後述するキャラクタＢが登場する第２態様で示唆演出が実行されるときに比べて、アクティブ表示の表示態様が変化する割合が高いこと（すなわち、真示唆演出である割合が高いこと）が示唆されている。
【０５３２】
なお、この実施の形態では、アクティブ表示がいずれの表示態様に変化するかを示唆するときにも、キャラクタＡが登場する第１態様またはキャラクタＢが登場する第２態様により実行される（ただし、保持されている球の態様は異なる）。すなわち、いずれの表示態様に変化することを示唆するかに関わらず、少なくとも一部が共通する態様により示唆演出を実行するように構成されている。そのため、キャラクタＡまたはキャラクタＢの登場がすると、示唆演出が実行されるということを認識しやすくすることができ、遊技の興趣を高めることができる。なお、この実施の形態の例に限らず、例えば、特定の表示態様に変化することを示唆する場合にのみ、態様が共通しない示唆演出を実行するようにしてもよい。
【０５３３】
次いで、キャラクタＡが投げた青色に輝く球１８ｅが、アクティブ表示に衝突する演出が行われることによって、示唆演出が真示唆演出であることが判明する（図５３（ａ３））。すると、アクティブ表示が第１表示態様（青）に変化するアクティブ表示変化演出が行われる（図５３（ａ４））。
【０５３４】
図５３（ｂ１）〜（ｂ４）には、アクティブ表示が通常態様（白）から第１表示態様（青）に変化することを示唆する第２態様の示唆演出（偽示唆演出）が実行される例が示されている。
【０５３５】
図５３（ｂ１）に示すように、変動表示が開始されると、アクティブ表示部１８ｄにアクティブ表示が表示される（図５３（ｂ１）では通常状態のアクティブ表示が表示されている）。ここで、第１タイミングになると、青色に輝く球１８ｅ（図５３（ｂ２）では単に「青」と表示されている）を保持した、キャラクタＢ（図５３（ｂ２）では四角形の頭部に「Ｂ」と表示されている）１８ｇが登場する示唆演出が実行される（図５３（ｂ２））。
【０５３６】
図５３（ｂ２）に示す例では、キャラクタが保持する球が青色に輝く球１８ｅであることによって、アクティブ表示が第１表示態様（青）に変化することが示唆されている。また、キャラクタＢが登場する第２態様で示唆演出が実行されることにより、キャラクタＡが登場する第１態様で示唆演出が実行されるときに比べて、アクティブ表示の表示態様が変化する割合が低いこと（すなわち、真示唆演出である割合が低いこと）が示唆されている。
【０５３７】
次いで、キャラクタＢが投げた青色に輝く球１８ｅが、アクティブ表示の上側を通過する演出が行われることによって、示唆演出が偽示唆演出であることが判明する（図５３（ｂ３））。このときには、アクティブ表示の表示態様は変化しない（図５３（ｂ４））。
【０５３８】
以上に説明したように、この実施の形態によれば、実行中の可変表示に対応する特定表示（本例では、アクティブ表示）を表示可能な特定表示手段と、特定表示の表示態様を第１態様（本例では、第２表示態様（緑）や第３表示態様（赤））と該第１態様よりも有利状態に制御される期待度が低い第２態様（本例では、第１表示態様（青））とを含む複数の表示態様のうちのいずれかに変化させる変化演出（本例では、アクティブ表示変化演出）を実行可能な変化演出実行手段と、可変表示中の第１タイミング（本例では、図４７に示す変動開始後、スーパーリーチ開始前の第１タイミング）と該第１タイミングよりも後の第２タイミング（本例では、図４７に示すスーパーリーチ開始後、変動停止前の第２タイミング）とにおいて、特定表示の表示態様が変化することを示唆する示唆演出（本例では、示唆演出）を実行可能な示唆演出実行手段と、第２タイミングにおいて、特定表示の表示態様が第２態様に変化することを示唆する示唆演出を実行することを制限する示唆演出制限手段（本例では、図４９（Ｂ）に示すように、第２タイミングにおいて第１表示態様（青）に変化することを示唆する真示唆演出が実行される変化パターン２−３に決定しないようにするとともに、図４９（Ａ）に示すように、変化パターン２−１では、第２タイミングにおいて第１表示態様（青）に変化することを示唆する偽示唆演出の実行を禁止している）とを備えるように構成されている。そのため、大当りに対する期待感が高まっているタイミングにおいて、大当りとなる可能性が低いことを示唆することによって遊技者を興醒めさせてしまうことを防止することができる。
【０５３９】
なお、この実施の形態では、第２タイミングにおいて第１表示態様（青）に変化することを示唆する真示唆演出が実行される変化パターン２−３に決定しないようにするとともに、変化パターン２−１では、第２タイミングにおいて第１表示態様（青）に変化することを示唆する偽示唆演出の実行を禁止することにより、第２タイミングにおいて、アクティブ表示が第１表示態様（青）に変化することを示唆する示唆演出を実行することを制限しているが、制限方法はこのような構成に限られない。例えば、第２タイミングにおいては、第１タイミングに比べて、アクティブ表示が第１表示態様（青）に変化することを示唆する示唆演出の実行頻度を低くする（すなわち一定程度許容する）ことにより制限してもよい。この場合には、第２タイミングにおいて、アクティブ表示を第１表示態様（青）に変化させるアクティブ表示変化演出を実行することが一定程度許容される。
【０５４０】
また、例えば、図４９（Ａ），（Ｂ）で示したような、第２タイミングにおいてアクティブ表示が第１表示態様（青）に変化せず、そのような示唆もしないように定められた変化パターン決定テーブルを用いるのではなく、各タイミングにおけるアクティブ表示の変化の有無および変化の内容と、偽示唆演出の有無および示唆する内容とを抽選で決定した後に、第２タイミングにおいて第１表示態様（青）に変化することを示唆するという禁則に該当する場合には、再抽選を行う処理や、実行を取り消す処理、他の演出に差し替える処理などを実行することにより制限してもよい。
【０５４１】
また、この実施の形態では、可変表示が開始された後に、有利状態（本例では、大当り遊技状態）に制御されるか否かを報知する特定演出（本例では、スーパーリーチ）を実行可能な特定演出実行手段を備えている。そして、第２タイミングは、特定演出が実行されている期間（本例では、図４７に示すスーパーリーチ開始後、変動停止前の第２タイミング）に到来するように構成されている。そのため、特定演出の実行中に大当りとなる可能性が低いことを示唆してしまうことを防止でき、特定演出に対する期待感を維持することができる。
【０５４２】
また、この実施の形態では、示唆演出実行手段は、第２タイミングにおいて、特定表示の表示態様が第２態様よりも有利状態に制御される期待度が高い表示態様（本例では、第２表示態様（緑）や第３表示態様（赤））に変化することを示唆する示唆演出を実行可能であるように構成されている。そのため、第２タイミングにおいて実行される示唆演出に対する期待感を維持することができる。
【０５４３】
また、この実施の形態では、示唆演出実行手段は、期待度が異なる複数の演出態様（本例では、演出後のアクティブ表示の表示態様が変化する（すなわち真示唆演出である）割合や大当り期待度が異なる第１態様と第２態様）の示唆演出を実行可能であるように構成されている（図４９（Ｄ）参照）。そのため、示唆演出の演出態様に着目させることができ、遊技の興趣を向上させることができる。
【０５４４】
また、この実施の形態では、示唆演出実行手段は、演出後に特定表示の表示態様が変化する第１示唆演出（本例では、真示唆演出）と、演出後に特定表示の表示態様が変化しない第２示唆演出（本例では、偽示唆演出）とを実行可能であり、第１タイミングよりも第２タイミングの方が、第１示唆演出を実行する割合が高い（本例では、図４９（Ｃ）に示めされるように、第２タイミングよりも第１タイミングの方が偽示唆演出を実行する割合が高い。すなわち、第１タイミングよりも第２タイミングの方が真示唆演出を実行する割合が高い）ように構成されている。そのため、第２タイミングにおいて実行される示唆演出に注目させることができる。
【０５４５】
また、この実施の形態では、示唆演出実行手段は、複数の表示態様のうちのいずれの表示態様に変化することを示唆するかに関わらず、少なくとも一部が共通する態様により示唆演出を実行するように構成されている（本例では、アクティブ表示がいずれの表示態様に変化するかを示唆するときにも、キャラクタＡが登場する第１態様またはキャラクタＢが登場する第２態様により実行される。図５３参照）。そのため、示唆演出を認識しやすくすることができる。
【０５４６】
なお、アクティブ表示と同様に、保留表示の表示態様として、通常態様と、第１〜第３表示態様とを設け、アクティブ表示の表示態様は、保留表示の表示態様を引き継ぐようにしてもよい。この場合には、始動入賞が発生した際に、アクティブ表示の最終表示態様と、保留表示として表示されてからアクティブ表示として表示された後に変動表示が終了するまでのどのタイミングで表示態様が変化するかを示す変化パターン決定するようにしてもよい。また、例えば、始動入賞が発生した際に、保留表示の最終表示態様と変化パターンとを決定し、変動開始する際に、アクティブ表示の最終表示態様と変化パターンとを決定するようにしてもよい。
【０５４７】
［第３実施形態］
以下、第３実施形態（第３の実施の形態）について説明する。なお、この実施の形態において、第２実施形態と同様の構成および処理をなす部分についてはその詳細な説明を省略し、主として第２実施形態と異なる部分について説明する。
【０５４８】
この実施の形態では、演出図柄変動開始処理において、擬似連を含む変動パターンである場合には、擬似連演出設定処理を行う。
【０５４９】
擬似連演出設定処理では、演出制御用ＣＰＵ１２０は、まず、擬似連演出における演出動作の態様に対応した擬似連演出パターンを決定する。このときには、例えば図５４（Ａ）に示すように、大当り判定の有無に応じた決定割合で、予め複数パターンが用意された擬似連演出パターンのうちいずれかに決定されればよい。
【０５５０】
図５４（Ａ）に示す決定割合の設定例では、大当り判定の有無に応じて、擬似連演出パターンの決定割合が異なっている。より具体的には、大当り判定が通知されない場合には擬似連演出パターンＧＥＡの決定割合が最も高くなる一方で、大当り判定が通知された場合には擬似連演出パターンＧＥＢの決定割合が最も高くなる。また、大当り判定が通知されない場合には擬似連演出パターンＧＥＣに決定されることがない一方で、大当り判定が通知された場合には擬似連演出パターンＧＥＣに決定されることがある。
【０５５１】
次いで、演出制御用ＣＰＵ１２０は、決定した擬似連演出パターンにもとづいて、仮停止図柄を決定し、擬似連演出設定処理を終了する。
【０５５２】
演出図柄変動開始処理において擬似連演出設定処理を実行した後には、演出制御用ＣＰＵ１２０は、アクティブ表示変化演出設定処理を実行する。
【０５５３】
アクティブ表示変化演出設定処理では、演出制御用ＣＰＵ１２０は、まず、アクティブ表示変化演出の有無を決定する。このときには、図５４（Ｂ）に示すように、擬似連演出パターンに応じた決定割合で決定されればよい。
【０５５４】
図５４（Ｂ）に示す決定割合の設定例では、擬似連演出パターンに応じて、アクティブ表示変化演出を実行するか否かの決定割合が異なっている。より具体的には、擬似連演出パターンＧＥＢの場合には、擬似連演出パターンＧＥＡの場合よりも高い割合で、アクティブ表示変化演出を実行すると決定されるように、各々の決定結果に決定値が割り当てられている。そして、上述したように、擬似連演出パターンの決定処理では、大当り判定が通知されない場合には擬似連演出パターンＧＥＡの決定割合が最も高くなる一方で、大当り判定が通知された場合には擬似連演出パターンＧＥＢの決定割合が最も高くなる。このような設定により、アクティブ表示変化演出が実行されたときには、実行されないときよりも「大当り」となる可能性が高められ、大当り遊技状態に制御されることに対する遊技者の期待感を高めることができる。
【０５５５】
また、擬似連演出パターンＧＥＣの場合には、擬似連演出パターンＧＥＡや擬似連演出パターンＧＥＢの場合よりも高い割合で、アクティブ表示変化演出を実行すると決定されるように、各々の決定結果に決定値が割り当てられている。そして、上述したように、大当り判定が通知されない場合には擬似連演出パターンＧＥＣに決定されることがない一方で、大当り判定が通知された場合には擬似連演出パターンＧＥＣに決定されることがある。このような設定により、アクティブ表示変化演出が実行されたときには、実行されないときよりも「大当り」となる可能性が高められ、大当り遊技状態に制御されることに対する遊技者の期待感を高めることができる。
【０５５６】
なお、図５４（Ｂ）に示す決定割合の設定例に限定されず、アクティブ表示変化演出が実行されたときには、実行されないときよりも「大当り」となる可能性が高くなるような任意の設定であればよい。
【０５５７】
次いで、アクティブ表示変化演出を実行する場合には、実行タイミングを決定する。このときには、例えば図５４（Ｃ）に示すように、擬似連変動回数と擬似連演出パターンとの組み合わせに応じた決定割合で、予め複数パターンが用意されたタイミングのうちいずれかに決定されればよい。アクティブ表示変化演出の実行タイミングを決定すると、アクティブ表示変化演出設定処理を終了する。
【０５５８】
図５４（Ｃ）に示す決定割合の設定例では、擬似連変動回数と擬似連演出パターンとの組み合わせに応じて、アクティブ表示変化演出の実行タイミングの決定割合が異なっている。より具体的には、擬似連変動回数が１回のとき、擬似連演出パターンＧＥＡの場合にはアクティブ表示変化演出の実行タイミングが初回変動中となる決定割合が最も高くなる一方で、擬似連演出パターンＧＥＢの場合にはアクティブ表示変化演出の実行タイミングが初回変動中となる決定割合と１回目の再可変表示中となる決定割合が同じで、擬似連演出パターンＧＥＣの場合にはアクティブ表示変化演出の実行タイミングが１回目の再可変表示中となる決定割合が最も高くなる。また、擬似連変動回数が２回のとき、擬似連演出パターンＧＥＡの場合にはアクティブ表示変化演出の実行タイミングが初回変動中となる決定割合が最も高くなる一方で、擬似連演出パターンＧＥＢの場合にはアクティブ表示変化演出の実行タイミングが１回目の再可変表示中となる決定割合が最も高くなり、擬似連演出パターンＧＥＣの場合にはアクティブ表示変化演出の実行タイミングが２回目の再可変表示中となる決定割合が最も高くなる。また、擬似連変動回数が３回のとき、擬似連演出パターンＧＥＡの場合にはアクティブ表示変化演出の実行タイミングが初回変動中となる決定割合が最も高くなる一方で、擬似連演出パターンＧＥＢの場合にはアクティブ表示変化演出の実行タイミングが２回目の再可変表示中となる決定割合が最も高くなり、擬似連演出パターンＧＥＣの場合にはアクティブ表示変化演出の実行タイミングが３回目の再可変表示中となる決定割合が最も高くなる。また、上述したように、擬似連演出パターンの決定処理では、大当り判定が通知されない場合には擬似連演出パターンＧＥＡの決定割合が最も高くなる一方で、大当り判定が通知された場合には擬似連演出パターンＧＥＢの決定割合が最も高くなる。更に、大当り判定が通知されない場合には擬似連演出パターンＧＥＣに決定されることがない一方で、大当り判定が通知された場合には擬似連演出パターンＧＥＣに決定されることがある。このような設定により、アクティブ表示変化演出の実行タイミングが遅いタイミングであるときには、早いタイミングであるときよりも大当りとなる可能性が高められ、大当り遊技状態に制御されることに対する遊技者の期待感を高めることができる。
【０５５９】
なお、図５４（Ｃ）に示す決定割合の設定例に限定されず、擬似連変動回数と擬似連演出パターンとの組み合わせに応じてアクティブ表示変化演出の実行タイミングを異ならせることができる任意の設定であればよい。なお、擬似連変動回数又は擬似連演出パターンのいずれかに応じてアクティブ表示変化演出の実行タイミングを異ならせることができる任意の設定としてもよい。
【０５６０】
以上に説明したように、この実施の形態では、可変表示が開始されてから可変表示の表示結果が導出表示されるまでに可変表示を所定回数実行する所定可変表示（例えば、擬似連演出）を実行可能であり、特定表示は、所定可変表示の種類に応じて、表示態様が変化するタイミングが異なる（例えば、アクティブ表示変化演出の実行タイミングが、大当り判定の有無に応じて決定された擬似連演出パターンに応じた決定割合で決定される。図５４（Ａ），（Ｃ）参照）ように構成されている。そのため、演出を多様化させ、遊技の興趣を向上させることができる。
【０５６１】
なお、上記の第３の実施の形態に示した構成については、一部の構成のみを第２の実施の形態で示した遊技機に適用してもよいし、全ての構成を第２の実施の形態で示した遊技機に適用してもよい。また、第２の実施の形態に示した構成と第３の実施の形態に示した構成とを組み合わせて遊技機に適用してもよい。例えば、第３の実施の形態に示した構成において、アクティブ表示変化演出に加えて示唆演出を実行可能とし、遅いタイミングになるにつれて（例えば、３回目の再可変表示中＞２回目の再可変表示中＞１回目の再可変表示中の順に）、期待度が低い表示態様に変化することを示唆する示唆演出や、期待度が低い表示態様に変化させるアクティブ表示変化演出の実行を制限するようにしてもよい。
【０５６２】
また、上記の各実施の形態では、演出装置を制御する回路が搭載された基板として、演出制御基板１２、音声出力基板７０およびランプドライバ基板３５が設けられているが、演出装置を制御する回路を１つの基板に搭載してもよい。さらに、画像表示装置５等を制御する回路が搭載された第１の演出制御基板（表示制御基板）と、その他の演出装置（ランプ、ＬＥＤ、スピーカ２７など）を制御する回路が搭載された第２の演出制御基板との２つの基板を設けるようにしてもよい。
【０５６３】
以上説明した第１実施形態と第２実施形態、または第１実施形態と第３実施形態とを組み合わせた構成例について説明する。第１実施形態と第２実施形態、または第１実施形態と第３実施形態とを組み合わせた構成例は、例えば、以下のとおりである。
【０５６４】
可変表示（例えば、第１特別図柄や第２特別図柄、演出図柄の可変表示）を行い、遊技者にとって有利な有利状態（例えば、大当り遊技状態）に制御可能な遊技機（例えばパチンコ遊技機１等）であって、移動可能な移動演出手段（例えば可動演出部材６０等）と、実行中の可変表示に対応する特定表示（例えば、アクティブ表示）を表示可能な特定表示手段（例えば、アクティブ表示部１８ｄ）と、特定表示の表示態様を第１態様（例えば、第２表示態様（緑）や第３表示態様（赤））と該第１態様よりも前記有利状態に制御される期待度が低い第２態様（例えば、第１表示態様（青））とを含む複数の表示態様のうちのいずれかに変化させる変化演出（例えば、アクティブ表示変化演出）を実行可能な変化演出実行手段（例えば、演出制御用マイクロコンピュータ１１５がステップＳ８００６やＳ８１０５を実行する部分）と、可変表示中の第１タイミング（例えば、図４７に示す変動開始後、スーパーリーチ開始前の第１タイミング）と該第１タイミングよりも後の第２タイミング（例えば、図４７に示すスーパーリーチ開始後、変動停止前の第２タイミング）とにおいて、特定表示の表示態様が変化することを示唆する示唆演出を実行可能な示唆演出実行手段（例えば、演出制御用マイクロコンピュータ１１５がステップＳ８００６やＳ８１０５を実行する部分）と、前記第２タイミングにおいて、特定表示の表示態様が前記第２態様に変化することを示唆する示唆演出を実行することを制限する示唆演出制限手段（例えば、図４９（Ｂ）に示すように、第２タイミングにおいて第１表示態様（青）に変化することを示唆する真示唆演出が実行される変化パターン２−３に決定しないようにするとともに、図４９（Ａ）に示すように、変化パターン２−１では、第２タイミングにおいて第１表示態様（青）に変化することを示唆する偽示唆演出の実行を禁止している）と、を備え、前記移動演出手段が第１位置から第２位置へ向けて移動した後に前記第１位置へ向けて戻るときの態様が第１の態様である場合と、前記第１の態様とは異なる第２の態様である場合とで、前記有利状態に制御される割合が異なる（例えば可動演出部材６０が退避位置から進出位置へ向けて移動した後に退避位置へ向けて戻るときの態様が、可動物予告演出ＹＰＡ４〜ＹＰＡ７のように回転しながら戻る場合と、可動物予告演出ＹＰＡ１〜ＹＰＡ３のように回転せずに戻る場合とで、大当り期待度が異なること等）ことを特徴とする遊技機。
【０５６５】
この構成例の遊技機では、移動演出手段が第１位置から第２位置へ向けて移動した後に第１位置へ向けて戻るときの態様が第１の態様である場合と、第２の態様である場合とで、有利状態に制御される割合が異なる。このため、第２位置から第２位置に戻るときの態様によって、有利状態に制御される期待感が変化する。その結果、移動演出手段が第２位置に移動した後、第１位置へ向けて戻るときの態様に対する注目を高めることができるので、移動演出手段が移動した後に戻るときの遊技者の遊技の興趣を高めることができる。また、特定表示の表示態様が変化することを示唆する示唆演出を実行するにあたり、第２タイミングでは、特定表示の表示態様が第２態様に変化することを示唆する示唆演出の実行が制限されている。有利状態に制御される期待度が高まるが、第１タイミングよりも後の第２タイミングで特定表示の変化があると、さらに有利状態に制御される期待度が高まる。ここで、第２タイミングにおける特定表示の変化が、有利状態に制御される期待度が低い第２態様への変化であると結局有利状態に制御される期待度が高められず、興趣の低下につながる懸念がある。この点、この構成例の遊技機では、第２タイミングにおいて、特定表示の表示態様が第２態様に変化することを示唆する示唆演出を実行することを制限している。このため、第２タイミングにおける第２態様への変化の示唆が少なくなるので、有利状態に制御される期待度が低い状態となることを抑制できるので、遊技の興趣が低下してしまうことを防止できる。このように、移動演出手段が戻るとき及び特定表示の変化がある前における興趣の向上を高めることができる。
【０５６６】
また、上記の構成例の遊技機において、示唆演出が移動演出手段の移動を伴う演出であってもよい。この例では、移動演出手段の態様によって特定表示の表示態様の示唆が行なわれるので、興趣の向上に寄与することができる。さらに、移動演出手段が第２位置に戻るときの態様と特定表示の変化に応じて、有利状態に制御される期待度が変動するので、遊技者に対して複合的に有利状態に制御される期待感を与えることができ、興趣の向上に寄与することができる。このときに、第２タイミングにおける第２態様への変化の示唆が少なくなることから、有利状態に制御される期待度が低い状態となることを抑制できるので、遊技の興趣が低下してしまうことを防止できる。このとき、移動演出手段が第２位置から第１位置に戻る態様に基づいて、特定表示の表示態様の変化を示唆するようにしてもよいし、第１位置から第２位置に移動する際の態様に基づいて、特定表示の表示態様の変化を示唆するようにしてもよい。移動演出手段が第２位置から第１位置に戻る態様に基づいて、特定表示の表示態様を示唆する場合には、有利状態に制御される割合に応じた態様と、特定表示の表示態様の変化に応じた態様と、を共通の態様としてもよいし、異なる態様としてもよい。例えば、有利状態に制御される割合に応じた態様が、上記の実施形態で示したように、可動演出部材６０が回転して戻るか回転することなく戻るかであり、特定表示の表示態様の変化に応じた態様が、第１位置に戻る可動演出部材６０の発光色であるようにしてもよい。
【０５６７】
また、上記の構成例の遊技機において、移動演出手段がその移動可能範囲のいずれかに位置するときに、移動演出手段によって特定表示が隠されるようにしてもよい。この例で特定表示の表示態様を変化させる場合に、移動した移動演出手段よって特定表示が隠されているときに特定表示を変化させるようにしてもよい。この例では、移動演出手段で一旦隠された特定表示が、再び視認可能となった時に、特定表示が変化しているか否かという楽しみを遊技者に与えることができるので、興趣の向上に寄与することができる。
【０５６８】
また、上記の構成例の遊技機において、特定表示が移動演出手段に表示されるようにしてもよい。この場合、例えば移動演出手段に表示装置としてのＬＣＤ（液晶表示装置）などを取り付け、この表示装置を移動可能とするとともに、表示装置に特定表示を表示すればよい。また、移動演出手段に特定表示を表示する際には、移動演出手段が移動している間に、所定の障害物の後側を通る等によって、特定表示の表示を視認できなくなるようにしてもよい。この場合、移動演出手段に表示された特定表示が隠されているときに、特定表示を変化させるようにしてもよい。この例では、障害物で一旦隠された特定表示が、再び視認可能となった時に、特定表示が変化しているか否かという楽しみを遊技者に与えることができるので、興趣の向上に寄与することができる。
【０５６９】
この発明は、上記実施の形態に限定されず、様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。
【０５７０】
例えば、上記の各実施の形態では、遊技制御用マイクロコンピュータ１００は、演出制御用マイクロコンピュータ１１５に対して直接コマンドを送信していたが、遊技制御用マイクロコンピュータ１００が他の基板（例えば、図３５に示す音声出力基板７０やランプドライバ基板３５など、または音声出力基板７０に搭載されている回路による機能とランプドライバ基板３５に搭載されている回路による機能とを備えた音／ランプ基板）に演出制御コマンドを送信し、他の基板を経由して演出制御基板１２における演出制御用マイクロコンピュータ１１５に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、または例えば簡略化したコマンドに変更して、画像表示装置５を制御する演出制御用マイクロコンピュータ１１５に送信するようにしてもよい。その場合でも、演出制御用マイクロコンピュータ１１５は、上記の各実施の形態における遊技制御用マイクロコンピュータ１００から直接受信した演出制御コマンドに応じて表示制御を行うのと同様に、音声出力基板７０、ランプドライバ基板３５または音／ランプ基板から受信したコマンドに応じて表示制御を行うことができる。
【０５７１】
また、上記の各実施の形態においては、変動時間およびリーチ演出の種類や擬似連の有無等の変動態様を示す変動パターンを演出制御用マイクロコンピュータ１１５に通知するために、変動を開始するときに１つの変動パターンコマンドを送信する例を示したが、２つ乃至それ以上のコマンドにより変動パターンを演出制御用マイクロコンピュータ１１５に通知するようにしてもよい。具体的には、２つのコマンドにより通知する場合、遊技制御用マイクロコンピュータ１００は、１つ目のコマンドでは擬似連の有無、滑り演出の有無など、リーチとなる以前（リーチとならない場合には所謂第２停止の前）の変動時間や変動態様を示すコマンドを送信し、２つ目のコマンドではリーチの種類や再抽選演出の有無など、リーチとなった以降（リーチとならない場合には所謂第２停止の後）の変動時間や変動態様を示すコマンドを送信するようにしてもよい。この場合、演出制御用マイクロコンピュータ１１５は２つのコマンドの組合せから導かれる変動時間にもとづいて変動表示における演出制御を行うようにすればよい。なお、遊技制御用マイクロコンピュータ１００の方では２つのコマンドのそれぞれにより変動時間を通知し、それぞれのタイミングで実行される具体的な変動態様については演出制御用マイクロコンピュータ１１５の方で選択を行うようにしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信するようにしてもよい。なお、それぞれのコマンドで示される変動態様はこの例に限定されるわけではなく、送信する順序についても適宜変更可能である。このように２つ乃至それ以上のコマンドにより変動パターンを通知するようにすることで、変動パターンコマンドとして記憶しておかなければならないデータ量を削減することができる。
【０５７２】
また、上記の各実施の形態において、「割合が異なる」とは、Ａ：Ｂ＝７０％：３０％やＡ：Ｂ＝３０％：７０％のような関係で割合が異なるものだけにかぎらず、Ａ：Ｂ＝１００％：０％のような関係で割合が異なるもの（すなわち、一方が１００％の割り振りで他方が０％の割り振りとなるようなもの）も含む概念である。
【０５７３】
また、上記の各実施の形態では、例えば「１」〜「９」の複数種類の特別図柄や演出図柄、普通図柄を可変表示し表示結果を導出表示する場合を示したが、可変表示は、そのような態様にかぎられない。例えば、可変表示される図柄と導出表示される図柄とが必ずしも同じである必要ななく、可変表示された図柄とは異なる図柄が導出表示されるものであってもよい。また、必ずしも複数種類の図柄を可変表示する必要はなく、１種類の図柄のみを用いて可変表示を実行するものであってもよい。この場合、例えば、その１種類の図柄表示を交互に点灯および点滅を繰り返すことによって、可変表示を実行するものであってもよい。そして、この場合であっても、その可変表示に用いられる１種類の図柄が最後に導出表示されるものであってもよいし、その１種類の図柄とは異なる図柄が最後に導出表示されるものであってもよい。
【０５７４】
また、上記の各実施の形態では、大当り種別として確変大当りや通常大当りがあり、大当り種別として確変大当りと決定されたことにもとづいて、大当り遊技終了後に確変状態に制御される遊技機を示したが、そのような遊技機に限定されない。例えば、内部に所定の確変領域が設けられた特別可変入賞球装置（１つだけ設けられた特別可変入賞球装置内に確変領域が設けられていてもよいし、複数設けられた特別可変入賞球装置のうちの一部に確変領域が設けられていてもよい）を備え、大当り遊技中に特別可変入賞球装置内における確変領域を遊技球が通過したことにもとづいて確変が確定し、大当り遊技終了後に確変状態に制御される遊技機に上記の各実施の形態で示した構成を適用することもできる。
【０５７５】
また、遊技媒体としての遊技球を遊技領域に発射して所定の遊技を行い、その遊技結果に基づいて所定の遊技価値が付与可能となるパチンコ遊技機に限定されず、例えば複数種類の識別情報となる図柄の可変表示といった所定の遊技を行い、その遊技結果に基づいて所定の遊技価値を付与可能となる任意の遊技機に適用することができる。より具体的には、１ゲームに対して所定の賭数を設定することによりゲームが開始可能になると共に、各々が識別可能な複数種類の識別情報を可変表示する可変表示装置の表示結果が導出表示されることにより１ゲームが終了し、その表示結果に応じて入賞が発生可能とされたスロットマシンにも本発明を適用できる。このようなスロットマシンにおいて、可動物予告演出を実行する構成を含めたハードウェア資源と、所定の処理を行うためのソフトウェアとが協働することにより、上記実施の形態で示されたパチンコ遊技機１が有する特徴の一部又は全部を備えるように構成されればよい。そして、可動物予告演出では、可動演出部材が第１位置から第２位置へ向けて移動した後に第１位置へ向けて戻るときの態様が第１の態様である場合と、第１の態様とは異なる第２の態様である場合とで、遊技者にとって有利な有利状態に制御される割合が異なるものであればよい。ここで、スロットマシンにおける遊技者にとって有利な有利状態とは、ビッグゲーム、ビッグボーナス、レギュラーボーナス、リプレイの当選率が高いリプレイタイム、ナビ対象役が当選したときにナビ演出が実行されるアシストタイム、リプレイタイムにおけるアシストタイムであるアシストリプレイタイムの一部又は全部といった、遊技者にとって有利な遊技状況となることが含まれていればよい。
【０５７６】
また、上記実施の形態や変形例では、遊技者にとって有利な有利状態には、遊技者にとって有利な遊技状況となることが含まれるものとして説明した。これに対し、遊技者にとって有利な有利状態には、演出ポイント獲得数が第２獲得数よりも多い第１獲得数となることや、所定の特典が付与されることといった、遊技者にとって有利な所定価値が付与される状態となることが含まれていてもよい。
【０５７７】
ここで、演出ポイント獲得数は、例えば特定の演出態様となる予告演出又はリーチ演出が実行されたときに、遊技者に付与される演出ポイントの合計値であればよい。特定の演出態様となる予告演出やリーチ演出は、他の演出態様となる予告演出やリーチ演出に比べて実行割合が低くなるように設定され、出現頻度が低い演出であればよい。あるいは、演出ポイント獲得数は、可変表示の実行回数が所定回数に達したときに、遊技者に付与される演出ポイントの合計値であってもよい。あるいは、演出ポイント獲得数は、パチンコ遊技機１やスロットマシンや端末装置にて所定のミニゲームを実行した結果として、遊技者に付与される演出ポイントの合計値であってもよい。端末装置では、所定のゲームアプリケーションプログラムをダウンロードして実行することや、所定のＷｅｂページにアクセスすること等により、パチンコ遊技機１による遊技を模したミニゲームを遊技者が実行できればよい。なお、特定の演出態様となる予告演出やリーチ演出が実行された場合に限定されず、何らかの予告演出やリーチ演出といった所定演出が実行されたときに、演出ポイントが遊技者に付与されてもよい。演出ポイントが付与される条件となる可変表示の実行回数は、例えば「１」であってもよいし「１０」であってもよい。このように、所定演出が実行されることや、可変表示の実行回数が所定回数に達したこと、所定のミニゲームが実行されたこと、あるいは、これらの一部又は全部の組み合わせといった、予め定められたポイント付与条件が成立したことに基づいて、遊技者に付与可能となるものであればよい。また、ポイント付与条件が成立した場合でも、演出ポイントを付与するか否かや、付与する演出ポイントの数量等を、所定割合で決定してもよい。
【０５７８】
即ち、遊技者にとって有利な状態として、演出ポイント獲得数が第２獲得数よりも多い第１獲得数となることには、ポイント付与条件が成立する割合が第２割合よりも高い第１割合とすることの他、ポイント付与条件が成立した場合に演出ポイントを付与すると決定される割合を第２割合よりも高い第１割合とすることや、ポイント条件が成立した場合に付与する演出ポイントの数量を第２数量よりも多い第１数量とすること等が含まれる。
【０５７９】
なお、上記の第１〜第３実施形態に示した各構成については、その一部の構成のみを第１〜第３実施形態のうちの他の実施形態で示した遊技機に適用してもよいし、全ての構成を第１〜第３実施形態のうちの他の実施形態で示した遊技機に適用してもよい。
【符号の説明】
【０５８０】
１        パチンコ遊技機
【図１】
2018082840.tif 000003
【図２】
2018082840.tif 000004
【図３】
2018082840.tif 000005
【図４】
2018082840.tif 000006
【図５】
2018082840.tif 000007
【図６】
2018082840.tif 000008
【図７】
2018082840.tif 000009
【図８】
2018082840.tif 000010
【図９】
2018082840.tif 000011
【図１０】
2018082840.tif 000012
【図１１】
2018082840.tif 000013
【図１２】
2018082840.tif 000014
【図１３】
2018082840.tif 000015
【図１４】
2018082840.tif 000016
【図１５】
2018082840.tif 000017
【図１６】
2018082840.tif 000018
【図１７】
2018082840.tif 000019
【図１８】
2018082840.tif 000020
【図１９】
2018082840.tif 000021
【図２０】
2018082840.tif 000022
【図２１】
2018082840.tif 000023
【図２２】
2018082840.tif 000024
【図２３】
2018082840.tif 000025
【図２４】
2018082840.tif 000026
【図２５】
2018082840.tif 000027
【図２６】
2018082840.tif 000028
【図２７】
2018082840.tif 000029
【図２８】
2018082840.tif 000030
【図２９】
2018082840.tif 000031
【図３０】
2018082840.tif 000032
【図３１】
2018082840.tif 000033
【図３２】
2018082840.tif 000034
【図３３】
2018082840.tif 000035
【図３４】
2018082840.tif 000036
【図３５】
2018082840.tif 000037
【図３６】
2018082840.tif 000038
【図３７】
2018082840.tif 000039
【図３８】
2018082840.tif 000040
【図３９】
2018082840.tif 000041
【図４０】
2018082840.tif 000042
【図４１】
2018082840.tif 000043
【図４２】
2018082840.tif 000044
【図４３】
2018082840.tif 000045
【図４４】
2018082840.tif 000046
【図４５】
2018082840.tif 000047
【図４６】
2018082840.tif 000048
【図４７】
2018082840.tif 000049
【図４８】
2018082840.tif 000050
【図４９】
2018082840.tif 000051
【図５０】
2018082840.tif 000052
【図５１】
2018082840.tif 000053
【図５２】
2018082840.tif 000054
【図５３】
2018082840.tif 000055
【図５４】
2018082840.tif 000056